(57)【特許請求の範囲】
【請求項１】
シリンダ胴と、鍵挿入口に連続する鍵穴を有し、前記シリンダ胴に回転自在に配置されるシリンダプラグを備える複数のシリンダ錠と、
前記鍵挿入口から前記各シリンダ錠の鍵穴に挿入されるコンストラクションマスターキーと、
前記各シリンダ錠に対応して設けられ、前記鍵挿入口から対応する前記シリンダ錠の鍵穴に挿入されるチェンジキーと、
前記各シリンダ錠の鍵挿入口側に配置されて前記各シリンダ錠に備えられ、前記コンストラクションマスターキーと、前記各シリンダ錠に対応するチェンジキーによる前記シリンダプラグの回転を可能とし、前記各シリンダ錠に対応する以外のチェンジキーによる前記シリンダプラグの回転を禁止するマスター装置と、
前記鍵挿入口との間に前記マスター装置を配置して、前記各シリンダ錠に備えられるコンストラクション装置と、を備え、
工事期間中、前記コンストラクションマスターキーにて前記各シリンダ錠を操作し、工事完了後、前記各チェンジキーにて対応する前記シリンダ錠の前記コンストラクション装置を操作して、前記コンストラクションマスターキーによる操作を不能とするコンストラクションマスター装置であって、
前記コンストラクション装置は、
前記シリンダプラグを径方向に貫通して前記鍵穴に開口するプラグ穴、及び前記プラグ穴に連続して前記シリンダ胴を径方向に貫通する胴穴で構成される３以上の複数のコンストコラムと、
前記プラグ穴に摺動自在に配置される第１下ピン、及び前記胴穴に摺動自在に配置されて前記第１下ピンに付勢される第１上ピンを有する第１ピン群と、
前記プラグ穴に摺動自在に配置される第２下ピン、前記胴穴に摺動自在に配置されて前記第２下ピンに付勢される第２上ピン、前記第２下ピン及び前記第２上ピン間に組まれるコンストボールを有する第２ピン群と、
前記各コンストコラムに対応して前記シリンダプラグに形成され、前記コンストボールを収納自在であるボール収納穴と、を備え、
全てのコンストコラムでなく、１又は複数のコンストコラムに前記第１ピン群を収納し、前記第１ピン群を収納した前記コンストコラム以外の残りのコンストコラムに前記第２ピン群を収納し、
前記コンストラクションマスターキーは、
前記各シリンダ錠において、前記コンストコラムの前記第１及び第２ピン群に対応して形成される長溝を有し、
前記各シリンダ錠の鍵穴の挿入に伴って、前記長溝により前記第１下ピンを押し動かして、前記第１下ピン及び前記第１上ピンの境界を、前記シリンダ胴及び前記シリンダプラグ間に位置し、
前記各シリンダ錠の鍵穴の挿入に伴って、前記長溝により前記第２下ピンを押し動かして、前記コンストボール及び前記第２上ピンの境界を、前記シリンダ胴及び前記シリンダプラグ間に位置し、
前記各チェンジキーは、
対応する前記シリンダ錠において、
前記コンストコラムの前記第１ピン群に対応して形成され、前記長溝と同一穴深さの第１ディンプル穴と、
前記コンストコラムの前記第２ピン群に対応して形成される非ディンプル部又は前記長溝より浅い穴深さの第２ディンプル穴を有し、
対応する前記シリンダ錠の鍵穴の挿入に伴って、前記第１ディンプル穴により前記第１下ピンを押し動かして、前記第１下ピン及び前記第１上ピンの境界を、前記シリンダ胴及び前記シリンダプラグ間に位置し、
対応する前記シリンダ錠の鍵穴の挿入に伴って、前記非ディンプル部又は前記第２ディンプル穴により前記第２下ピンを押し動かして、前記コンストボールを前記胴穴に配置し、及び前記第２下ピンの前記第２上ピン側の端面を、前記シリンダ胴及び前記シリンダプラグ間に位置する
ことを特徴とするコンストラクションマスター装置。
【請求項２】
シリンダ胴と、鍵挿入口に連続する鍵穴を有し、前記シリンダ胴に回転自在に配置されるシリンダプラグを備える複数のシリンダ錠と、
前記鍵挿入口から前記各シリンダ錠の鍵穴に挿入されるコンストラクションマスターキーと、
前記各シリンダ錠に対応して設けられ、前記鍵挿入口から対応する前記シリンダ錠の鍵穴に挿入されるチェンジキーと、
前記各シリンダ錠の鍵挿入口側に配置されて前記各シリンダ錠に備えられ、前記コンストラクションマスターキーと、前記各シリンダ錠に対応するチェンジキーによる前記シリンダプラグの回転を可能とし、前記各シリンダ錠に対応する以外のチェンジキーによる前記シリンダプラグの回転を禁止するマスター装置と、
前記鍵挿入口との間に前記マスター装置を配置して、前記各シリンダ錠に備えられるコンストラクション装置と、を備え、
工事期間中、前記コンストラクションマスターキーにて前記各シリンダ錠を操作し、工事完了後、前記各チェンジキーにて対応する前記シリンダ錠の前記コンストラクション装置を操作して、前記コンストラクションマスターキーによる操作を不能とするコンストラクションマスター装置であって、
前記コンストラクション装置は、
前記シリンダプラグを径方向に貫通して前記鍵穴に開口するプラグ穴、及び前記プラグ穴に連続して前記シリンダ胴を径方向に貫通する胴穴で構成される３以上の複数のコンストコラムと、
前記プラグ穴に摺動自在に配置される第１下ピン、及び前記胴穴に摺動自在に配置されて前記第１下ピンに付勢される第１上ピンを有する第１ピン群と、
前記プラグ穴に摺動自在に配置される第２下ピン、前記胴穴に摺動自在に配置されて前記第２下ピンに付勢される第２上ピン、前記第２下ピン及び前記第２上ピン間に組まれるコンストボールを有する第２ピン群と、
前記各コンストコラムに対応して前記シリンダプラグに形成され、前記コンストボールを収納自在であるボール収納穴と、を備え、
全てのコンストコラムでなく、１又は複数のコンストコラムに前記第１ピン群を収納し、前記第１ピン群を収納した前記コンストコラム以外の残りのコンストコラムに前記第２ピン群を収納し、
前記第１ピン群は、キー挿入前に、前記第１下ピン及び前記第１上ピンの境界を、前記シリンダ胴及び前記シリンダプラグ間に位置して前記コンストコラムに収納され、
前記第２ピン群は、キー挿入前に、前記コンストボール及び前記第２上ピンの境界を、前記シリンダ胴及び前記シリンダプラグ間に位置して前記コンストコラムに収納され、
前記コンストラクションマスターキーは、
前記各シリンダ錠の鍵穴の挿入に伴って、前記各コンストコラムの前記第１及び第２ピン群に対応することなく、前記マスター装置に対応して配置され、
前記各チェンジキーは、
対応する前記シリンダ錠において、
前記コンストコラムの前記第１ピン群に対応して形成される第１ディンプル穴と、
前記コンストコラムの前記第２ピン群に対応して形成される非ディンプル部、又は前記第１ディンプル穴より浅い穴深さの第２ディンプル穴を有し、
対応する前記シリンダ錠の鍵穴の挿入に伴って、前記第１ディンプル穴により前記第１下ピンを押し動かすことなく保持して、前記第１下ピン及び前記第１上ピンの境界を、前記シリンダ胴及び前記シリンダプラグ間に位置し、
対応する前記シリンダ錠の鍵穴の挿入に伴って、前記非ディンプル部又は前記第２ディンプル穴により前記第２下ピンを押し動かして、前記コンストボールを前記胴穴に配置し、前記第２下ピンの前記第２上ピン側の端面を、前記シリンダ胴及び前記シリンダプラグの間に位置する
ことを特徴とするコンストラクションマスター装置。
【発明の詳細な説明】
【技術分野】
【０００１】
本発明は、マンション等の建築物の工事期間中、コンストラクションマスターキーにて複数のシリンダ錠を操作し、工事完了後、チェンジキーにて対応するシリンダ錠を操作して、コンストラクションマスターキーの操作を不能とするコンストラクションマスター装置に関する。
【背景技術】
【０００２】
従来から、マンション等を建設する工事期間中において、複数の部屋の玄関ドアに設置されるシリンダ錠をコンストラクションマスターキーにて操作（施錠又は解錠）する。工事完了後、チェンジキーにて対応するシリンダ錠を操作して、コンストラクションマスターキーの操作を不能とする。
【０００３】
各シリンダ錠には、シリンダ胴、鍵穴を有してシリンダ胴に回転自在に配置されるシリンダプラグ、及びコンストラクション装置を備え、工事完了後に、チェンジキーにてコンストラクション装置を操作することで、コンストラクションマスターキーの操作を不能とする。各シリンダ錠のコンストラクション装置は、シリンダ胴及びシリンダプラグに形成される１又は２のコンストコラムと、各コンストコラムに収納される下ピン、上ピン、下ピン及び上ピン間に組込まれるコンストボールを有し、シリンダ錠に対応するチェンジキーにてシリンダプラグを回転して、コンストボールを取除くことで、コンストラクションマスターキーによる各シリンダ錠のシリンダプラグの回転を不能とする。工事完了後は、チェンジキーにて対応するシリンダ錠を操作（施錠又は解錠）する。
【発明の概要】
【発明が解決しようとする課題】
【０００４】
従来の技術において、各シリンダ錠のコンストラクション装置は、下ピン、上ピン及びコンストボールを収納した、1又は２のコンストコラムを用いているために、コンストコラムの場所を想定されると、容易に、合鍵を複製できるという問題がある。
【０００５】
本発明は、コンストラクションマスターキーにより容易に、合鍵を想定できないコンストラクションマスター装置を提供することにある。
【課題を解決するための手段】
【０００６】
本発明に係る請求項１は、シリンダ胴と、鍵挿入口に連続する鍵穴を有し、前記シリンダ胴に回転自在に配置されるシリンダプラグを備える複数のシリンダ錠と、前記鍵挿入口から前記各シリンダ錠の鍵穴に挿入されるコンストラクションマスターキーと、前記各シリンダ錠に対応して設けられ、前記鍵挿入口から対応する前記シリンダ錠の鍵穴に挿入されるチェンジキーと、前記各シリンダ錠の鍵挿入口側に配置されて前記各シリンダ錠に備えられ、前記コンストラクションマスターキーと、前記各シリンダ錠に対応するチェンジキーによる前記シリンダプラグの回転を可能とし、前記各シリンダ錠に対応する以外のチェンジキーによる前記シリンダプラグの回転を禁止するマスター装置と、前記鍵挿入口との間に前記マスター装置を配置して、前記各シリンダ錠に備えられるコンストラクション装置と、を備え、工事期間中、前記コンストラクションマスターキーにて前記各シリンダ錠を操作し、工事完了後、前記各チェンジキーにて対応する前記シリンダ錠の前記コンストラクション装置を操作して、前記コンストラクションマスターキーによる操作を不能とするコンストラクションマスター装置であって、前記コンストラクション装置は、前記シリンダプラグを径方向に貫通して前記鍵穴に開口するプラグ穴、及び前記プラグ穴に連続して前記シリンダ胴を径方向に貫通する胴穴で構成される３以上の複数のコンストコラムと、前記プラグ穴に摺動自在に配置される第１下ピン、及び前記胴穴に摺動自在に配置されて前記第１下ピンに付勢される第１上ピンを有する第１ピン群と、前記プラグ穴に摺動自在に配置される第２下ピン、前記胴穴に摺動自在に配置されて前記第２下ピンに付勢される第２上ピン、前記第２下ピン及び前記第２上ピン間に組まれるコンストボールを有する第２ピン群と、前記各コンストコラムに対応して前記シリンダプラグに形成され、前記コンストボールを収納自在であるボール収納穴と、を備え、全てのコンストコラムでなく、１又は複数のコンストコラムに前記第１ピン群を収納し、前記第１ピン群を収納した前記コンストコラム以外の残りのコンストコラムに前記第２ピン群を収納し、前記コンストラクションマスターキーは、前記各シリンダ錠において、前記コンストコラムの前記第１及び第２ピン群に対応して形成される長溝を有し、前記各シリンダ錠の鍵穴の挿入に伴って、前記長溝により前記第１下ピンを押し動かして、前記第１下ピン及び前記第１上ピンの境界を、前記シリンダ胴及び前記シリンダプラグ間に位置し、前記各シリンダ錠の鍵穴の挿入に伴って、前記長溝により前記第２下ピンを押し動かして、前記コンストボール及び前記第２上ピンの境界を、前記シリンダ胴及び前記シリンダプラグ間に位置し、前記各チェンジキーは、対応する前記シリンダ錠において、前記コンストコラムの前記第１ピン群に対応して形成され、前記長溝と同一穴深さの第１ディンプル穴と、前記コンストコラムの前記第２ピン群に対応して形成される非ディンプル部又は前記長溝より浅い穴深さの第２ディンプル穴を有し、対応する前記シリンダ錠の鍵穴の挿入に伴って、前記第１ディンプル穴により前記第１下ピンを押し動かして、前記第１下ピン及び前記第１上ピンの境界を、前記シリンダ胴及び前記シリンダプラグ間に位置し、対応する前記シリンダ錠の鍵穴の挿入に伴って、前記非ディンプル部又は前記第２ディンプル穴により前記第２下ピンを押し動かして、前記コンストボールを前記胴穴に配置し、及び前記第２下ピンの前記第２上ピン側の端面を、前記シリンダ胴及び前記シリンダプラグ間に位置することを特徴とするコンストラクションマスター装置である。
【０００７】
本発明に係る請求項２は、シリンダ胴と、鍵挿入口に連続する鍵穴を有し、前記シリンダ胴に回転自在に配置されるシリンダプラグを備える複数のシリンダ錠と、前記鍵挿入口から前記各シリンダ錠の鍵穴に挿入されるコンストラクションマスターキーと、前記各シリンダ錠に対応して設けられ、前記鍵挿入口から対応する前記シリンダ錠の鍵穴に挿入されるチェンジキーと、前記各シリンダ錠の鍵挿入口側に配置されて前記各シリンダ錠に備えられ、前記コンストラクションマスターキーと、前記各シリンダ錠に対応するチェンジキーによる前記シリンダプラグの回転を可能とし、前記各シリンダ錠に対応する以外のチェンジキーによる前記シリンダプラグの回転を禁止するマスター装置と、前記鍵挿入口との間に前記マスター装置を配置して、前記各シリンダ錠に備えられるコンストラクション装置と、を備え、工事期間中、前記コンストラクションマスターキーにて前記各シリンダ錠を操作し、工事完了後、前記各チェンジキーにて対応する前記シリンダ錠の前記コンストラクション装置を操作して、前記コンストラクションマスターキーによる操作を不能とするコンストラクションマスター装置であって、前記コンストラクション装置は、前記シリンダプラグを径方向に貫通して前記鍵穴に開口するプラグ穴、及び前記プラグ穴に連続して前記シリンダ胴を径方向に貫通する胴穴で構成される３以上の複数のコンストコラムと、前記プラグ穴に摺動自在に配置される第１下ピン、及び前記胴穴に摺動自在に配置されて前記第１下ピンに付勢される第１上ピンを有する第１ピン群と、前記プラグ穴に摺動自在に配置される第２下ピン、前記胴穴に摺動自在に配置されて前記第２下ピンに付勢される第２上ピン、前記第２下ピン及び前記第２上ピン間に組まれるコンストボールを有する第２ピン群と、前記各コンストコラムに対応して前記シリンダプラグに形成され、前記コンストボールを収納自在であるボール収納穴と、を備え、全てのコンストコラムでなく、１又は複数のコンストコラムに前記第１ピン群を収納し、前記第１ピン群を収納した前記コンストコラム以外の残りのコンストコラムに前記第２ピン群を収納し、前記第１ピン群は、キー挿入前に、前記第１下ピン及び前記第１上ピンの境界を、前記シリンダ胴及び前記シリンダプラグ間に位置して前記コンストコラムに収納され、前記第２ピン群は、キー挿入前に、前記コンストボール及び前記第２上ピンの境界を、前記シリンダ胴及び前記シリンダプラグ間に位置して前記コンストコラムに収納され、前記コンストラクションマスターキーは、前記各シリンダ錠の鍵穴の挿入に伴って、前記各コンストコラムの前記第１及び第２ピン群に対応することなく、前記マスター装置に対応して配置され、前記各チェンジキーは、対応する前記シリンダ錠において、前記コンストコラムの前記第１ピン群に対応して形成される第１ディンプル穴と、前記コンストコラムの前記第２ピン群に対応して形成される非ディンプル部、又は前記第１ディンプル穴より浅い穴深さの第２ディンプル穴を有し、対応する前記シリンダ錠の鍵穴の挿入に伴って、前記第１ディンプル穴により前記第１下ピンを押し動かすことなく保持して、前記第１下ピン及び前記第１上ピンの境界を、前記シリンダ胴及び前記シリンダプラグ間に位置し、対応する前記シリンダ錠の鍵穴の挿入に伴って、前記非ディンプル部又は前記第２ディンプル穴により前記第２下ピンを押し動かして、前記コンストボールを前記胴穴に配置し、前記第２下ピンの前記第２上ピン側の端面を、前記シリンダ胴及び前記シリンダプラグの間に位置することを特徴とするコンストラクションマスター装置である。
【発明の効果】
【０００８】
本発明に係る請求項１によれば、各シリンダ錠のコンストラクション装置は、３以上の複数のコンストコラムを有し、各コンストコラムを選択して第１又は第２ピン群を収納するので、各コンストコラムに対する第１又は第２ピン群を収納する態様（収納パターン）Ｐは、コンストコラムのコラム数ｎ（但し、ｎ＝３，４，５，６，７，…）とすると、第１及び第２ピン群の種類数のｎ乗となる（例えば、第１及び第２ピン群の夫々が１種類であれば、Ｐ＝２ｎとなる）。
各シリンダ錠を操作するためには、第１及び第２ピン群の収納の態様（収納パターン）Ｐとなる、本数の合鍵を複製する必要がある。
また、コンストラクションマスターキーの長溝、及び各チェンジキーの非ディンプル部又は第２ディンプルにおいて、溝深さ及び穴深さ間に多数段差を有して、第２ピン群を押し動かしており、溝深さ及び穴深さの段差数ｍ、及びコンストコラムのコラム数ｎとすると、各シリンダ錠を操作するためには、段差数ｍのｎ乗となる、本数の合鍵を複製する必要がある。
これにより、コンストラクションマスターキーは、各コンストコラムの第１及び第２ピン群に対応する長溝を有するので、コンストラクションマスターキーから、第１及び第２ピン群を収納する態様（収納パターン）Ｐ、溝深さ及び穴深さ間の段差を、容易に想定できず、各シリンダ錠を操作する合鍵を複製することも困難となる。
【０００９】
本発明に係る請求項２によれば、各シリンダ錠のコンストラクション装置は、３以上の複数のコンストコラムを有し、各コンストコラムを選択して第１又は第２ピン群を収納するので、各コンストコラムに対する第１又は第２ピン群を収納する態様（収納パターン）Ｐは、コンストコラムのコラム数ｎ（但し、ｎ＝３，４，５，６，７，…）とすると、第１及び第２ピン群の種類数のｎ乗となる（例えば、第１及び第２ピン群の夫々が１種類であれば、Ｐ＝２ｎとなる）。
各シリンダ錠を操作するためには、第１及び第２ピン群の収納の態様（収納パターン）Ｐとなる、本数の合鍵を複製する必要がある。
また、各チェンジキーの第１ディンプル穴、及び非ディンプル部又は第２ディンプル穴において、穴深さに多数段差を有して、第２ピン群を押し動かしており、穴深さの段差数ｍ、コンストコラム数ｎとすると、各シリンダ錠を操作するためには、段差数ｍのｎ乗となる、本数のチェンジキーを複製する必要がある。
これにより、コンストラクションマスターキーは、各シリンダ錠の鍵穴に伴って、各コンストラクションの第１及び第２ピン群に対応することなく、マスター装置に対応して配置されるので、コンストラクションマスターキーから、第１及び第２ピン群を収納する態様（収納パターン）Ｐ、穴深さの段差を、容易に想定できず、各シリンダ錠を操作する合鍵を複製することも困難となる。
【図面の簡単な説明】
【００１０】
【図１】第１実施形態のコンストラクションマスター装置を示す模式図である。
【図２】シリンダ錠を示す図であって、（ａ）は上面図、（ｂ）は側面図、（ｃ）は正面図である。
【図３】シリンダ錠を構成するシリンダプラグを示す図であって、（ａ）は一方の側面図、（ｂ）は上面図、（ｃ）は他方の側面図である。
【図４】シリンダ錠を構成するシリンダプラグを示す図であって（ａ）は正面図、（ｂ）は図３（ｂ）のＣ−Ｃ断面拡大図である。
【図５】シリンダ錠を構成するシリンダプラグを示す図であって、（ａ）は図４（ａ）のＤ−Ｄ断面拡大図、（ｂ）は図５（ａ）の一部断面拡大図である。
【図６】第１実施形態のコンストラクションマスター装置を構成するシリンダ錠（第１シリンダ錠）を示す図であって、図２（ｂ）のＢ−Ｂ断面拡大図である。
【図７】図６のＥ−Ｅ断面図である。
【図８】第１実施形態のコンストラクションマスター装置の各シリンダ錠（第１及び第２シリンダ錠）を示す図であって、図２（ａ）のＡ−Ａ断面拡大図である。
【図９】第１実施形態のコンストラクションマスター装置において、第１ピン群を示す要部拡大図である。
【図１０】第１実施形態のコンストラクションマスター装置において、第２ピン群を示す要部断面拡大図である。
【図１１】第３ピン群を示す要部断面拡大図である。
【図１２】第４ピン群を示す要部断面拡大図である。
【図１３】第５ピン群を示す要部断面拡大図である。
【図１４】第１実施形態のコンストラクションマスター装置を構成するシリンダ錠（第２シリンダ錠）を示す図であって、図２（ｂ）のＢ−Ｂ断面拡大図である。
【図１５】図１４のＦ−Ｆ断面図である。
【図１６】第１実施形態のコンストラクションマスター装置を構成するコンストラクションマスターキーを示す図であって（ａ）はキー表平面図、（ｂ）はキー側面図、（ｃ）は図１６（ａ）のＧ−Ｇ断面図、（ｄ）は図１６（ａ）のＨ−Ｈ断面図である。
【図１７】第１実施形態のコンストラクションマスター装置を構成するチェンジキー（第１チェンジキー）を示す図であって、（ａ）はキー表平面図、（ｂ）はキー側面図、（ｃ）は図１７（ａ）のＩ−Ｉ断面図である。
【図１８】第１実施形態のコンストラクションマスター装置を構成するチェンジキー（第２チェンジキー）を示す図であって、（ａ）はキー表平面図、（ｂ）はキー側面図、（ｃ）は図１８（ａ）のＪ−Ｊ断面図である。
【図１９】第１実施形態のコンストラクションマスター装置において、工事期間中、コンストラクションマスターキーをシリンダ錠（第１シリンダ錠）の鍵穴に挿入した状態であって、各コンストコラム及び各マスターコラム等を示す断面拡大図である。
【図２０】図１９のＫ−Ｋ断面図である。
【図２１】第１実施形態のコンストラクションマスター装置において、工事期間中、各シリンダ錠（第１及び第２シリンダ錠）に、コンストラクションマスターキーを挿入した状態であって、各固定コラム等を示す断面拡大図である。
【図２２】第１実施形態のコンストラクションマスター装置において、工事期間中、コンストラクションマスターキーをシリンダ錠（第２シリンダ錠）の鍵穴に挿入した状態であって、各コンストコラム及び各マスターコラム等を示す断面拡大図である。
【図２３】図２２のＬ−Ｌ断面図である。
【図２４】第１実施形態のコンストラクションマスター装置において、工事完了後、チェンジキー（第１チェンジキー）をシリンダ錠（第１シリンダ錠）の鍵穴に挿入した状態であって、各コンストコラム及び各マスターコラム等を示す断面拡大図である。
【図２５】図２４のＭ−Ｍ断面図である。
【図２６】第１実施形態のコンストラクションマスター装置において、工事完了後、チェンジキー（第１チェンジキー）をシリンダ錠（第１シリンダ錠）の鍵穴に挿入した状態であって、各固定コラム等を示す断面拡大図である。
【図２７】第１実施形態のコンストラクションマスター装置において、チェンジキー（第１チェンジキー）によりシリンダ錠（第１シリンダ錠）のコンストラクション装置を操作して、コンスト解除した状態を示す断面拡大図である。
【図２８】図２７のＮ−Ｎ断面拡大図である。
【図２９】第１実施形態のコンストラクションマスター装置において、工事完了後に、チェンジキー（第２チェンジキー）をシリンダ錠（第２シリンダ錠）の鍵穴に挿入した状態であって、各コンストコラム及びマスターコラム等を示す断面拡大図である。
【図３０】図２９のＯ−Ｏ断面図である。
【図３１】第１実施形態のコンストラクションマスター装置において、工事完了後に、チェンジキー（第２チェンジキー）をシリンダ錠（第２シリンダ錠）の鍵穴に挿入した状態であって、各固定コラム等を示す断面拡大図である。
【図３２】第１実施形態のコンストラクションマスター装置において、チェンジキー（第２チェンジキー）によりシリンダ錠（第２シリンダ錠）のコンストラクション装置を操作して、コンスト解除した状態を示す断面拡大図である。
【図３３】図３２のＰ−Ｐ断面図である。
【図３４】第１実施形態のコンストラクションマスター装置において、シリンダ錠（第１シリンダ錠）のコンスト解除した後、コンストラクションマスターキーをシリンダ錠（第１シリンダ錠）の鍵穴に挿入した状態を示す断面拡大図である。
【図３５】第１実施形態のコンストラクションマスター装置において、シリンダ錠（第２シリンダ錠）のコンスト解除した後、コンストラクションマスターキーをシリンダ錠（第２シリンダ錠）の鍵穴に挿入した状態を示す図である。
【図３６】第１実施形態のコンストラクションマスター装置において、シリンダ錠（第１シリンダ錠）のコンスト解除した後、チェンジキー（第１チェンジキー）をシリンダ錠（第１シリンダ錠）の鍵穴に挿入した状態を示す断面拡大図である。
【図３７】第１実施形態のコンストラクションマスター装置において、シリンダ錠（第２シリンダ錠）のコンスト解除した後、チェンジキー（第２チェンジキー）をシリンダ錠（第２シリンダ錠）の鍵穴に挿入した状態を示す断面拡大図である。
【図３８】第１実施形態のコンストラクションマスター装置において、シリンダ錠（第１シリンダ錠）のコンスト解除した後、チェンジキー（第２チェンジキー）をシリンダ錠（第１シリンダ錠）の鍵穴に挿入した状態を示す断面拡大図である。
【図３９】第１実施形態のコンストラクションマスター装置において、シリンダ錠（第２シリンダ錠）のコンスト解除した後、チェンジキー（第１チェンジキー）をシリンダ錠（第２シリンダ錠）の鍵穴に挿入した状態を示す断面拡大図である。
【図４０】第２実施形態のコンストラクションマスター装置を示す模式図である。
【図４１】第２実施形態のコンストラクションマスター装置を構成するシリンダ錠（第１シリンダ錠）を示す図であって、図２（ｂ）のＢ−Ｂ断面拡大図である。
【図４２】図４１のａーａ断面図である。
【図４３】第２実施形態のコンストラクションマスター装置を構成するシリンダ錠（第１及び第２シリンダ錠）を示す図であって、図２（ａ）のＡ−Ａ断面拡大図である。
【図４４】第２実施形態のコンストラクションマスター装置において、第１ピン群を示す要部断面拡大図である。
【図４５】第２実施形態のコンストラクションマスター装置において、第２ピン群を示す要部断面拡大図である。
【図４６】第２実施形態を構成するシリンダ錠（第２シリンダ錠）を示す図であって、図２（ｂ）のＢ−Ｂ断面図である。
【図４７】図４６のｂ−ｂ断面図である。
【図４８】第２実施形態のコンストラクションマスター装置を構成するコンストラクションマスターキーを示す図であって、（ａ）はキー表平面図、（ｂ）はキー側面図、（ｃ）は図４８（ａ）のｃ−ｃ断面図である。
【図４９】第２実施形態のコンストラクションマスター装置を構成するチェンジキー（第１チェンジキー）を示す図であって、（ａ）はキー表平面図、（ｂ）はキー側面図、（ｃ）は図４９（ａ）のｄ−ｄ断面図である。
【図５０】第２実施形態のコンストラクションマスター装置を構成するチェンジキー（第２チェンジキー）を示す図であって、（ａ）キー表平面図、（ｂ）はキー側面図、（ｃ）は図５０（ａ）のｅ−ｅ断面図である。
【図５１】第２実施形態のコンストラクションマスター装置において、工事期間中、コンストラクションマスターキーをシリンダ錠（第１シリンダ錠）の鍵穴に挿入した状態であって、各コンストコラム及び各マスターコラム等を示す断面拡大図である。
【図５２】第２実施形態のコンストラクションマスター装置において、工事期間中に各シリンダ錠（第１及び第２シリンダ錠）に、コンストラクションマスターキーを挿入した状態であって、各固定コラム等を示す断面拡大図である。
【図５３】第２実施形態のコンストラクションマスター装置において、工事期間中、コンストラクションマスターキーをシリンダ錠（第２シリンダ錠）の鍵穴に挿入した状態であって、各コンストコラム及び各マスターコラム等を示す断面拡大図である。
【図５４】第２実施形態のコンストラクションマスター装置において、工事完了後に、チェンジキー（第１チェンジキー）をシリンダ錠（第１シリンダ錠）の鍵穴に挿入した状態であって、各コンストコラム及び各マスターコラム等を示す断面拡大図である。
【図５５】図５４のｆ−ｆ断面図である。
【図５６】第２実施形態のコンストラクションマスター装置において、工事完了後、チェンジキー（第１チェンジキー）をシリンダ錠（第１シリンダ錠）の鍵穴に挿入した状態であって、各固定コラム等を示す断面拡大図である。
【図５７】第２実施形態のコンストラクションマスター装置において、チェンジキー（第１チェンジキー）によりシリンダ錠（第１シリンダ錠）のコンストラクション装置を操作して、コンスト解除した状態を示す断面拡大図である。
【図５８】図５７のｇ−ｇ断面図である。
【図５９】第２実施形態のコンストラクションマスター装置において、工事完了後、チェンジキー（第２チェンジキー）をシリンダ錠（第２シリンダ錠）の鍵穴に挿入した状態であって、各コンストコラム及びマスターコラム等を示す断面拡大図である。
【図６０】図５９のｈ−ｈ断面図である。
【図６１】第２実施形態のコンストラクションマスター装置において、工事完了後、チェンジキー（第２チェンジキー）をシリンダ錠（第２シリンダ錠）の鍵穴に挿入した状態であって、各固定コラム等を示す断面拡大図である。
【図６２】第２実施形態のコンストラクションマスター装置において、チェンジキー（第２チェンジキー）によりシリンダ錠（第２シリンダ錠）のコンストラクション装置を操作して、コンスト解除した状態を示す断面拡大図である。
【図６３】図６２のｉ−ｉ断面図である。
【図６４】第２実施形態のコンストラクションマスター装置において、シリンダ錠（第１シリンダ錠）のコンスト解除した後、コンストラクションマスターキーをシリンダ錠（第１シリンダ錠）の鍵穴に挿入した状態を示す断面拡大図である。
【図６５】第２実施形態のコンストラクションマスター装置において、シリンダ錠（第２シリンダ錠）のコンスト解除した後、コンストラクションマスターキーをシリンダ錠（第２シリンダ錠）の鍵穴に挿入した状態を示す図である。
【図６６】第２実施形態のコンストラクションマスター装置において、シリンダ錠（第１シリンダ錠）のコンスト解除した後、チェンジキー（第１チェンジキー）をシリンダ錠（第１シリンダ錠）の鍵穴に挿入した状態を示す断面拡大図である。
【図６７】第２実施形態のコンストラクションマスター装置において、シリンダ錠（第２シリンダ錠）のコンスト解除した後、チェンジキー（第２チェンジキー）をシリンダ錠（第２シリンダ錠）の鍵穴に挿入した状態を示す断面拡大図である。
【図６８】第２実施形態のコンストラクションマスター装置において、シリンダ錠（第１シリンダ錠）のコンスト解除した後、チェンジキー（第２チェンジキー）をシリンダ錠（第１シリンダ錠）の鍵穴に挿入した状態を示す断面拡大図である。
【図６９】第２実施形態のコンストラクションマスター装置において、シリンダ錠（第２シリンダ錠）のコンスト解除した後、チェンジキー（第１チェンジキー）をシリンダ錠（第２シリンダ錠）の鍵穴に挿入した状態を示す断面拡大図である。
【発明を実施するための形態】
【００１１】
本発明に係るコンストラクションマスター装置について、図１乃至図６９を参照して説明する。
以下、第１実施形態のコンストラクションマスター装置Ｘ１、及び第２実施形態のコンストラクションマスター装置Ｘ２について説明する。
【００１２】
＜第１実施形態＞
以下、第１実施形態のコンストラクションマスター装置Ｘ１について、図１乃至図３９を参照して説明する。
【００１３】
図１において、第１実施形態のコンストラクションマスター装置Ｘ１（以下、「コンストラクションマスター装置Ｘ１」という）は、マンション等の建設の工事期間中、コンストラクションマスターキーＭＫ１にて複数のシリンダ錠Ｓ１，Ｓ２，Ｓ３，…を操作（施錠又は解錠）する。コンストラクションマスター装置Ｘ１は、工事完了後、各チェンジキーＣＫ１，ＣＫ２，ＣＫ３，…にて対応する各シリンダ錠Ｓ１，Ｓ２，Ｓ３，…のコンストラクション装置を操作して、コンストラクションマスターキーＭＫ１による操作を不能にする。
なお、説明の便宜上、コンストラクションマスター装置Ｘ１では、第１及び第２シリンダ錠Ｓ１，Ｓ２、コンストラクションマスターキーＭＫ１、及び各シリンダ錠Ｓ１，Ｓ２に対応するチェンジキーＣＫ１，ＣＫ２を備える構成について説明する。
【００１４】
図１乃至図３９において、コンストラクションマスター装置Ｘ１は、複数のシリンダ錠Ｓ１，Ｓ２（第１及び第２シリンダ錠）、コンストラクションマスターキーＭＫ１、及び各シリンダ錠Ｓ１，Ｓ２に対応するチェンジキーＣＫ１，ＣＫ２（第１及び第２チェンジキー）を備える。
【００１５】
＜シリンダ錠Ｓ１＞
図１乃至図３９において、シリンダ錠Ｓ１（第１シリンダ錠）は、シリンダ胴（外筒）５１、シリンダプラグ（内筒）５２、コンストラクション装置Ｙ１、及びマスター装置Ｚ１を備える。
【００１６】
シリンダ胴５１は、図６及び図７に示すように、円形内周穴５３を有する。円形内周穴５３は、穴中心線をシリンダ胴５１の中心線と同心にして配置される。円形内周穴５３は、シリンダ胴５１の中心線方向ＣＬにおいて、シリンダ胴５１を貫通する。円形内周穴５３は、シリンダ胴５１の中心線方向ＣＬにおいて、シリンダ胴５１の各胴端５１Ａ，５１Ｂに開口する。
【００１７】
シリンダプラグ５２は、図３乃至図８に示すように、円柱状に形成され、鍵挿入口５４及び鍵穴５５を有する。
鍵挿入口５４は、シリンダプラグ５２の他方のプラグ端５２Ｂ側に形成される。鍵挿入口５４は、シリンダプラグ５２の中心線方向ＣＬにおいて、シリンダプラグ５２の他方のプラグ端５２Ｂに開口する。
鍵穴５５は、後述する各コンストコラム１２〜１４，１９〜２１のプラグ穴２６に隣接して開口されて、各コンストコラム１２〜１４の穴中心線と直交する上下方向の下端側に延在される。鍵穴５５において、上下方向の下端側の穴端５５Ａは、シリンダプラグ５２の外周５２ａに開口する（図７及び図８参照）。鍵穴５５は、シリンダプラグ５２の中心線方向ＣＬにおいて、シリンダプラグ５２を貫通する。鍵穴５５は、シリンダプラグ５２の中心線方向ＣＬにおいて、シリンダプラグ５２の一方のプラグ端５２Ａ及び鍵挿入口５４に開口する。鍵穴５５は、図４（ｂ）に示すように、シリンダプラグ５２の中心線ＣＴと直交方向に鍵穴幅Ｈを有する。
【００１８】
シリンダプラグ５２は、図６及び図７に示すように、中心線ＣＴをシリンダ胴５１の中心線ＣＴと同心にして、シリンダ胴５１の円形内周穴５３内に配置される。シリンダプラグ５２は、シリンダ胴５１の円形内周穴５３に隙間を隔てて配置される。シリンダプラグ５２は、シリンダ胴５１に対し回動自在として、シリンダ胴５１の円形内周穴５３内に挿入（配置）される。
【００１９】
コンストラクション装置Ｙ１は、図６に示すように、シリンダ錠Ｓ１の鍵挿入口５４（シリンダ胴５１の他方の胴端５１Ｂ）との間にマスター装置Ｚ１を配置して、シリンダ錠Ｓ１（シリンダ胴５１及びシリンダプラグ５２）に備えられる。
コンストラクション装置Ｙ１は、図６、図７、図９及び図１０に示すように、３以上の複数のコンストコラム、例えば、６つのコンストコラム１２〜１４，１９〜２１、複数の第１ピン群Ｐ１、複数の第２ピン群Ｐ２、及び複数のボール収納穴４１〜４６を備える。
【００２０】
各コンストコラム１２〜１４，１９〜２１は、図６に示すように、シリンダ胴５１の一方の胴端５１Ａ側に配置される。各コンストコラム１２〜１４，１９〜２１は、シリンダ胴５１及びシリンダプラグ５２に形成される。
【００２１】
各コンストコラム１２〜１４は、図７に示すように、シリンダ胴５１の周方向において、鍵穴５５の鍵穴幅中心線ＨＬに対し角度：９０度の間隔を隔てて配置される。
各コンストコラム１２〜１４は、シリンダ胴５１の中心線方向ＣＬに穴ピッチＴを隔てて並設される。
【００２２】
各コンストコラム１９〜２１は、図６に示すように、シリンダ胴５１の周方向において、各コンストコラム１２〜１４に対し角度：１８０度の間隔を隔てて配置される。
【００２３】
各コンストコラム１９〜２１は、図６に示すように、シリンダ胴５１の中心線方向ＣＬに穴ピッチＴを隔てて並設される。
各コンストコラム１９〜２１は、シリンダ胴５１の中心線方向ＣＬにおいて、各コンストコラム１２〜１４に対し１／２穴ピッチ（１／２×Ｔ）ずらして配置される。
これにより、シリンダ胴５１の中心線方向ＣＬにおいて、コンストコラム２１は、各コンストコラム１３，１４間に配置され、コンストコラム２０は、各コンストコラム１２，１３間に配置される。コンストコラム１９は、コンストコラム１２よりシリンダ胴５１の他方の胴端５１Ｂ側に配置される。
【００２４】
各コンストコラム１２〜１４，１９〜２１は、胴穴２５、及びプラグ穴２６で構成される。
【００２５】
各コンストコラム１２〜１４，１９〜２１において、胴穴２５は、図６及び図７に示すように、シリンダ胴５１に形成される。胴穴２５は、例えば、円形穴に形成される。胴穴２５は、シリンダ胴５１の径方向において、プラグ穴２６に連続してシリンダ胴５１を貫通する。胴穴２５は、鍵穴５５に向けて延在され、シリンダ胴５１の外周５１ａ及び円形内周穴５３に開口する。
各コンストコラム１２〜１４において、胴穴２５は、シリンダ胴５１の外周５１ａの開口をバネ止板５６で閉塞される。各コンストコラム１９〜２１において、胴穴２５は、シリンダ胴５１の外周５１ａの開口をバネ止板５７で閉塞される。各バネ止板５６，５７は、シリンダ胴５１に固定される。
【００２６】
各コンストコラム１２〜１４，１９〜２１において、プラグ穴２６は、図３乃至図７に示すように、シリンダプラグ５２に形成される。プラグ穴２６は、例えば、円形穴に形成される。プラグ穴２６は、胴穴２５に対応して形成される。プラグ穴２６は、シリンダプラグ５２の径方向において、シリンダプラグ５２を貫通する。プラグ穴２６は、シリンダプラグ５２の外周５２ａ及び鍵穴５５に開口する。プラグ穴２６は、図５（ｂ）に示すように、鍵穴５５側に段部２６Ａを有して縮径されて、鍵穴５５に連通する。
【００２７】
各第１ピン群Ｐ１は、図６、図７及び図９に示すように、第１下ピン３１（下ピン）、第１上ピン３２（上ピン）、及び第１ピンバネ３３を有する。
【００２８】
第１下ピン３１は、図９に示すように、ピン先端面３１Ａ及びピン後端面３１Ｂを有し、ピン先端面３１Ａ側は、段差部３１Ｃを有して縮径される。
第１下ピン３１は、シリンダプラグ５２の外周５２ａから、ピン先端面３１Ａ側をプラグ穴２６内に挿入して、径方向において、プラグ穴２６に摺動自在に配置される。
第１下ピン３１は、段差部３１Ｃをプラグ穴２６の段部２６Ａに当接して、プラグ穴２６内に配置される。これにより、第１下ピン３１は、プラグ穴２６内にてシリンダプラグ５２に保持され、鍵穴５５内に抜け落ちない。
第１下ピン３１において、ピン先端面３１Ａ側は、プラグ穴２６を通して鍵穴５５内に突出される。第１下ピン３１のピン先端面３１Ａは、径方向において、中心線ＣＴより距離τだけ突出して位置される。
【００２９】
第１上ピン３２は、図９に示すように、ピン先端面３２Ａ及びピン後端面３２Ｂを有する。第１上ピン３２は、バネ収納凹所３２Ｃを有し、バネ収納凹所３２Ｃは第１上ピン３２のピン後端面３２Ｂ側に形成される。バネ収納凹所３２Ｃは、第１上ピン３２のピン後端面３２Ｂに開口する。
第１上ピン３２は、シリンダ胴５１の外周５１ａから、ピン先端面３２Ａ側を胴穴２５内に挿入して、径方向において、胴穴２５に摺動自在に配置される。
第１上ピン３２において、ピン先端面３２Ａ側は、胴穴２５を通してプラグ穴２６に突出される。第１上ピン３２のピン先端面３２Ａは、プラグ穴２６内にて第１下ピン３１のピン後端面３１Ｂに当接される。
第１下ピン３１及び第１上ピン３２において、相互に当接する部分は、第１下ピン３１及び第１上ピン３２の境界となる。
【００３０】
第１上ピンバネ３３は、図９に示すように、胴穴２５に配置され、第１上ピン３２のバネ収納凹所３２Ｃに挿入される。第１ピンバネ３３は、胴穴２５内において、バネ収納凹所３２Ｃ及びバネ止板５６間に配置される。第１バネピン３３は、圧縮して、バネ収納凹所３２Ｃの底面及びバネ止板５６に当接される。
これにより、第１ピンバネ３３は、径方向において、バネ力（付勢力）によって第１上ピン３２を第１下ピン３１に付勢する。第１上ピン３２は、第１ピンバネ３３のバネ力（付勢力）により第１下ピン３１に付勢される。
【００３１】
各第１ピン群Ｐ１は、図６、図７及び図９に示すように、例えば、各コンストコラム１３，１９，２１内に収納される。
これにより、シリンダ錠Ｓ１では、全てのコンストコラム１２〜１４，１９〜２１でなく、複数のコンストコラム１３，１９，２１に第１ピン群Ｐ１を収納する。
【００３２】
第２ピン群Ｐ２は、図６、図７及び図１０に示すように、第２下ピン３５（下ピン）、第２上ピン３６（上ピン）、コンストボール３７、及び第２ピンバネ３８を有する。
【００３３】
第２下ピン３５は、図１０に示すように、ピン先端面３５Ａ及びピン後端面３５Ｂを有し、ピン先端面３５Ａ側は、段差部３５Ｃを有して縮径される。第２下ピン３５は、第１下ピン３１より短く形成され、ボール溝穴３５Ｄを有する。ボール溝穴３５Ｄは、第２下ピン３５のピン後端面３５Ｂ側に形成され、第２下ピン３５のピン後端面３５Ｂに開口する。
第２下ピン３５は、シリンダプラグ５２の外周５２ａから、ピン先端面３５Ａ側をプラグ穴２６に挿入して、径方向において、プラグ穴２６に摺動自在に配置される。
第２下ピン３５は、段差部３５Ｃをプラグ穴２６の段部２６Ａに当接して、プラグ穴２６内に配置される。これにより、第２下ピン３５は、プラグ穴２６内にてシリンダプラグ５２に保持され、鍵穴５５内に抜け落ちない。
第２下ピン３５において、ピン先端面３５Ａ側は、プラグ穴２６を通して鍵穴５５内に突出される。第２下ピン３５のピン先端面３５Ａは、径方向において、中心線ＣＴより距離τだけ突出して位置される。
【００３４】
第２上ピン３６は、図１０に示すように、ピン先端面３６Ａ及びピン後端面３６Ｂを有する。第２上ピン３６は、バネ収納凹所３６Ｃを有し、バネ収納凹所３６Ｃは第２上ピン３６のピン後端面３６Ｂ側に形成される。バネ収納凹所３６Ｃは、第２上ピン３６のピン後端面３６Ｂに開口する。
第２上ピン３６は、シリンダ胴５１の外周５１ａから、ピン先端面３６Ａ側を胴穴２５内に挿入して、径方向において、胴穴２６に摺動自在に配置される。
第２上ピン３６において、ピン先端面３６Ａ側は、胴穴２５を通してプラグ穴２６内に突出される。
【００３５】
コンストボール３７は、図１０に示すように、プラグ穴２６に配置（収納）され、第２下ピン３５及び第２上ピン３６間に組込まれる。
コンストボール３７は、第２下ピン３５のボール溝穴３５Ｄに移動自在（抜出自在）として挿入され、第２上ピン３６のピン先端面３６Ａに当接される。
コンストボール３７及び第２上ピン３６において、相互に当接する部分は、コンストボール３７及び第２上ピン３６の境界となる。
【００３６】
第２ピンバネ３８は、図１０に示すように、胴穴２５に配置され、バネ収納凹所３６Ｃに挿入される。第２ピンバネ３８は、胴穴２５内において、バネ収納凹所３６Ｃ及びバネ止板５６（又はバネ止板５７）間に配置される。第２ピンバネ３８は、圧縮して、バネ収納凹所３６Ｃの底面及びバネ止板５６（又はバネ止板５７）に当接される。
これにより、第２ピンバネ３８は、径方向において、バネ力（付勢力）によって第２上ピン３６及びコンストボール３７を第２下ピン３５に付勢する。第２上ピン３６は、第２ピンバネ３８のバネ力（付勢力）により第２下ピン３５に付勢される。
【００３７】
各第２ピン群Ｐ２は、図６、図７及び図１０に示すように、例えば、各コンストコラム１２，１４，２０内に収納される。
これにより、シリンダ錠Ｓ１では、第１ピン群Ｐ１を収納したコンストコラム１３，１９，２１以外の残りのコンストコラム１２，１４，２０に、第２ピン群Ｐ２を収納する。
【００３８】
各ボール収納穴４１〜４６は、図３、図４及び図７に示すように、シリンダプラグ５２に形成され、コンストボール３７を収納自在である。各ボール収納穴４１〜４６は、径方向に穴深さを有し、シリンダプラグ５２の外周５２ａに開口する。各ボール収納穴４１〜４６は、例えば、コンストボール３７の直径より大きい円形穴に形成される。各ボール収納穴４１〜４６において、穴深さは、コンストボール３７の直径より深く形成される。
【００３９】
各ボール収納穴４１〜４３は、各コンストコラム１２〜１４のプラグ穴２６に対応して配置される。各ボール収納穴４１〜４３は、シリンダプラグ５２の周方向において、各コンストコラム１２〜１４のプラグ穴２６に対して角度θ（但し、θ＜９０度）を隔てて配置される。各ボール収納穴４１〜４３は、中心線方向ＣＬに穴ピッチＴを有して並設される。
これにより、ボール収納穴４１は、コンストコラム１２のプラグ穴２６と同円周線上に配置され、ボール収納穴４２は、コンストコラム１３のプラグ穴２６と同円周線上に配置される。ボール収納穴４３は、コンストコラム１４のプラグ穴２６と同円周線上に配置される。
【００４０】
各ボール収納穴４４〜４６は、各コンストコラム１９〜２１のプラグ穴２６に対応して配置される。各ボール収納穴４４〜４６は、シリンダプラグ５２の周方向において、各コンストコラム１９〜２１のプラグ穴２６に対して角度θ（但し、θ＜９０度）を隔てて配置される。各ボール収納穴４４〜４６は、シリンダプラグ５２の周方向において、各ボール収納穴４１〜４３に対して角度：１８０度を隔てて配置される。
各ボール収納穴４４〜４６は、中心線方向ＣＬに穴ピッチＴを有して並設される。
これにより、ボール収納穴４４は、コンストコラム１９のプラグ穴２６と同円周線上に配置され、ボール収納穴４５は、コンストコラム２０のプラグ穴２６と同円周線上に配置される。ボール収納穴４６は、コンストコラム２１のプラグ穴２６と同円周線上に配置される。
【００４１】
マスター装置Ｚ１は、図６に示すように、シリンダ錠Ｓ１の鍵挿入口５４側に配置されて、シリンダ錠Ｓ１（シリンダ胴５１及びシリンダプラグ５２）に備えられる。
マスター装置Ｚ１は、コンストラクションマスターキーＭＫ１と、シリンダ錠Ｓ１に対応するチェンジキーＣＫ１によるシリンダプラグ５２の回転を可能とし、シリンダ錠Ｓ１に対応する以外のチェンジキーＣＫ２によるシリンダプラグ５２の回転を禁止する。
マスター装置Ｚ１は、図６、図７、図１１乃至図１３に示すように、複数のマスターコラム、例えば、６つのマスターコラム９〜１１，１６〜１８、第３ピン群Ｐ３、複数の第３ピン群Ｐ３、複数の第４ピン群Ｐ４、第５ピン群Ｐ５を備える。
【００４２】
各マスターコラム９〜１１、１６〜１８は、図６及び図７に示すように、鍵挿入口５４側（鍵挿入口５４及びコンストラクション装置Ｙ１間）に配置される。各マスターコラム９〜１１，１６〜１８は、シリンダ胴５１及びシリンダプラグ５２に形成される。
【００４３】
各マスターコラム９〜１１は、シリンダ胴５１の周方向において、鍵穴５５の鍵幅中心線ＨＴに角度：９０度の間隔を隔てて配置される。各マスターコラム９〜１１は、中心線方向ＣＬにおいて、コンストコラム１２に連続して配置される。
各マスターコラム９〜１１は、中心線方向ＣＬに穴ピッチＴを隔てて並設される。
また、マスターコラム１１は、中心線方向ＣＬにおいて、コンストコラム１２に穴ピッチＴを隔てて並設される。
【００４４】
各マスターコラム１６〜１８は、図６に示すように、シリンダ胴５１の周方向において、各マスターコラム９〜１１に対し角度：１８０度の間隔を隔てて配置される。各マスターコラム１６〜１８は、中心線方向ＣＬにおいて、コンストコラム１９に連続して配置される。
各マスターコラム１６〜１８は、中心線方向ＣＬに穴ピッチＴを隔てて並設される。また、マスターコラム１８は、中心線方向ＣＬにおいて、コンストコラム１９に穴ピッチＴを隔てて並設される。
各マスターコラム１６〜１８は、中心線方向ＣＬにおいて、各マスターコラム９〜１１に対し１／２穴ピッチ（１／２×Ｔ）ずらして配置される。
これにより、マスターコラム１８は、各マスターコラム１０，１１間に配置され、マスターコラム１７は、各マスターコラム９，１０間に配置される。マスターコラム１６は、マスターコラム９より鍵挿入口５４側に配置される。
また、マスターコラム１１は、中心線方向ＣＬにおいて、コンストコラム１９及びマスターコラム１８間に配置され、コンストコラム１９は、中心線方向ＣＬにおいて、コンストコラム１２及びマスターコラム１１間に配置される。
【００４５】
各マスターコラム９〜１１，１６〜１８は、胴穴２５及びプラグ穴２６で構成される。
各マスターコラム９〜１１，１６〜１８の胴穴２５は、各コンストコラム１２〜１４，１９〜２１の胴穴２５と同一構造であって、径方向において、プラグ穴２６に連続してシリンダ胴５１を貫通する。
各マスターコラム９〜１１の胴穴２５は、図６及び図７に示すように、シリンダ胴５１の外周５１ａの開口をバネ止板５６で閉塞される。各マスターコラム１６〜１８の胴穴２５は、シリンダ胴５１の外周５１ａの開口をバネ止板５７で閉塞される。
【００４６】
各マスターコラム９〜１１，１６〜１８のプラグ穴２６は、図３乃至図７に示すように、各コンストコラム１２〜１４，１９〜２１のプラグ穴２６と同一構造であって、径方向において、胴穴２５に連続されてシリンダプラグ５２を貫通し、更に胴穴２５及び鍵穴５５に開口する。
【００４７】
第３ピン群Ｐ３は、図６及び図１１に示すように、第３下ピン６１（上ピン）、第３上ピン６２（下ピン）、及び第３ピンバネ６３を有する。
【００４８】
第３下ピン６１は、図１１に示すように、ピン先端面６１Ａ及びピン後端面６１Ｂを有し、ピン先端面６１Ａ側は、段差部６１Ｃを有して縮径される。
第３下ピン６１は、シリンダプラグ５２の外周５２ａから、ピン先端面６１Ａ側をプラグ穴２６内に挿入して、径方向において、プラグ穴２６に摺動自在に配置される。
第３下ピン６１は、段差部６１Ｃをプラグ穴２６の段部２６Ａに当接して、プラグ穴２６内に配置される。これにより、第３下ピン６１は、プラグ穴２６内にてシリンダプラグ５２に保持され、鍵穴５５内に抜け落ちない。
第３下ピン６１において、ピン先端面６１Ａ側は、プラグ穴２６を通して鍵穴５５内に突出される。第３下ピン６１の先端面６１Ａは、径方向において、中心線ＣＴより距離τだけ突出して位置される。
【００４９】
第３上ピン６２は、図１１に示すように、ピン先端面６２Ａ及びピン後端面６２Ｂを有する。第３上ピン６２は、ピン後端面６２Ｂ側にバネ収納凹所６２Ｃを有し、バネ収納凹所６２Ｃはピン後端面６２Ｂに開口する。
第３上ピン６２において、ピン先端面６２Ａ側は、ピン先端面６２Ａに向うにしたがって段々に縮径する円錐面を有する。
第３上ピン６２は、シリンダプラグ５２の外周５２ａから、ピン先端面６２Ａ側（円錐面）を胴穴２５に挿入して、径方向において、胴穴２５に摺動自在に配置される。
第３上ピン６２において、ピン先端面６２Ａ側（円錐面）は、胴穴２５を通してプラグ穴２６内に突出される。第３上ピン６２のピン先端面６２Ａは、プラグ穴２６内にて第３下ピン６１のピン後端面６１Ｂに当接される。
第３下ピン６１及び第３上ピン６２において、相互に当接する部分は、第３下ピン６１及び第３上ピン６２の境界となる。
【００５０】
第３ピンバネ６３は、図１１に示すように、胴穴２５内に配置され、バネ収納凹所６２Ｃに挿入される。第３ピンバネ６３は、胴穴２５内において、バネ収納凹所６２Ｃ及びバネ止板５６（又はバネ止板５７）間に配置される。第３ピンバネ６３は、圧縮して、バネ収納凹所６２Ｃの底面及びバネ止板５６（又はバネ止板５７）に当接される。
これにより、第３ピンバネ６３は、径方向において、バネ力（付勢力）によって第３上ピン６２を第３下ピン６１に付勢する。第３上ピン６２は、第３ピンバネ６３のバネ力（付勢力）により第３下ピン６１に付勢される。
【００５１】
各第３ピン群Ｐ３は、図６に示すように、各マスターコラム９，１７，１８に収納される。
【００５２】
第４ピン群Ｐ４は、図６及び図１２に示すように、第４下ピン６４（下ピン）、第４上ピン６５（下ピン）、ＭＫピン６６（中間ピン）、及び第４ピンバネ６７を有する。
【００５３】
第４下ピン６４は、図１２に示すように、ピン先端面６４Ａ及びピン後端面６４Ｂを有し、ピン先端面６４Ａ側は、段差部６４Ｃを有して縮径される。第４下ピン６４は、第３下ピン６１より短く形成される。
第４下ピン６４は、シリンダプラグ５２の外周５２ａから、ピン先端面６４Ａ側をプラグ穴２６に挿入して、径方向において、プラグ穴２６に摺動自在に配置される。
第４下ピン６４は、段差部６４Ｃをプラグ穴２６の段部２６Ａに当接して、プラグ穴２６内に配置される。これにより、第４下ピン６４は、プラグ穴２６内にてシリンダプラグ５２に保持され、鍵穴５５内に抜け落ちない。
第４下ピン６４において、ピン先端面６４Ａ側は、プラグ穴２６を通して鍵穴５５内に突出される。第４下ピン６４のピン先端面６４Ａは、径方向において、中心線ＣＴより距離τだけ突出して位置される。
【００５４】
第４上ピン６５は、図１２に示すように、ピン先端面６５Ａ及びピン後端面６５Ｂを有する。第４上ピン６５は、バネ収納凹所６５Ｃを有し、バネ収納凹所６５Ｃは第４上ピン６５のピン後端面６５Ｂ側に形成される。バネ収納凹所６５Ｃは、第４上ピン６５のピン後端面６５Ｂに開口する。
第４上ピン６５は、シリンダ胴５１の外周５１ａから、ピン先端面６５Ａ側を胴穴２５に挿入して、径方向において、胴穴２５に摺動自在に配置される。
第４上ピン６５において、ピン先端面６５Ａ側は、胴穴２５を通してプラグ穴２６内に突出される。
【００５５】
ＭＫピン６６は、図１２に示すように、ピン先端面６６Ａ及びピン後端面６６Ｂを有する。ＭＫピン６６は、プラグ穴２６に配置される。ＭＫピン６６は、第４下ピン６４及び第４上ピン６５間に組込まれる。
ＭＫピン６６は、ピン先端面６６Ａを第４下ピン６４のピン後端面６４Ｂに当接し、及びピン後端面６６Ｂを第４上ピン６５のピン先端面６５Ａに当接して、径方向において、プラグ穴２６に摺動自在に配置される。
第４下ピン６４及びＭＫピン６６において、相互に当接する部分は、第４下ピン６４及びＭＫピン６６の境界となる。
【００５６】
第４ピンバネ６７は、図１２に示すように、胴穴２５に配置され、バネ収納凹所６５Ｃに挿入される。第４ピンバネ６７は、胴穴２５内において、バネ収納空所６５Ｃ及びバネ止板５６（又はバネ止板５７）間に配置される。第４ピンバネ６７は、圧縮して、バネ収納凹所６５Ｃの底面及びバネ止板５６（又はバネ止板５７）に当接される。
これにより、第４ピンバネ６７は、径方向において、バネ力（付勢力）によって第４上ピン６５及びＭＫピン６６を第４下ピン６４に付勢する。第４上ピン６５は、第４ピンバネ６７のバネ力（付勢力）により第４下ピン６４に付勢される。
【００５７】
各第４ピン群Ｐ４は、図６に示すように、各マスターコラム１０、１６に収納される。
【００５８】
第５ピン群Ｐ５は、図６及び図１３に示すように、第５下ピン６８（下ピン）、第５上ピン６９（上ピン）、及び第５ピンバネ７０を有する。
【００５９】
第５下ピン６８は、図１３に示すように、ピン先端面６８Ａ及びピン後端面６８Ｂを有し、ピン先端面６８Ａ側は、段差部６８Ｃを有して縮径される。第５下ピン６８は、第３及び第４下ピン６１，６４より短く形成される。
第５下ピン６８は、シリンダプラグ５２の外周５２ａから、ピン先端面６８Ａ側をプラグ穴２６に挿入して、径方向において、プラグ穴２６に摺動自在に配置される。
第５下ピン６８は、段差部６８Ｃをプラグ穴２６の段部２６Ａに当接して、プラグ穴２６内に配置される。これにより、第５下ピン６８は、プラグ穴２６内にてシリンダプラグ５２に保持され、鍵穴５５内に抜け落ちない。
第５下ピン６８において、ピン先端面６８Ａ側は、プラグ穴２６を通して鍵穴５５内に突出される。第５下ピン６８のピン先端面６８Ａは、径方向において、中心線ＣＴより距離τだけ突出して配置される。
【００６０】
第５上ピン６９は、図１３に示すように、ピン先端面６９Ａ及びピン後端面６９Ｂを有する。第５上ピン６９は、ピン後端面６９側にバネ収納凹所６９Ｃを有し、バネ収納凹所６９Ｃはピン後端面６９Ｂに開口する。
第５上ピン６９において、ピン先端面６９Ａ側は、ピン先端面６９Ａに向うにしたがって段々に縮径する円錐面を有する。
第５上ピン６９は、シリンダ胴５１の外周５１ａから、ピン先端面６９Ａ側（円錐面）を胴穴２５に挿入して、径方向において、胴穴２５に摺動自在に配置される。
第５上ピン６９において、ピン先端面６９Ａ側（円錐面）は、胴穴２５を通してプラグ穴２６内に突出される。第５上ピン６９のピン先端面６９Ａは、プラグ穴２６内にて第５下ピン６８のピン後端面６８Ｂに当接される。
第５下ピン６８及び第５上ピン６９において、相互に当接する部分は、第５下ピン６８及び第５上ピン６９の境界となる。
【００６１】
第５ピンバネ７０は、図１３に示すように、胴穴２５内に配置され、バネ収納凹所６９Ｃに挿入される。第５ピンバネ７０は、胴穴２５において、バネ収納凹所６９Ｃ及びバネ止板５６間に配置される。第５ピンバネ７０は、圧縮して、バネ収納凹所６９Ｃの底面及びバネ止板５６に当接される。
これにより、第５ピンバネ７０は、径方向において、バネ力（付勢力）によって第５上ピン６９を第５下ピン６８に付勢する。第５上ピン６９は、第５ピンバネ７０のバネ力（付勢力）により第５下ピン６８に付勢される。
【００６２】
第５ピン群Ｐ５は、図６及び図１３に示すように、マスターコラム１１に収納される。
【００６３】
シリンダ錠Ｓ１は、図３乃至図５、図８に示すように、複数の固定コラム、例えば、７つの固定コラム１〜７、複数の第６ピン群Ｐ６、複数の第７ピン群Ｐ７、及び複数の第８ピン群Ｐ８を有する。
【００６４】
各固定コラム１〜７は、図７及び図８に示すように、シリンダ胴５１及びシリンダプラグ５２に形成される。
各固定コラム１〜７は、図７に示すように、シリンダ胴５１の周方向において、鍵穴５５の鍵穴幅中心ＨＴに対して角度：１８０度（各コンストコラム１２〜１４，１９〜２１に対して角度：９０度）の間隔を隔てて配置される。
各固定コラム１〜７は、中心線方向ＣＬに穴ピッチＴを隔てて並設される。
各固定コラム１〜７は、胴穴２５及びプラグ穴２６で構成される。各固定コラム１〜７の胴穴２５は、図８に示すように、各コンストコラム１２〜１４，１９〜２１と同一構造であって、径方向において、シリンダ胴５１を貫通する。
各固定コラム１〜７において、胴穴２５は、シリンダ胴５１の外周５１ａの開口をバネ止板５８で閉塞される。バネ止板５８は、シリンダ胴５１に固定される。
【００６５】
固定コラム１〜７のプラグ穴２６は、図３乃至図５、及び図８に示すように、各コンストコラム１２〜１４，１９〜２１と同一構造であって、径方向において、胴穴２５に連続されてシリンダプラグ５２を貫通し、更に胴穴２５及び鍵穴５５に開口する。
【００６６】
第６ピン群Ｐ６は、図８に示すように、第６下ピン７１（下ピン）、第６上ピン７２（上ピン）、及び第６ピンバネ７３を有する。
第６下ピン７１は、プラグ穴２６内に挿入され、径方向において、プラグ穴２６に摺動自在に配置される。第６下ピン７１は、プラグ穴２６内にてシリンダプラグ５２に保持されて、鍵穴５５に突出する。第６上ピン７２は、胴穴２５内に挿入され、径方向において、胴穴２５に摺動自在に配置される。第６ピンバネ７３は、胴穴２５内に挿入され、第６上ピン７１及びバネ止板５８間に配置される。第６ピンバネ７３は、バネ力（付勢力）によって第６上ピン７２を第６下ピン７１に付勢する。
各第６ピン群Ｐ６は、図８に示すように、各固定コラム１，６に収納される。
【００６７】
第７ピン群Ｐ７は、図８に示すように、第７下ピン７４（下ピン）、第７上ピン７５（上ピン）、及び第７ピンバネ７６を有する。
第７下ピン７４は、第６下ピン７１より短く形成される。第７下ピン７４は、プラグ穴２６内に挿入され、径方向において、プラグ穴２６に摺動自在に配置される。第７下ピン７４は、プラグ穴２６内にてシリンダプラグ５２に保持されて、鍵穴５５に突出する。第７上ピン７５は、胴穴２５及びプラグ穴２６内にわたって挿入され、径方向において、胴穴２５及びプラグ穴２６に摺動自在に配置される。第７ピンバネ７６は、胴穴２５内に挿入され、第７上ピン７５及びバネ止板５８間に配置される。第７ピンバネ７６は、バネ力（付勢力）により第７上ピン７５を第７下ピン７４に付勢する。
各第７ピン群Ｐ７は、図８に示すように、各固定コラム２，３，５に収納される。
【００６８】
第８ピン群Ｐ８は、図８に示すように、第８下ピン７７（下ピン）、第８上ピン７８（上ピン）、及び第８ピンバネ７９を有する。
第８下ピン７７は、第６及び第７下ピン７１，７４より短く形成される。第８下ピン７７は、プラグ穴２６内に挿入され、径方向において、プラグ穴２６に摺動自在に配置される。第８下ピン７７は、プラグ穴２６内にてシリンダプラグ５２に保持されて、鍵穴５５に突出する。第８上ピン７８は、胴穴２５及びプラグ穴２６内にわたって挿入され、径方向において、胴穴２５及びプラグ穴２６に摺動自在に配置される。第８バネピン７９は、胴穴２５内に挿入され、第８上ピン７８及びバネ止板５８間に配置される。第８ピンバネ７９は、バネ力（付勢力）により第８ピン７８を第８下ピン７７に付勢する。
各第８ピン群Ｐ８は、図８に示すように、各固定コラム４，７に収納される。
【００６９】
＜シリンダ錠Ｓ２＞
図１４及び図１５において、シリンダ錠Ｓ２（第２シリンダ錠）は、シリンダ胴５１、シリンダプラグ５２、コンストラクション装置Ｙ２、及びマスター装置Ｚ２を備える。
【００７０】
シリンダ錠Ｓ２において、シリンダ胴５１、及びシリンダプラグ５２は、シリンダ錠Ｓ１と同一構成であって、鍵挿入口５４及び鍵穴５５をシリンダプラグ５２に有する。
【００７１】
コンストラクション装置Ｙ２は、シリンダ錠Ｓ２の鍵挿入口５４との間にマスター装置Ｚ２を配置して、シリンダ錠Ｓ２（シリンダ胴５１及びシリンダプラグ５２）に備えられる。
コンストラクション装置Ｙ２は、図１４及び図１５に示すように、３以上の複数のコンストコラム、例えば、６つのコンストコラム１２〜１４，１９〜２１、複数の第１ピン群Ｐ１、及び複数の第２ピン群Ｐ２、及び複数のボール収納穴４１〜４６を備える。
【００７２】
コンストラクション装置Ｙ２の各コンストコラム１２〜１４，１９〜２１は、図１４及び図１５に示すように、シリンダ錠Ｓ１と同一構成であって、胴穴２５及びプラグ穴２６で構成される（図３及び図４参照）。
【００７３】
コンストラクション装置Ｙ２の第１ピン群Ｐ１は、シリンダ錠Ｓ１（コンストクラクション装置Ｙ１）と同一部材、同一構成であって、第１下ピン３１（下ピン）、第１上ピン３２（上ピン）、及び第１ピンバネ３３を有する（図９参照）。
コンストラクション装置Ｙ２において、各第１ピン群Ｐ１は、図１４及び図１５に示すように、各コンストコラム１２，１４，２０に収納される。
これにより、シリンダ錠Ｓ２では、全てのコンストコラム１２〜１４，１９〜２１でなく、複数のコンストコラム１２，１４，２０に第１ピン群Ｐ１を収納する。
【００７４】
コンストラクション装置Ｙ２の第２ピン群Ｐ２は、シリンダ錠Ｓ１（コンストラクション装置Ｙ１）と同一部材、同一構成であって、第２下ピン３５（下ピン）、第２上ピン３２（上ピン）、コンストボール３７、及び第２ピンバネ３８を有する（図１０参照）。
コンストラクション装置Ｙ２において、第２ピン群Ｐ２は、図１４及び図１５に示すように、例えば、各コンストコラム１３，１９，２１に収納される。
これにより、シリンダ錠Ｓ２では、第１ピン群Ｐ１を収納したコンストコラム１２，１４，２０以外の残りのコンストコラム１３，１９，２１に、第２ピン群Ｐ２を収納する。
【００７５】
コンストラクション装置Ｙ２の各ボール収納穴４１〜４６は、シリンダ錠Ｓ１（コンストラクション装置Ｙ１）と同一構成であって、各コンストコラム１２〜１４，１９〜２１に対応してシリンダプラグ５２に形成される（図３及び図４参照）。
【００７６】
マスター装置Ｚ２は、図１４に示すように、シリンダ錠Ｓ２の鍵挿入口５４側に配置されて、シリンダ錠Ｓ２（シリンダ胴５１及びシリンダプラグ５２）に備えられる。
マスター装置Ｚ２は、コンストラクションマスターキーＭＫ１と、シリンダ錠Ｓ２に対するチェンジキーＣＫ２によるシリンダプラグ５２の回転を可能とし、シリンダ錠Ｓ２に対応する以外のチェンジキーＣＫ１によるシリンダプラグ５２の回転を禁止する。
マスター装置Ｚ２は、図１４及び図１５に示すように、複数のマスターコラム、例えば、６つのマスターコラム９〜１１，１６〜１８、第３ピン群Ｐ３、複数の第４ピン群Ｐ４、及び複数の第５ピン群Ｐ５を備える。
【００７７】
マスター装置Ｚ２において、各マスターコラム９〜１１，１６〜１８は、シリンダ錠Ｓ１（マスター装置Ｚ１）と同一構成であって、胴穴２５及びプラグ穴２６で構成される（図３及び図４参照）。
【００７８】
マスター装置Ｚ２（シリンダ錠Ｓ２）において、第３ピン群Ｐ３は、シリンダ錠Ｓ１（マスター装置Ｚ１）と同一部材、同一構成であって、第３下ピン６１、第３上ピン６２、及び第３ピンバネ６３を有する（図１１参照）。
マスター装置Ｚ２において、第３ピン群Ｐ３は、図１４に示すように、マスターコラム１０に収納される。
【００７９】
マスター装置Ｚ２において、第４ピン群Ｐ４は、シリンダ錠Ｓ１（マスター装置Ｚ１）と同一部材、同一構成であって、第４下ピン６４、第４上ピン６５、ＭＫピン６６（中間ピン）、及び第４ピンバネ６７を有する（図１２参照）。
マスター装置Ｚ２（シリンダ錠Ｓ２）において、各第４ピン群Ｐ４は、図１４に示すように、各マスターコラム１１，１６，１７に収納される。
【００８０】
マスター装置Ｚ２において、第５ピン群Ｐ５は、シリンダ錠Ｓ１（マスター装置Ｚ１）と同一部材、同一構成であって、第５下ピン６８、第５上ピン６９、及び第５ピンバネ７０を有する（図１３参照）。
マスター装置Ｚ２（シリンダ錠Ｓ２）において、各第５ピン群Ｐ５は、図１４に示すように、各マスターコラム９，１８に収納される。
【００８１】
シリンダ錠Ｓ２は、図８に示すように、複数の固定コラム１〜７、第６ピン群Ｐ６、複数の第７ピン群Ｐ７、及び複数の第８ピン群Ｐ８を備える。
シリンダ錠Ｓ２において、各固定コラム１〜７は、シリンダ錠Ｓ１と同一構成であって、胴穴２５及びプラグ穴２６で構成される。
シリンダ錠Ｓ２において、第６ピン群Ｐ６は、各固定コラム１，６に収納され、第７ピン群Ｐ７は、各固定コラム２，３，５に収納される。シリンダ錠Ｓ２において、各第８ピン群Ｐ８は、各固定コラム４，７に収納される。
【００８２】
＜コンストラクションマスターキーＭＫ１＞
コンストラクションマスターキーＭＫ１は、工事期間中、鍵挿入口５４から各シリンダ錠Ｓ１，Ｓ２の鍵穴５５に挿入されて、各シリンダ錠Ｓ１，Ｓ２を操作（施錠又は解錠）する。コンストラクションマスターキーＭＫ１は、リバーシブルキーである。
【００８３】
コンストラクションマスターキーＭＫ１は、図１６に示すように、第１キー穴溝列ｍｒ１、及び第２キー穴溝列ｍｒ２を有し、各キー穴溝列ｍｒ１，ｍｒ２は、キー表平面Ｍａ、及びキー裏平面Ｍｂに形成される。
第１及び第２キー穴溝列ｍｒ１，ｍｒ２は、キー表裏平面Ｍａ，Ｍｂにおいて、キー幅方向に並列される。
コンストラクションマスターキーＭＫ１のキー裏平面Ｍｂにおいて、第１キー穴溝列ｍｒ１は、キー表平面Ｍａの第２キー穴溝列ｍｒ２に対向して形成される。
コンストラクションマスターキーＭＫ１のキー裏平面Ｍｂにおいて、第２キー穴溝列ｍｒ２は、キー表平面Ｍｂの第１キー穴溝列ｍｒ１に対向して形成される。
【００８４】
第１キー穴溝列ｍｒ１は、キー長手方向ＫＮにおいて、長溝ＳＫ１、複数のディンプル穴Ｍ９，Ｍ１０、及び非ディンプル部Ｍ１１を有する。
【００８５】
長溝ＳＫ１は、各シリンダ錠Ｓ１，Ｓ２において、各コンストコラム１２〜１４の第１及び第２ピン群Ｐ１，Ｐ２に対応して形成される。
長溝ＳＫ１は、キー長手方向ＮＫにおいて、キー先端側に形成される。長溝ＳＫ１は、キー長手方向ＮＫにキー先端から延出され、キー表平面Ｍａ又キー裏平面Ｍｂに開口される。長溝ＳＫ１は、キー長手方向ＮＫにわたって同一溝深さであって、例えば、溝深さδ３を有する。
【００８６】
非ディンプル部Ｍ１１は、各シリンダ錠Ｓ１，Ｓ２において、マスターコラム１１の第５及び第４ピン群Ｐ５，Ｐ４に対応して形成される。非ディンプル部Ｍ１１は、キー長手方向ＮＫにおいて、長溝ＳＫ１に並設される。非ディンプル部Ｍ１１は、例えば、穴深さδ１を有して、キー表平面Ｍａ又はキー裏平面Ｍｂでなる。
【００８７】
ディンプル穴Ｍ１０は、各シリンダ錠Ｓ１，Ｓ２において、各マスターコラム１０の第３及び第４ピン群Ｐ３，Ｐ４に対応して形成される。ディンプル穴Ｍ１０は、キー長手方向ＮＫにおいて、非ディンプル部Ｍ１１に並設される。ディンプル穴Ｍ１０は、例えば、穴深さδ３を有し、キー表平面Ｍａ又はキー裏平面Ｍｂに開口される。
【００８８】
ディンプル穴Ｍ９は、各シリンダ錠ＳＫ１，Ｓ２において、マスターコラム９の第３及び第５ピン群Ｐ３，Ｐ５に対応して形成される。ディンプル穴Ｍ９は、キー長手方向ＮＫにおいて、ディンプル穴Ｍ１０に並設される。ディンプル穴Ｍ９は、例えば、穴深さδ２を有し、キー表平面Ｍａ又はキー裏平面Ｍｂに開口される。
なお、穴深さδ１は、穴深さ「零（δ１＝０）」である。溝深さδ３、各穴深さδ１，δ２の関係は、δ３＞δ２＞δ１であって、穴深さδ２は溝深さδ３より浅い深さである（以下、同様）。
【００８９】
第２キー穴溝列ｍｒ２は、キー長手方向ＮＫにおいて、長溝ＳＫ２、複数のディンプル穴Ｍ１８，Ｍ１７、及び非ディンプル部Ｍ１６を有する。
【００９０】
長溝ＳＫ２は、各シリンダ錠ＳＫ１，Ｓ２において、各コンストコラム１９〜２１の第１及び第２ピン群Ｐ１，Ｐ２に対応して形成される。
長溝ＳＫ２は、キー長手方向ＮＫの先端側に形成される。長溝ＳＫ２は、キー長手方向ＮＫにキー先端から延出され、キー表平面Ｍａ又はキー裏平面Ｍｂに開口される。
長溝ＳＫ２は、キー長手方向ＮＫにわたって同一溝深さであって、例えば、長溝ＳＫ１と同一溝深さであって、溝深さδ３を有する。
【００９１】
ディンプル穴Ｍ１８は、各リンダ錠Ｓ１，Ｓ２において、マスターコラム１８の第３及び第５ピン群Ｐ３，Ｐ５に対応して形成される。ディンプル穴Ｍ１８は、キー長手方向ＮＫにおいて、長溝Ｓ２に並設される。ディンプル穴Ｍ１８は、例えば、穴深さδ２を有して、キー表平面Ｍａ又はキー裏平面Ｍｂに開口される。
【００９２】
ディンプル穴Ｍ１７は、各シリンダ錠Ｓ１，Ｓ２において、マスターコラム１７の第３及び第４ピン群Ｐ３，Ｐ４に対応して形成される。ディンプル穴Ｍ１７は、キー長手方向ＮＫにおいて、ディンプル穴１８に並設される。ディンプル穴Ｍ１７は、例えば、穴深さδ３を有し、キー表平面Ｍａ又はキー裏平面Ｍｂに開口される。
【００９３】
非ディンプル穴部Ｍ１６は、各シリンダ錠Ｓ１，Ｓ２において、マスターコラム１６の第４ピン群Ｐ４に対応して形成される。非ディンプル部Ｍ１６は、キー長手方向ＮＫにおいて、ディンプル穴Ｍ１７に並設される。非ディンプル部Ｍ１６は、例えば、穴深さδ１を有して、キー表平面Ｍａ又はキー裏平面Ｍｂでなる。
【００９４】
コンストラクションマスターキーＭＫ１は、複数のディンプル穴Ｍ１〜Ｍ３，Ｍ５、Ｍ６、及び非ディンプル部Ｍ４，Ｍ７を有する。
各ディンプル穴Ｍ１〜Ｍ３，Ｍ５，Ｍ６、及び非ディンプル部Ｍ４，Ｍ７は、各キー側面に形成される。
各ディンプル穴Ｍ１〜Ｍ３，Ｍ５，Ｍ６は、各シリンダ錠Ｓ１，Ｓ２において、各固定コラム１〜３の第６及び第７ピン群Ｐ６，Ｐ７に対応して形成される。各ディンプル穴Ｍ１，Ｍ６は、例えば、穴深さδ３を有して、各キー側面に開口される。各ディンプル穴Ｍ２，Ｍ５は、例えば、穴深さδ２を有して、各キー側面に開口される。
各非ディンプル部Ｍ４，Ｍ７は、各シリンダ錠Ｓ１，Ｓ２において、各固定コラム４，７の第８ピン群Ｐ８に対応して形成される。各非ディンプル部Ｍ４，Ｍ７は、例えば、穴深さδ１を有する。
【００９５】
＜チェンジキーＣＫ１＞
チェンジキーＣＫ１（第１チェンジキー）は、シリンダ錠Ｓ１に対応して設けられる。チェンジキーＣＫ１は、工事完了後、鍵挿入口５４から対応するシリンダ錠Ｓ１の鍵穴５５に挿入され、シリンダ錠Ｓ１を操作（施錠又は解錠）する。チェンジキーＣＫ１は、リバーシブルキーである。
チェンジキーＣＫ１は、図１７に示すように、第１キー穴列ｃｒ１、及び第２キー穴列ｃｒ２を有し、第１及び第２キー穴列ｃｒ１，ｃｒ２は、キー表平面Ｃａ及びキー裏平面Ｃｂに形成される。
第１及び第２キー穴列ｃｒ１，ｃｒ２は、キー表裏平面Ｃａ，Ｃｂにおいて、キー幅方向ＮＨに並列される。
チェンジキーＣＫ１のキー裏平面Ｃｂにおいて、第１キー穴列ｃｒ２は、キー表平面Ｃａの第２キー穴列ｃｒ１に対向して形成される。
チェンジキーＣＫ１のキー裏平面Ｃｂにおいて、第２キー穴列ｃｒ１は、キー表平面Ｃａの第１キー穴列ｃｒ１に対向して形成される。
【００９６】
第１キー穴列ｃｒ１は、複数の非ディンプル部Ｃ１４，Ｃ１２，Ｃ１０、及び複数のディンプル穴Ｃ１３，Ｃ１１，Ｃ９を有する。
【００９７】
非ディンプル部Ｃ１４は、シリンダ錠Ｓ１において、コンストコラム１４の第２ピン群Ｐ２に対応して形成される。非ディンプル部Ｃ１４は、キー長手方向ＮＫにおいて、キー先端側に形成される。非ディンプル部Ｃ１４は、例えば、穴深さδ１を有して、キー表平面Ｃａ又はキー裏平面Ｃｂでなる。
【００９８】
非ディンプル部Ｃ１２は、シリンダ錠Ｓ１において、コンストコラム１２の第２ピン群Ｐ２に対応して形成される。非ディンプル部Ｃ１２は、キー長手方向ＮＫにおいて、非ディンプル部Ｃ１４に並設される。非ディンプル部Ｃ１２は、例えば、穴深さδ１を有して、キー表平面Ｃａ又はキー裏平面Ｃｂでなる。
【００９９】
非ディンプル部Ｃ１０は、シリンダ錠Ｓ１において、マスターコラム１０の第４ピン群Ｐ４に対応して形成される。非ディンプル部Ｃ１０は、キー長手方向ＮＫにおいて、非ディンプル部Ｃ１２に並設される。非ディンプル部Ｃ１０は、例えば、穴深さδ１を有して、キー表平面Ｃａ又はキー裏平面Ｃｂでなる。
【０１００】
ディンプル穴Ｃ１３（第１ディンプル穴）は、シリンダ錠Ｓ１において、コンストコラム１３の第１ピン群Ｐ１に対応して形成される。ディンプル穴Ｃ１３は、キー長手方向ＮＫにおいて、各非ディンプル部Ｃ１４，Ｃ１２間に配置されて、各非ディンプル部Ｃ１４，Ｃ１２に並設される。ディンプル穴Ｃ１３は、例えば、穴深さδ３を有して、キー表平面Ｃａ又はキー裏平面Ｃｂに開口される。
【０１０１】
ディンプル穴Ｃ１１は、シリンダ錠Ｓ１において、マスターコラム１１の第５ピン群Ｐ５に対応して形成される。ディンプル穴Ｃ１１は、キー長手方向ＮＫにおいて、各非ディンプル部Ｃ１２，Ｃ１０間に配置されて、各非ディンプル部Ｃ１２，Ｃ１０に並設される。ディンプル穴Ｃ１１は、例えば、前記のコンストラクションマスターキーＭＫ１の各長溝ＳＫ１，ＳＫ１と同一の穴深さδ２を有して、キー表平面Ｃａ又はキー裏平面Ｃｂに開口される。
【０１０２】
ディンプル穴Ｃ９は、シリンダ錠Ｓ１において、マスターコラム９の第３ピン群Ｐ３に対応して形成される。ディンプル穴Ｃ９は、キー長手方向ＮＫにおいて、非ディンプル部Ｃ１０に並設される。ディンプル穴Ｃ９は、例えば、穴深さδ３を有して、キー表平面Ｃａ又はキー裏平面Ｃｂに開口される。
【０１０３】
第２キー穴列ｃｒ２は、複数のディンプル穴Ｃ２１，Ｃ１９，Ｃ１８，Ｃ１７，Ｃ１６、及び非ディンプル部Ｃ２０を有する。
【０１０４】
ディンプル穴Ｃ２１（第１ディンプル穴）は、シリンダ錠Ｓ１において、コンストコラム２１の第１ピン群Ｐ１に対応して形成される。ディンプル穴Ｃ２１は、キー長手方向ＮＫにおいて、キー先端側に形成される。ディンプル穴Ｃ２１は、例えば、穴深さδ３を有して、キー表平面Ｃａ又はキー裏平面Ｃｂに開口される。
【０１０５】
ディンプル穴Ｃ１９（第１ディンプル穴）は、シリンダ錠Ｓ１において、コンストコラム２０の第１ピン群Ｐ１に対応して形成される。ディンプル穴Ｃ１９は、キー長手方向ＮＫにおいて、ディンプル穴Ｃ２１に並設される。ディンプル穴Ｃ１９は、例えば、穴深さδ３を有して、キー表平面Ｃａ又はキー裏平面Ｃｂに開口される。
【０１０６】
ディンプル穴Ｃ１８は、シリンダ錠Ｓ１において、マスターコラム１８の第３ピン群Ｐ３に対応して形成される。ディンプル穴Ｃ１８は、キー長手方向ＮＫにおいて、ディンプル穴Ｃ１９に並設される。ディンプル穴Ｃ１８は、例えば、穴深さδ３を有して、キー表平面Ｃａ又はキー裏平面Ｃｂに開口される。
【０１０７】
ディンプル穴Ｃ１７は、シリンダ錠Ｓ１において、マスターコラム１７の第３ピン群Ｐ３に対応して形成される。ディンプル穴Ｃ１７は、キー長手方向ＮＫにおいて、ディンプル穴Ｃ１８に並設される。ディンプル穴Ｃ１７は、例えば、穴深さδ２を有して、キー表平面Ｃａ又はキー裏平面Ｃｂに開口される。
【０１０８】
ディンプル穴Ｃ１６は、シリンダ錠Ｓ１において、マスターコラム１６の第４ピン群Ｐ４に対応して形成される。ディンプル穴Ｃ１６は、キー長手方向ＮＫにおいて、ディンプル穴Ｃ１７に並設される。ディンプル穴Ｃ１６は、例えば、穴深さδ３を有して、キー表平面Ｃａ又はキー裏平面Ｃｂに開口される。
【０１０９】
非ディンプル部Ｃ２０は、シリンダ錠Ｓ１において、コンストコラム２０の第２ピン群Ｐ２に対応して形成される。非ディンプル部Ｃ２０は、キー長手方向ＮＫにおいて、各ディンプル穴Ｃ２１，Ｃ１９間に配置されて、各ディンプル穴Ｃ２１，Ｃ１９に並設される。非ディンプル部Ｃ２０は、例えば、穴深さδ１を有して、キー表平面Ｃａ又はキー裏平面Ｃｂでなる。
【０１１０】
チェンジキーＣＫ１は、複数の非ディンプル部Ｃ７，Ｃ４、及び複数のディンプル穴Ｃ６，Ｃ５，Ｃ３，Ｃ２，Ｃ１を有する。
各非ディンプル部Ｃ７，Ｃ４は、コンストラクションマスターキーＭＫ１の各非ディンプル部Ｍ７，Ｍ４と同一構成であって、各キー側面に形成される。
各ディンプル穴Ｃ６，Ｃ５，Ｃ３，Ｃ２，Ｃ１は、コンストラクションマスターキーＭＫ１の各ディンプル穴Ｍ６，Ｍ５，Ｍ３，Ｍ２，Ｍ１と同一構成であって、各キー側面に形成される。
【０１１１】
＜チェンジキーＣＫ２＞
チェンジキーＣＫ２（第２チェンジキー）は、シリンダ錠Ｓ２に対応して設けられる。チェンジキーＣＫ２は、工事完了後、鍵挿入口５４から対応するシリンダ錠Ｓ２の鍵穴５５に挿入され、シリンダ錠Ｓ２を操作（施錠又は解錠）する。チェンジキーＣＫ２は、リバーシブルキーである。
チェンジキーＣＫ２は、図１８に示すように、第１キー穴列ｄｒ１、及び第２キー穴列ｄｒ２を有し、第１及び第２キー穴列ｄｒ１，ｄｒ２は、キー表平面Ｄａ及びキー裏平面Ｄｂに形成される。
第１及び第２キー穴列ｄｒ１，ｄｒ２は、キー表裏平面Ｄａ，Ｄｂにおいて、キー幅方向ＫＨに並列される。
チェンジキーＣＫ２のキー裏平面Ｄｂにおいて、第１キー穴列ｄｒ１は、キー表平面Ｄａの第２キー穴列ｄｒ２に対向して形成される。
チェンジキーＣＫ２のキー裏平面Ｄｂにおいて、第２キー穴群ｄｒ２は、キー表平面Ｄａの第１キー穴列ｄｒ１に対向して形成される。
【０１１２】
第１キー穴群ｄｒ１は、複数のディンプル穴Ｄ１４，Ｄ１２，Ｄ１１，Ｄ１０、及び複数の非ディンプル部Ｄ１３，Ｄ９を有する。
【０１１３】
ディンプルＤ１４（第１ディンプル穴）は、シリンダ錠Ｓ２において、コンストコラム１４の第１ピン群Ｐ１に対応して形成される。ディンプル穴Ｄ１４は、キー長手方向ＮＫにおいて、キー先端側に形成される。ディンプル穴Ｄ１４は、例えば、穴深さδ３を有して、キー表平面Ｄａ又はキー裏平面Ｄｂに開口される。
【０１１４】
ディンプル穴Ｄ１２（第１ディンプル穴）は、シリンダ錠Ｓ２において、コンストコラム１２の第１ピン群Ｐ１に対応して形成される。ディンプル穴Ｄ１２は、キー長手方向ＮＫにおいて、ディンプル穴Ｄ１４に並設される。ディンプル穴Ｄ１２は、例えば、穴深さδ３を有して、キー表平面又はキー裏平面に開口される。
【０１１５】
ディンプル穴Ｄ１１は、シリンダ錠Ｓ２において、マスターコラム１１の第４ピン群Ｐ４に対応して形成される。ディンプル穴Ｄ１１は、キー長手方向ＮＫにおいて、ディンプル穴Ｄ１２に並設される。ディンプル穴Ｄ１１は、例えば、穴深さδ３を有して、キー表平面Ｄａ又はキー裏平面Ｄｂに開口される。
【０１１６】
ディンプル穴Ｄ１０は、シリンダ錠Ｓ２において、マスターコラム１０の第３ピン群Ｐ３に対応して形成される。ディンプル穴Ｄ１０は、キー長手方向ＮＫにおいて、ディンプル穴Ｄ１１に並設される。ディンプル穴Ｄ１０は、例えば、穴深さδ３を有して、キー表平面Ｄａ又はキー裏平面Ｄｂに開口される。
【０１１７】
非ディンプル部Ｄ１３は、シリンダ錠Ｓ２において、コンストコラム１３の第２ピン群Ｐ２に対応して形成される。非ディンプル部Ｄ１３は、キー長手方向ＮＫにおいて、各ディンプル穴Ｄ１４，Ｄ１２間に配置されて、各ディンプル穴Ｄ１４，Ｄ１２に並設される。非ディンプル部Ｄ１３は、例えば、穴深さδ１を有して、キー表平面Ｄａ又はキー裏平面Ｄｂでなる。
【０１１８】
非ディンプル部Ｄ９は、シリンダ錠Ｓ２において、マスターコラム９の第５ピン群Ｐ５に対応して形成される。非ディンプル部Ｄ９は、キー長手方向ＮＫにおいて、ディンプル穴Ｄ１０に並設される。非ディンプル部Ｄ９は、例えば、穴深さδ１を有して、キー表平面Ｄａ又はキー裏平面Ｄｂでなる。
【０１１９】
第２キー穴列ｄｒ２は、複数の非ディンプル部Ｄ２１，Ｄ１９，Ｄ１８，Ｄ１７、及び複数のディンプル穴Ｄ２０，Ｄ１６を有する。
【０１２０】
非ディンプル部Ｄ２１は、シリンダ錠Ｓ２において、コンストコラム２１の第２ピン群Ｐ２に対応して形成される。非ディンプル部Ｄ２１は、キー長手方向ＮＫにおいて、キー先端側に形成される。非ディンプル部Ｄ２１は、例えば、穴深さδ１を有して、キー表平面Ｄａ又はキー裏平面Ｄｂでなる。
【０１２１】
非ディンプル部Ｄ１９は、シリンダ錠Ｓ２において、コンストコラム１９の第２ピン群Ｐ２に対応して形成される。非ディンプル部Ｄ１９は、キー長手方向ＮＫにおいて、非ディンプル部Ｄ２１に並設される。非ディンプル部Ｄ１９は、例えば、穴深さδ１を有して、キー表平面Ｄａ又はキー裏平面Ｄｂでなる。
【０１２２】
非ディンプル部Ｄ１８は、シリンダ錠Ｓ２において、マスターコラム１８の第５ピン群Ｐ５に対応して形成される。非ディンプル部Ｄ１８は、キー長手方向ＮＫにおいて、非ディンプル部Ｄ１９に並設される。非ディンプル部Ｄ１８は、例えば、穴深さδ１を有して、キー表平面Ｄａ又はキー裏平面Ｄｂでなる。
【０１２３】
非ディンプル部Ｄ１７は、シリンダ錠Ｓ２において、マスターコラム１７の第４ピン群Ｐ４に対応して形成される。非ディンプル部Ｄ１７は、キー長手方向ＮＫにおいて、非ディンプル部Ｄ１８に並設される。非ディンプル部Ｄ１７は、例えば、穴深さδ１を有して、キー表平面Ｄａ又はキー裏平面Ｄｂでなる。
【０１２４】
ディンプル穴Ｄ２０（第１ディンプル穴）は、シリンダ錠Ｓ２において、コンストコラム２０の第１ピン群Ｐ１に対応して形成される。ディンプル穴Ｄ２０は、キー長手方向ＮＫにおいて、各非ディンプル部Ｄ２１，Ｄ１９間に配置されて、各非ディンプル部Ｄ２１，Ｄ１９に並設される。ディンプル穴Ｄ２１は、例えば、穴深さδ３を有して、キー表平面Ｄａ又はキー裏平面Ｄｂに開口される。
【０１２５】
ディンプル穴Ｄ１６は、シリンダ錠Ｓ２において、マスターコラム１６の第４ピン群Ｐ４に対応して形成される。ディンプル穴Ｄ１６は、キー長手方向ＮＫにおいて、非ディンプル部Ｄ１７に並設される。ディンプル穴Ｄ１６は、例えば、穴深さδ３を有して、キー表平面Ｄａ又はキー裏平面Ｄｂに開口される。
【０１２６】
チェンジキーＣＫ２は、複数の非ディンプル部Ｄ７，Ｄ４、及び複数のディンプル穴Ｄ６，Ｄ５，Ｄ３，Ｄ２，Ｄ１を有する。
各非ディンプル部Ｄ７，Ｄ４は、コンストラクションマスターキーＭＫ１の各非ディンプル部Ｍ７，Ｍ４と同一構造であって、各キー側面に開口される。  
各ディンプル穴Ｄ６，Ｄ５，Ｄ３，Ｄ２，Ｄ１は、コンストラクションマスターキーＭＫ１の各ディンプル穴Ｍ６，Ｍ５，Ｍ３，Ｍ２，Ｍ１と同一構成であって、各キー側面に開口される。
【０１２７】
コンストラクションマスター装置Ｘ１は、工事期間中、コンストラクションマスターキーＭＫ１にて各シリンダ錠Ｓ１，Ｓ２を操作（施錠又は解錠）する。
【０１２８】
工事期間中にシリンダ錠Ｓ１を操作するため、コンストラクションマスターキーＭＫ１は、図１９乃至図２１に示すように、シリンダ錠Ｓ１の鍵挿入口５４から鍵穴５５に挿入され、各長溝ＳＫ１，ＳＫ２を各コンストコラム１２〜１４，１９〜２１の第１及び第２ピン群Ｐ１，Ｐ２に対応して配置する。
また、コンストラクションマスターキーＭＫ１は、各非ディンプル部Ｍ１１，Ｍ１６を各マスターコラム１１，１６の第４及び第５ピン群Ｐ４，Ｐ５に対応して配置し、及び各ディンプル穴Ｍ９，Ｍ１０，Ｍ１７，Ｍ１８を各マスターコラム９，１０，１７，１８の第３及び第４ピン群Ｐ３，Ｐ４に対応して配置する。
更に、コンストラクションマスターキーＭＫ１は、非ディンプル部Ｍ４，Ｍ７、及び各ディンプル穴Ｍ１〜Ｍ３，Ｍ５，Ｍ６を各固定コラム１〜７の第６〜第８ピン群Ｐ６〜Ｐ８に対応して配置する。
【０１２９】
コストラクションマスターキーＭＫ１は、図１９及び図２０に示すように、シリンダ錠Ｓ１の鍵穴５５の挿入に伴って、各長溝ＳＫ１，ＳＫ２により各コンストコラム１３，１９，２１の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
コンストラクションマスターキーＭＫ１は、シリンダ錠Ｓ１の鍵穴５５の挿入に伴って、各長溝ＳＫ１，ＳＫ２により各コンストコラム１２，１４，２０の第２下ピン３５（第２ピン群Ｐ２）を第２ピンバネ３８に抗して押し動かして、コンストボール３７をプラグ穴２６内に配置しつつ、コンストボール３７及び第２上ピン３６の境界を、シリンダ胴５１及びシリンダプラグ５２間に位置（配置）する。
なお、シリンダ胴５１及びシリンダプラグ５２間とは、シリンダ胴５１の円形内周穴５３の内周、及びシリンダプラグ５２の外周の間（隙間）である（以下、同様）。
【０１３０】
また、コンストラクションマスターキーＭＫ１は、図１９及び図２０に示すように、シリンダ錠Ｓ１の鍵穴５５の挿入に伴って、非ディンプル部Ｍ１１によりマスターコラム１１の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
更に、コンストラクションマスターキーＭＫ１は、鍵穴５５の挿入に伴って、非ディンプル部Ｍ１６によりマスターコラム１６の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に配置（位置）する。このとき、ＭＫピン６６は、マスターコラム１６の胴穴２５内に収納される。
また、コンストラクションマスターキーＭＫ１は、鍵穴５５の挿入に伴って、ディンプル穴Ｍ９，Ｍ１７，Ｍ１８により各マスターコラム９，１７，１８の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
コンストラクションマスターキーＭＫ１は、鍵穴５５の挿入に伴って、ディンプル穴Ｍ１０によりマスターコラム１０の第４下ピン６４（第４ピン群Ｐ４）を第４ピンバネ６７に抗して押し動かして、第４上ピン６５及びＭＫピン６６の境界を、シリンダ胴５１及びシリンダプラグ５２間に位置（配置）する。このとき、ＭＫピン６６は、マスターコラム１０のプラグ穴２６内に収納される。
【０１３１】
コンストラクションマスターキーＭＫ１は、図２１に示すように、シリンダ錠Ｓ１の鍵穴５５の挿入に伴って、各非ディンプル部Ｍ４，Ｍ７、及び各ディンプル穴Ｍ１〜Ｍ３，Ｍ５，Ｍ７により各固定コラム１〜７の第６〜第８下ピン７１，７４，７７を押し動かして、第６〜第８下ピン７１，７４，７７及び第６〜第８上ピン７２，７５，７８の境界を、シリンダ胴５１及びシリンダプラグ５２間に位置（配置）する。
これにより、シリンダ錠Ｓ１において、コンストラクション装置Ｙ１、及びマスター装置Ｚ１は、コンストラクションマスターキーＭＫ１によるシリンダ錠Ｓ１のシリンダプラグ５２の回転を可能とし、コンストラクションマスターキーＭＫ１によりシリンダプラグ５２を回転することで、シリンダ錠Ｓ１を施錠又は解錠する。
なお、各マスターコラム９，１１，１７，１８の第３及び第５上ピン６２，６９は、シリンダプラグ５２の回転に伴って、ピン先端面側（円錐面）及びシリンダプラグ５２のプラグ穴２６内周との当接により第３及び第５ピンバネ６３，７０に抗して各マスターコラム１１，１７，１８の胴穴２５内に押し動かされて収納される。
【０１３２】
工事期間中にシリンダ錠Ｓ２を操作するため、コンストラクションマスターキーＭＫ１は、図２２及び至図２３に示すように、シリンダ錠Ｓ２の鍵挿入口５４から鍵穴５５に挿入され、各長溝ＳＫ１，ＳＫ２を各コンストコラム１２〜１４，１９〜２１の第１及び第２ピン群Ｐ１，Ｐ２に対応して配置する。
また、コンストラクションマスターキーＭＫ１は、各非ディンプル部Ｍ１１，Ｍ１６を各マスターコラム１１，１６の第４ピン群Ｐ４に対応して配置し、各ディンプル穴Ｍ９，Ｍ１０，Ｍ１７，Ｍ１８を各マスターコラム９，１０，１７，１８の第３〜第５ピン群Ｐ３〜Ｐ３に対応して配置する。
更に、コンストラクションマスターキーＭＫ１は、非ディンプル部Ｍ４，Ｍ７、及び各ディンプル穴Ｍ１〜Ｍ３，Ｍ５，Ｍ６を各固定コラム１〜７の第６〜第８ピン群Ｐ６〜Ｐ８に対応して配置する。
【０１３３】
コストラクションマスターキーＭＫ１は、図２２及び図２３に示すように、シリンダ錠Ｓ２の穴５５の挿入に伴って、各長溝ＳＫ１，ＳＫ２により各コンストコラム１２，１４，２０の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
コンストラクションマスターキーＭＫ１は、シリンダ錠Ｓ２の鍵穴５５の挿入に伴って、各長溝ＳＫ１，ＳＫ２により各コンストコラム１３，１９，２１の第２下ピン３５（第２ピン群Ｐ２）を第２ピンバネ３８に抗して押し動かして、コンストボール３７をプラグ穴２６内に配置しつつ、コンストボール３７及び第２上ピン３６の境界を、シリンダ胴５１及びシリンダプラグ５２間に位置（配置）する。
【０１３４】
また、コンストラクションマスターキーＭＫ１は、図２２及び図２３に示すように、シリンダ錠Ｓ２の鍵穴５５の挿入に伴って、非ディンプル部Ｍ１１，Ｍ１６により各マスターコラム１１，１６の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、マスターコラム１１，１６の胴穴２５内に収納される。
更に、コンストラクションマスターキーＭＫ１は、鍵穴５５の挿入に伴って、ディンプル穴Ｍ１０によりマスターコラム１０の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
コンストラクションマスターキーＭＫ１は、鍵穴５５の挿入に伴って、各ディンプル穴Ｍ９，Ｍ１８により各マスターコラム９，１８の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
また、コンストラクションマスターキーＭＫ１は、鍵穴５５の挿入に伴って、ディンプル穴Ｍ１７によりマスターコラム１７の第４下ピン６４（第４ピン群Ｐ４）を第４ピンバネ６７に抗して押し動かして、第４上ピン６４及びＭＫピン６６の境界を、シリンダ胴５１及びシリンダプラグ５２間に位置（配置）する。このとき、ＭＫピン６６は、マスターコラム１７の胴穴２５内に収納される。
【０１３５】
コンストラクションマスターキーＭＫ１は、図２１に示すように、シリンダ錠Ｓ２の鍵穴５５の挿入に伴って、各非ディンプル部Ｍ４，Ｍ７、及び各ディンプル穴Ｍ１〜Ｍ３，Ｍ５，Ｍ７により各固定コラム１〜７の第６〜第８下ピン７１，７４，７７（第６〜第８ピン群Ｐ６〜Ｐ８）を押し動かして、第６〜第８下ピン７１，７４，７７及び第６〜第８上ピン７２，７５，７８の境界を、シリンダ胴５１及びシリンダプラグ５２間に位置（配置）する。
これにより、シリンダ錠Ｓ２において、コンストラクション装置Ｙ２、及びマスター装置Ｚ２は、コンストラクションマスターキーＭＫ１によるシリンダ錠Ｓ２の操作を可能とし、コンストラクションマスターキーＭＫ１によりシリンダプラグ５２を回転することで、シリンダ錠Ｓ２を施錠又は解錠する。
なお、各マスターコラム９，１０，１８の第３及び第５上ピン６２，６９は、シリンダプラグ５２の回転に伴って、ピン先端面側（円錐面）及びシリンダプラグ５２プラグ穴２６内周との当接により第３及び第５ピンバネ６３，７０に抗して各マスターコラム９，１０，１８の胴穴２５内に押し動かされて収納される。
【０１３６】
コンストラクションマスター装置Ｘ１は、工事完了後、後述するように（段落番号［０１４２］、［０１４８］参照）、チェンジキーＣＫ１，ＣＫ２にて対応するシリンダ錠Ｓ１，Ｓ２のコンストラクション装置Ｙ１，Ｙ２を作動して、コンスト解除し、コンストラクションマスターキーＭＫ１による各シリンダ錠Ｓ１，Ｓ２の操作を不能にする。
【０１３７】
工事完了後、シリンダ錠Ｓ１のコンスト解除のため、チェンジキーＣＫ１は、図２４乃至図２６に示すように、シリンダ錠Ｓ１の鍵挿入口５４から鍵穴５５に挿入され、各非ディンプル部Ｃ１２，Ｃ１４，Ｃ２０を各コンストコラム１２，１４，２０の第２ピン群Ｐ２に対応して配置し、及び各ディンプル穴Ｃ１３，Ｃ１９，Ｃ２１を各コンストコラム１３，１９，２１の第１ピン群Ｐ１に対応して配置する。
また、チェンジキーＣＫ１は、非ディンプル部Ｃ１０をマスターコラム１０の第４ピン群Ｐ４に対応して配置し、各ディンプル穴Ｃ９，Ｃ１１，Ｃ１６〜Ｃ１８を各マスターコラム９，１１，１６〜１８の第３〜第５ピン群Ｐ３〜Ｐ５に対応して配置する。
更に、チェンジキーＣＫ１は、各非ディンプル部Ｃ４，Ｃ７、及び各ディンプル穴Ｃ１〜Ｃ３，Ｃ５，Ｃ６を各固定コラム１〜７の第６〜第８ピン群Ｐ６〜Ｐ８に対応して配置する。
【０１３８】
チェンジキーＣＫ１は、図２４及び図２５に示すように、シリンダ錠Ｓ１の鍵穴５５の挿入に伴って、非ディンプル部Ｃ１２，Ｃ１４，Ｃ２０により各コンストコラム１２，１４，２０の第２下ピン３５（第２ピン群Ｐ２）を第２ピンバネ３８に抗して押し動かして、コンストボール３７を胴穴２５に配置（挿入）し、及び第２下ピン３５のピン後端面３５Ｂ（第２上ピン３６側の端面）を、シリンダ胴５１及びシリンダプラグ５２間に位置（配置）する。
チェンジキーＣＫ１は、シリンダ錠Ｓ１の鍵穴５５の挿入に伴って、各ディンプル穴Ｃ１３，Ｃ１９，Ｃ２１（第１ディンプル穴）により各コンストコラム１３，１９，２１の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
【０１３９】
また、チェンジキーＣＫ１は、図２４に示すように、シリンダ錠Ｓ１の鍵穴５５の挿入に伴って、非ディンプル部Ｃ１０によりマスターコラム１０の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、マスターコラム１０の胴穴２５内に収納される。
更に、チェンジキーＣＫ１は、シリンダ錠Ｓ１の鍵穴５５の挿入に伴って、各ディンプル穴Ｃ９，Ｃ１７，Ｃ１８によりマスターコラム９，１７，１８の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
チェンジキーＣＫ１は、シリンダ錠Ｓ１の鍵穴５５の挿入に伴って、ディンプル穴Ｃ１１によりマスターコラム１１の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
また、ディンプルキーＣＫ１は、シリンダ錠Ｓ１の鍵穴５５の挿入に伴って、ディンプル穴Ｃ１６によりマスターコラム１６の第４下ピン６４（第４ピン群Ｐ４）を第４ピンバネ６７に抗して押し動かして、第４上ピン６５及びＭＫピン６６の境界を、シリンダ胴５１及びシリンダプラグ５２間に位置（配置）する。このとき、ＭＫピン６６は、マスターコラム１６のプラグ穴２６内に収納される。
【０１４０】
チェンジキーＣＫ１は、図２６に示すように、シリンダ錠Ｓ１の鍵穴５５の挿入に伴って、各非ディンプル部Ｃ４，Ｃ７、及び各ディンプル穴Ｃ１〜Ｃ３，Ｃ５，Ｃ６により固定コラム１〜７の第６〜第８下ピン７１，７４，７７を押し動かして、第６〜第８下ピン７１，７４，７７及び第６〜第８上ピン７２，７５，７８の境界を、シリンダ胴５１及びシリンダプラグ５２間に位置（配置）する。
【０１４１】
これにより、シリンダ錠Ｓ１において、コンストラクション装置Ｙ１、及びマスター装置Ｚ１は、チェンジキーＣＫ１にて対応するシリンダ錠Ｓ１の操作を可能とし、チェンジキーＣＫ１によりシリンダプラグ５２の回転を可能とする。
【０１４２】
コンストラクション装置Ｙ１のコンスト解除において、チェンジキーＣＫ１は、図２５に示すように、例えば、Ａ方向に正回転する。
シリンダプラグ５２は、チェンジキーＣＫ１によりシリンダ胴５１に対して回転され、各コンストコラム１２，１４，２０の胴穴２５内に配置されたコンストボール３７は、シリンダプラグ５２と共に回転することなく、シリンダ胴５１の胴穴２５に残される。
シリンダプラグ５２の回転に伴って、シリンダプラグ５２の各ボール収納穴４１〜４６は、各コンストコラム１２〜１４，１９〜２１の胴穴２５に対向される。
これにより、胴穴２５内のコンストボール３７は、胴穴２５からボール収納穴４１，４３，４５に収納される。
チェンジキーＣＫ１を逆回転して、シリンダ錠Ｓ１の鍵穴５５から抜取ると、図２７及び図２８に示すように、コンストボール３７は、各ボール収納穴４１，４３，４５内に収納されたままとなり、各コンストコラム１２，１４，２０において、第２上ピン３６は、第２ピンバネ３８のバネ力（付勢力）により胴穴２５からプラグ穴２６に挿入（配置）される。
第２上ピン３６のピン先端面３６Ａは、図２７及び図２８に示すように、第２下ピン３５のピン後端面３５Ｂに当接される。第２下ピン３５及び第２上ピン３６において、相互に当接する部分は、第２下ピン３５及び第２上ピン３６の境界となる（以下、同様）。
このように、チェンジキーＣＫ１をシリンダ錠Ｓ１の鍵穴５５に挿入し、シリンダプラグ５２を回転して、各第２ピン群Ｐ２のコンストボール３７を各コンストコラム１２，１４，２０に対応する各ボール収納穴４１，４３，４５に収納することで、コンストラクション装置Ｙ１をコンスト解除する。
【０１４３】
工事完了後、シリンダ錠Ｓ２のコンスト解除のため、チェンジキーＣＫ２は、図２９乃至図３１に示すように、シリンダ錠Ｓ２の鍵挿入口５４から鍵穴５５に挿入され、非ディンプル部Ｄ１３，Ｄ１９，Ｄ２１を各コンストコラム１３，１９，２１の第２ピン群Ｐ２に対応して配置し、及び各ディンプル穴Ｄ１２，Ｄ１４，Ｄ２０を各コンストコラム１２，１４，２０の第１ピン群Ｐ１に対応して配置する。
また、チェンジキーＣＫ２は、非ディンプル部Ｄ９，Ｄ１７，Ｄ１８を各マスターコラム９，１８の第４及び第５ピン群Ｐ４，Ｐ５に対応して配置し、及び各ディンプル穴Ｄ１０，Ｄ１１，Ｄ１６を各マスターコラム１０，１１，１６の第３及び第４ピン群Ｐ３，Ｐ４に対応して配置する。
更に、チェンジキーＣＫ２は、各非ディンプル部Ｄ４，Ｄ７、及び各ディンプル穴Ｄ１〜Ｄ３，Ｄ５，Ｄ６を各固定コラム１〜７の第６〜第８ピン群Ｐ６〜Ｐ８に対応して配置する。
【０１４４】
チェンジキーＣＫ２は、図２９及び図３０に示すように、シリンダ錠Ｓ２の鍵穴５５の挿入に伴って、非ディンプル部Ｄ１３，Ｄ１９，Ｄ２１により各コンストコラム１３，１９，２１の第２下ピン３５（第２ピン群Ｐ２）を第２ピンバネ３８に抗して押し動かして、コンストボール３７を胴穴２５に配置（挿入）し、及び第２下ピン３５の後端面３５Ｂ（第２上ピン３６側の端面）を、シリンダ胴５１及びシリンダプラグ５２間に位置（配置）する。
チェンジキーＣＫ２は、シリンダ錠Ｓ２の鍵穴５５の挿入に伴って、各ディンプル穴Ｄ１２，Ｄ１４，Ｄ２０（第１ディンプル穴）により各コンストコラム１２，１４，２０の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
【０１４５】
また、チェンジキーＣＫ２は、図２９に示すように、シリンダ錠Ｓ２の鍵穴５５の挿入に伴って、非ディンプル部Ｄ９，Ｄ１８により各マスターコラム９，１８の第５下ピン６８（第５ピン群Ｐ５）を第５ピンバネ７０に抗して押し動かして、第５下ピン６８のピン先端面側の円錐面を、シリンダ胴５１及びシリンダプラグ５２間に位置（配置）する。
更に、チェンジキーＣＫ２は、シリンダ錠Ｓ２の鍵穴５５の挿入に伴って、非ディンプル部Ｄ１７によりマスターコラム１７の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、各マスターコラム１１，１６のプラグ穴２６内に収納される。
チェンジキーＣＫ２は、シリンダ錠Ｓ２の鍵穴５５の挿入に伴って、ディンプル穴１０によりマスターコラム１０の第３下ピン６１（第３ピン群Ｐ３）を第３ピンバネ６３に抗して押し動かして、第３上ピン６２の円錐面を、シリンダ胴５１及びシリンダプラグ５２間に位置（配置）する。
チェンジキーＣＫ２は、シリンダ錠Ｓ２の鍵穴５５の挿入に伴って、各ディンプル穴Ｄ１１，Ｄ１６によりマスターコラム１１，１６の第４下ピン６４（第４ピン群Ｐ４）を押し動かして、第４上ピン６５及びＭＫピン６６の境界を、シリンダ胴５１及びシリンダプラグ５２間に位置（配置）する。
【０１４６】
チェンジキーＣＫ２は、図３１に示すように、シリンダ錠Ｓ２の鍵穴５５の挿入に伴って、各非ディンプル部Ｄ４，Ｄ７、及び各ディンプル穴Ｄ１〜Ｄ３，Ｄ５，Ｄ６により各固定コラム１〜７の第６〜第８下ピン７１，７４，７７を押し動かして、第６〜第８下ピン７１，７４，７７及び第６〜第８上ピン７２，７５，７８の境界を、シリンダ胴５１及びシリンダプラグ５２に位置（配置）する。
【０１４７】
これにより、シリンダ錠Ｓ２において、コンストラクション装置Ｙ２、及びマスター装置Ｚ２は、チェンジキーＣＫ２にて対応するシリンダ錠Ｓ２の操作を可能とし、チェンジキーＣＫ２によりシリンダプラグ５２の回転を可能とする。
【０１４８】
コンストラクション装置Ｙ２のコンスト解除において、チェンジキーＣＫ２は、図３０に示すように、例えば、Ａ方向に正回転する。
シリンダプラグ５２は、チェンジキーＣＫ２によりシリンダ胴５１に対して回転され、各コンストコラム１３，１９，２１の胴穴２５内に配置されたコンストボール３７は、シリンダプラグ５２と共に回転することなく、シリンダ胴５１の胴穴２５に残される。
シリンダプラグ５２の回転に伴って、シリンダプラグ５２の各ボール収納穴４１〜４６は、各コンストコラム１２〜１４，１９〜２１の胴穴２５に対向される。
これにより、胴穴２５内のコンストボール３７は、胴穴２５からボール収納穴４２，４４，４６に収納される。
チェンジキーＣＫ２を逆回転して、シリンダ錠Ｓ２の鍵穴５５から抜取ると、図３２及び図３３に示すように、コンストボール３７は、各ボール収納穴４２，４４，４６内に収納されたままとなり、各コンストコラム１３，１９，２１において、第２上ピン３６は、第２ピンバネ３８のバネ力（付勢力）により胴穴２５からプラグ穴２６に挿入（配置）される。第２上ピン３６のピン先端面３６Ａは、図３２及び図３３に示すように、第２下ピン３５のピン後端面３５Ｂに当接される。
このように、チェンジキーＣＫ２をシリンダ錠Ｓ２の鍵穴５５に挿入し、シリンダプラグ５２を回転して、各第２ピン群Ｐ２のコンストボール３７を各コンストコラム１３，１９，２１に対応する各ボール収納穴４２，４４，４６に収納することで、コンストラクション装置Ｙ２のコンストを解除する。
【０１４９】
シリンダ錠Ｓ１（コンストラクション装置Ｙ１）のコンスト解除した後、コンストラクションマスターキーＭＫ１をシリンダ錠Ｓ１の鍵穴５５に挿入すると、コントラクションマスターキーＭＫ１は、図３４に示すように、各長溝ＳＫ１，ＳＫ２により各コンストコラム１２，１４，２０の第２下ピン３５（第２ピン群Ｐ２）を第２ピンバネ３８に抗して押し動かして、第２上ピン３６を胴穴２５及びプラグ穴２６内わたって位置（配置）する。
なお、コンストラクションマスターキーＭＫ１は、シリンダ錠Ｓ１の鍵穴５５の挿入に伴って、各コンストコラム１３，１９，２１の第１ピン群Ｐ１を、図１９及び図２０で説明したと同一の状態に位置（配置）し、及び各マスターコラム９〜１１，１６〜１８の第３〜第５ピン群Ｐ３〜Ｐ５を、図１９及び２０で説明したと同一の状態に位置（配置）する。
更に、コンストラクションマスターキーＭＫ１は、シリンダ錠Ｓ１の鍵穴５５の挿入に伴って、各固定コラム１〜７の第６〜第８ピン群Ｐ６〜８を、図２１で説明したと同一の状態に位置（配置）する。
これにより、シリンダ錠Ｓ１のコンストラクション装置Ｙ１は、コンスト解除後において、コンストラクションマスターキーＭＫ１によるシリンダ錠Ｓ１の操作を不能にする。シリンダプラグ５２は、図３４に示すように、各コンストコラム１２，１４，２０の胴穴２５及びプラグ穴２６わたって配置される第２上ピン３６（第２ピン群Ｐ２）によって回転できない。
【０１５０】
シリンダ錠Ｓ２（コンストラクション装置Ｙ２）のコンスト解除した後、コンストラクションマスターキーＭＫ１をシリンダ錠Ｓ２の鍵穴５５に挿入すると、コンストラクションマスターキーＭＫ１は、図３５に示すように、各長溝ＳＫ１，ＳＫ２により各コンストコラム１３，１９，２１の第２下ピン３５（第２ピン群Ｐ２）を第２ピンバネ３８に抗して押し動かして、第２上ピン３６を胴穴２５及びプラグ穴２６内にわたって位置（配置）する。
なお、コンストラクションマスターキーＭＫ１は、シリンダ錠Ｓ２の鍵穴５５の挿入に伴って、各コンストコラム１２，１４，２０の第１ピン群Ｐ１を、図２９及び図３０で説明したと同一の状態に位置（配置）し、及び各マスターコラム９〜１１，１６〜１８の第３〜第５ピン群Ｐ３〜Ｐ５を、図２９及び図３０で説明したと同一の状態に位置（配置）する。
更に、コンストラクションマスターキーＭＫ１は、シリンダ錠Ｓ２の鍵穴５５の挿入に伴って、各固定コラム１〜７の第６〜第８ピン群Ｐ６〜Ｐ８を、図３１で説明したと同一の状態に位置（配置）する。
これにより、シリンダ錠Ｓ２のコンストラクション装置Ｙ２は、コンスト解除後において、コンストラクションマスターキーＭＫ１によるシリンダ錠Ｓ２の操作を不能にする。シリンダプラグ５２は、図３５に示すように、各コンストコラム１３，１９，２１の胴穴２５及びプラグ穴２６にわたって配置される第２上ピン３６（第２ピン群Ｐ２）によって回転できない。
【０１５１】
シリンダ錠Ｓ１（コンストラクション装置Ｙ１）のコンスト解除した後、チェンジキーＣＫ１をシリンダ錠Ｓ１の鍵穴５５に挿入すると、チェンジキーＣＫ１は、図３６に示すように、非ディンプル部Ｃ１２，Ｃ１４，Ｃ２０により各コンストコラム１２，１４，２０の第２下ピン３５（第２ピン群Ｐ２）を第２ピンバネ３８に抗して押し動かして、第２下ピン３５及び第２上ピン３６の境界を、シリンダ胴５１及びシリンダプラグ５２間に位置（配置）し、及び各ディンプル穴Ｃ１３，Ｃ１９，Ｃ２１（第１ディンプル穴）により各コンストコラム１３，１９，２１の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
【０１５２】
また、チェンジキーＣＫ１は、シリンダ錠Ｓ１の鍵穴５５の挿入に伴って、各マスターコラム６〜８，１６〜１８の第３〜第５ピン群Ｐ３〜Ｐ５を、図２４及び図２５で説明したと同一の状態に位置（配置）する。
更に、チェンジキーＣＫ１は、シリンダ錠Ｓ１の鍵穴５５の挿入に伴って、各固定コラム１〜７の第６〜第８ピン群Ｐ６〜Ｐ７を、図２６で説明したと同一の状態に位置（配置）する。
これにより、シリンダ錠Ｓ１において、コンストラクション装置Ｙ１、及びマスター装置Ｚ１は、チェンジキーＣＫ１にて対応するシリンダ錠Ｓ１の操作（施錠又は解錠）を可能とし、シリンダ錠Ｓ１のシリンダプラグ５２は、チェンジキーＣＫ１により回転される。
【０１５３】
シリンダ錠Ｓ２（コンストラクション装置Ｙ２）のコンスト解除した後、チェンジキーＣＫ２をシリンダ錠Ｓ２の鍵穴５５に挿入すると、チェンジキーＣＫ２は、図３７に示すように、非ディンプル部Ｄ１３，Ｄ１９，Ｄ２１（第１ディンプル穴）により各コンストコラム１３，１９，２１の第２下ピン３５（第２ピン群Ｐ２）を第２ピンバネ３８に抗して押し動かして、第２下ピン３５及び第２上ピン３６の境界を、シリンダ胴５１及びシリンダプラグ５２間に位置（配置）し、及び各ディンプル穴Ｄ１２，Ｄ１４，Ｄ２０により各コンストコラム１２，１４，２０の第１下ピン３１（第１ピン群Ｐ１）を第１ピンバネ３３に抗して押し動かして、第１下ピン３１及び第１上ピン３２の境界を、シリンダ胴５１及びシリンダプラグ５２間に位置（配置）する。
【０１５４】
また、チェンジキーＣＫ２は、シリンダ錠Ｓ２の鍵穴５５の挿入に伴って、各マスターコラム９〜１１，１６〜１８の第３〜第５ピン群Ｐ３〜Ｐ５を、図２９及び図３０で説明したと同一の状態に位置（配置）する。
更に、チェンジキーＣＫ１は、シリンダ錠Ｓ１の鍵穴５５の挿入に伴って、各固定コラム１〜７の第６〜第８ピン群Ｐ６〜Ｐ７を、図３１で説明したと同一の状態に位置（配置）する。
これにより、シリンダ錠Ｓ２において、コンストラクション装置Ｙ２、及びマスター装置Ｚ２は、チェンジキーＣＫ２にて対応するシリンダ錠Ｓ２の操作（施錠又は解錠）を可能とし、シリンダ錠Ｓ２のシリンダプラグ５２は、チェンジキーＣＫ２により回転される。
【０１５５】
シリンダ錠Ｓ１（コンストラクション装置Ｙ１）のコンスト解除した後、チェンジキーＣＫ２をシリンダ錠Ｓ１の鍵穴５５に挿入すると、チェンジキーＣＫ２は、図３８に示すように、各非ディンプル部Ｄ１３，Ｄ１９，Ｄ２１により各コンストコラム１３，１９，２１の第１下ピン３１（第１ピン群Ｐ１）を第１ピンバネ３３に抗して押し動かして、胴穴２５及びプラグ穴２６内にわたって位置（配置）する。
チェンジキーＣＫ２は、シリンダ錠Ｓ１の鍵穴５５の挿入に伴って、各ディンプル穴Ｄ１２，Ｄ１４，Ｄ２０（第１ディンプル穴）により各コンストコラム１２，１４，２０の第２下ピン３５（第２ピン群Ｐ２）を第２ピンバネ３８に抗して押し動かして、第２上ピン３６を胴穴２５及びプラグ穴２６内にわたって位置（配置）する。
【０１５６】
また、チェンジキーＣＫ２は、シリンダ錠Ｓ１の鍵穴５５の挿入に伴って、各非ディンプル部Ｄ９，Ｄ１７，Ｄ１８により各マスターコラム９，１７，１８の第３下ピン６１（第３ピン群Ｐ３）を第３ピンバネ６３に抗して押し動かして、胴穴２５及びプラグ穴２６内にわたって位置（配置）する。
チェンジキーＣＫ２は、シリンダ錠Ｓ１の鍵穴５５の挿入に伴って、ディンプル穴Ｄ１１によりマスターコラム１１の第５下ピン６８（第５ピン群Ｐ５）を第５ピンバネ７０に抗して押し動かして、第５上ピン６９のピン先端面側の円錐面を、胴穴２５及びプラグ穴２６内にわたって位置（配置）する。
更に、チェンジキーＣＫ２は、シリンダ錠Ｓ１の鍵穴５５の挿入に伴って、ディンプル穴１０によりマスターコラム１０の第４下ピン６４（第４ピン群Ｐ４）を第４ピンバネ６７に抗して押し動かして、ＭＫピン６６を、マスターコラム１０の胴穴２５及びプラグ穴２６にわたって位置（配置）する。
なお、チェンジキーＣＫ２は、シリンダ錠Ｓ１の鍵穴５５の挿入に伴って、各固定コラム１〜７の第６〜第８ピン群Ｐ６〜Ｐ８を、図３１で説明したと同一の状態に位置（配置）する。
【０１５７】
これにより、シリンダ錠Ｓ１において、コンストラクション装置Ｙ１、及びマスター装置Ｚ１は、シリンダ錠Ｓ１に対応するチェンジキーＣＫ１以外のチェンジキーＣＫ２によるシリンダ錠Ｓ１の操作（施錠又は解錠）を禁止する。シリンダ錠Ｓ１のマスター装置Ｚ１は、各マスターコラム９，１７，１８の胴穴２５及びプラグ穴２６にわたって配置される第３下ピン６１（第３ピン群Ｐ３）等によって、シリンダプラグ５２の回転を禁止する。
【０１５８】
シリンダ錠Ｓ２（コンストラクション装置Ｙ２）のコンスト解除した後、チェンジキーＣＫ１をシリンダ錠Ｓ２の鍵穴５５に挿入すると、チェンジキーＣＫ１は、図３９に示すように、各ディンプル穴Ｃ１３，Ｃ１９，Ｃ２１（第１ディンプル穴）により各コンストコラム１３，１９，２１の第２下ピン３５（第２ピン群Ｐ２）を第２ピンバネ３８に抗して押し動かして、第２上ピン３６を、胴穴２５及びプラグ穴２６にわたって位置（配置）する。
チェンジキーＣＫ１は、シリンダ錠Ｓ２の鍵穴５５の挿入に伴って、各非ディンプル部Ｃ１２，Ｃ１４，Ｃ２０により各コンストコラム１２，１４，２０の第１下ピン３１（第１ピン群Ｐ１）を第１ピンバネ３３に抗して押し動かして、胴穴２５及びプラグ穴２６にわたって位置（配置）する。
【０１５９】
また、チェンジキーＣＫ１は、シリンダ錠Ｓ２の鍵穴５５の挿入に伴って、各非ディンプル部Ｃ１０によりマスターコラム１０の第３下ピン６１（第３ピン群Ｐ３）を第３ピンバネ６３に抗して押し動かして、胴穴２５及びプラグ穴２６内にわたって位置（配置）する。
チェンジキーＣＫ１は、シリンダ錠Ｓ２の鍵穴５５の挿入に伴って、各ディンプル穴Ｃ１１，Ｃ１７により各マスターコラム１１，１７の第４下ピン６４（第４ピン群Ｐ４）を第４ピンバネ６７に抗して押し動かして、ＭＫピン６６を胴穴２５及びプラグ穴２６内にわたって位置（配置）する。
更に、チェンジキーＣＫ１は、シリンダ錠Ｓ２の鍵穴５５の挿入に伴って、各ディンプル穴Ｃ９，Ｃ１８により第５下ピン６８（第５ピン群Ｐ５）を第５ピンバネ７０に抗して押し動かして、第５上ピン６９を胴穴２５及びプラグ穴２６にわたって位置（配置）する。
なお、チェンジキーＣＫ１は、シリンダ錠Ｓ２の鍵穴５５の挿入に伴って、各固定コラム１〜７の第６〜第８ピン群Ｐ６〜Ｐ８を、図２６で説明したと同一の状態に位置（配置）する。
【０１６０】
これにより、シリンダ錠Ｓ２において、コンストラクション装置Ｙ２、及びマスター装置Ｚ２は、シリンダ錠Ｓ２に対応するチェンジキーＣＫ２以外のチェンジキーＣＫ１によるシリンダ錠Ｓ２の操作（施錠又は解錠）を禁止する。シリンダ錠Ｓ２のマスター装置Ｚ２は、各マスターコラム９，１８の胴穴２５及びプラグ穴２６にわたって配置される第５上ピン６９（第５ピン群Ｐ６）等によってシリンダプラグ５２の回転を禁止する。
【０１６１】
コンストラクションマスター装置Ｘ１において、各コンストラクション装置Ｙ１，Ｙ２（各シリンダ錠Ｓ１，Ｓ２）のコンストコラムのコラム数ｎ（以下、「コンストコラム数ｎ」という）は、図６及び図１４で説明したコンストコラム数ｎ＝６（６つのコンストコラム）に限定されず、３以上の複数（ｎ＝３，４，５，６，７，…）とする。
また、各コンストラクション装置Ｙ１，Ｙ２（各シリンダ錠Ｓ１，Ｓ２）において、第１ピン群Ｐ１は、全てのコンストコラムでなく、１又は複数のコンストコラムに収納し、第２ピン群Ｐ２は、第１ピン群Ｐ１を収納したコンストコラム以外の残りのコンストコラムに収納する態様にできる。例えば、図６において、第１ピン群Ｐ１は、１のコンストコラム１３に収納し、第２ピン群Ｐ２は残りの各コンストコラム１２，１４、１９〜２１に収納する構成、及び図１４において、第１ピン群Ｐ１は、各コンストコラム１２，１４，１９〜２１に収納し、第２ピン群Ｐ２は、残りの１のコンストコラム１３に収納する態様等である。
このとき、コンストラクションマスターキーＭＫ１は、各コンストラクションコラムの第１及び第２ピン群Ｐ１，Ｐ２に対応する各長溝ＳＫ１，ＳＫ２（溝深さδ３）を有するので、第１及び第２ピン群Ｐ１，Ｐ２を各コンストコラムに収納する態様（以下、「収納態様Ｐ」という）を、任意に選択しても、各シリンダ錠の鍵穴５５の挿入に伴って、第１下ピン３１及び第１上ピン３２（第１ピン群Ｐ１）の境界を、シリンダ胴５１及びシリンダプラグ５２間に位置（配置）でき、コンストボール３７及び第２上ピン３６（第２ピン群Ｐ２）の境界を、シリンダ胴５１及びシリンダプラグ５２間に位置（配置）できる。
また、各シリンダ錠に対応するチェンジキーは、第１及び第２ピン群Ｐ１，Ｐ２の収納態様に応じて、ディンプル穴（第１ディンプル穴）、及び非ディンプル部を形成する。具体的に説明すると、各チェンジキーにおいて、非ディンプル部は、コンストコラムの第２ピン群Ｐ２に対応して形成し、ディンプル穴（第１ディンプル穴）は、コンストラクションマスターキーの各長溝と同一の穴深さを有して、コンストコラムの第１ピン群Ｐ１に対応して形成する。
このように、コンストラクションマスター装置Ｘ１において、各コンストラクション装置Ｙ１，Ｙ２は、３以上の複数のコンストコラムを有し、各コンストコラムを選択して第１ピン群Ｐ１又は第２ピン群Ｐ２を収納するので、各コンストコラムに対する第１及び第２ピン群Ｐ１，Ｐ２の収納態様（収納パターン）Ｐは、コンストコラム数ｎとすると、第１及び第２ピン群の種類数のｎ乗となる。例えば、第１及び第２ピン群が２種類であれば、Ｐ＝２ｎとなる。図６及び図１４において、第１及び第２ピン群Ｐ１，Ｐ２は夫々１種類であり、コンストコラム数ｎ＝６であるので、第１及び第２ピン群Ｐ１，Ｐ２の収納態様Ｐ＝２６＝６４となる。
これにより、各シリンダ錠を操作するためには、第１及び第２ピン群Ｐ１，Ｐ２の収納態様となる、本数のチェンジキーを複製する必要がある（図６及び図１４は、６４本のチェンジキーを複製する必要がある）。
また、コンストラクションマスターキーＭＫ１の長溝ＳＫ１，ＳＫ２、及び各チェンジキーＣＫ１，ＣＫ２の非ディンプル部Ｃ１２，Ｃ１４，Ｃ２０（又はＤ１３，Ｄ１９，Ｄ２１）において、溝深さ及び穴深さ間に多数段差ｍ（図１６乃至図１８では、溝深さδ３及び穴深さδ１の２段差）を有して、第２ピン群Ｐ２を押し動かしており、溝深さ及び穴深さ間の段差数ｍ、コンストコラム数ｎとすると、各シリンダ錠Ｓ１，Ｓ２を操作するためには、段差数ｍのｎ乗となる、本数のチェンジキーを複製する必要がある（第１実施形態のコンストラクションマスター装置Ｘ１では、段差ｍ＝３、コラム数ｎ＝６であるから、３６＝７２９本のチェンジキーを複製する必要がある）。
また、第１及び第２ピン群の収納態様Ｐ、及び溝深さ及び穴深さ間の段差に対応する、本数のチェンジキーを製作でき、コンストラクションマスター装置Ｘ１は、図１に示すように、複数（２以上）のシリンダ錠Ｓ１，Ｓ２，Ｓ３，…及び、各シリンダ錠Ｓ１，Ｓ２，…に対応するチェンジキーＣＫ１，ＣＫ２，ＣＫ３，…を備える構成にできる。
【０１６２】
コンストラクションマスター装置Ｘ１において、各チェンジキーＣＫ１，ＣＫ２は、図１７及び図１８に示すように、コンストコラムの第２ピン群Ｐ２に対応する位置に、非ディンプル部Ｃ１２，Ｃ１４，Ｃ２０（又はＤ１３，Ｄ１９，Ｄ２１）を形成しているが、これに限定されず、コンストコラムの第２ピン群Ｐ２に対応する位置に、ディンプル穴（第２ディンプル穴）を形成する構成も採用できる。このとき、チェンジキーＣＫ１，ＣＫ２において、第２ピン群Ｐ２に対応するディンプル穴（第２ディンプル穴）は、コンストラクションマスターキーＭＫ１の各長溝ＳＫ１，ＳＫ２の溝深さより浅い穴深さ、例えば、穴深さδ２とする。また、第２ピン群Ｐ２の第２下ピン３５は、各ディンプル穴（第２ディンプル穴）の穴深さδ２だけ長くし、及びコンストラクションマスターキーＭＫ１の各長溝ＳＫ１，ＳＫ２の溝深さδ３も、各ディンプル穴（第２ディンプル穴）の穴深さδ２だけ深くする。
これにより、コンストラクションマスターキーＭＫ１を、各シリンダ錠Ｓ１，Ｓ２の鍵穴５５に挿入しても、コンストボール３７及び第２上ピン３７（第２ピン群Ｐ２）の境界を、シリンダ胴５１及びシリンダプラグ５１間に位置（配置）でき、各チェンジキーＣＫ１，ＣＫ２を、対応するシリンダ錠Ｓ１，Ｓ２の鍵穴５５に挿入しても、コンストボール３７を胴穴２５内に配置（収納）し、及び第２下ピン３５のピン後端面３５Ｂ（第２上ピン３６側の端面）を、シリンダ胴５１及びシリンダプラグ５２間に位置（配置）できる。
【０１６３】
コンストラクションマスター装置Ｘ１において、各マスター装置Ｚ１，Ｚ２は、第３〜第５ピン群Ｐ３〜Ｐ５を、各マスターコラム９〜１１，１６〜１８に収納する構成である。
第３ピン群Ｐ３は、図１９、図２２、図２４及び図２９に示すように、ディンプル穴Ｍ１７，Ｃ９，Ｃ１８の穴深さδ３、及びディンプル穴Ｍ１８，Ｃ１７，Ｄ１０の穴深さδ２の２段差によって、第３上ピン６３のピン先端面側の円錐面を、シリンダ胴５１及びシリンダプラグ５２間に位置（配置）される。
第４ピン群Ｐ４は、図１９、図２２、図２４及び図２９に示すように、ディンプル穴Ｍ１０，Ｃ１６，Ｄ１１，Ｄ１８の穴深さδ３、及び非ディンプル部Ｍ６，Ｃ１０，Ｄ１７の穴深さδ１の２段差によって、第４下ピン６４及びＭＫピン６６の境界、又は第４上ピン６５及びＭＫピン６６の境界を、シリンダ胴５１及びシリンダプラグ５２間に位置（配置）される。
第５ピン群Ｐ５は、図１９、図２２、図２４及び図２９に示すように、ディンプル穴Ｍ１１，Ｃ１１の穴深さδ２、及び非ディンプル部Ｍ１１，Ｄ１１，Ｄ１８の穴深さδ１の２段差によって、第５上ピン６９のピン先端面側の円錐面を、シリンダ胴５１及びシリンダプラグ５２間に位置（配置）される。
従って、コンストラクションマスターキーＭＫ１において、各マスター装置Ｚ１，Ｚ２の各マスターコラム９〜１１，１６〜１８に対応する各ディンプル穴Ｍ９，Ｍ１０，Ｍ１７，Ｍ１８，及び非ディンプル部Ｍ１１，Ｍ１６を基準として、各マスターコラムに収納する第３〜第５ピン群Ｐ３〜Ｐ５を適宜、選択することで、コンストラクションマスター装置Ｘ１は、図１に示すように、マスター装置によっても、複数のシリンダ錠Ｓ１，Ｓ２，Ｓ３，…、及び各シリンダ錠Ｓ１，Ｓ２，Ｓ３，…に対応するチェンジキーＣＫ１，ＣＫ２，ＣＫ３，…を備える構成にできる。
このとき、工事期間中に、コンストラクションマスターキーＭＫ１によって、各シリンダ錠Ｓ１，Ｓ２，Ｓ３，…を操作できるように、各マスターコラムに第３〜第５ピン群Ｐ３〜Ｐ５を収納する態様を選択し、及び各チェンジキーＣＫ１，ＣＫ２，ＣＫ３，…は、工事完了後、対応するシリンダ錠Ｓ１，Ｓ２，Ｓ３，…において、シリンダプラグ５２を回転できるように、各マスターコラムの第３〜第５ピン群Ｐ３〜Ｐ５に対応して、穴深さδ２，δ３でなるディンプル穴、及び穴深さδ１（δ１＝０）の非ディンプル部を形成する。
【０１６４】
＜第２実施形態＞
以下、第２実施形態のコンストラクションマスター装置Ｘ２について、図４０乃至図６９を参照して説明する。
なお、図４０乃至図６９において、図１乃至図３９と同一符号は、同一部材、同一構成であるので、その詳細な説明は省略する。
【０１６５】
図４０において、第２実施形態のコンストラクションマスター装置Ｘ２（以下、「コンストラクションマスター装置Ｘ２」という）は、マンション等の建設の工事期間中、コンストラクションマスターキーＭＫ２にて複数のシリンダ錠ＳＡ，ＳＢ，ＳＣ，…を操作（施錠又は解錠）する。コンストラクションマスター装置Ｘ２は、工事完了後、チェンジキーＣＫＡ，ＣＫＢ，ＣＫＣ，…にて対応する各シリンダ錠ＳＡ，ＳＢ，ＳＣ，…のコンストラクション装置を操作して、コンストラクションマスターキーＭＫ２の操作を不能にする。
なお、説明の便宜上、コンストラクションマスター装置Ｘ２では、第１及び第２シリンダ錠ＳＡ，ＳＢ、コンストラクションマスターキーＭＫ２、及び各シリンダ錠ＳＡ，ＳＢに対応するチェンジキーＣＫＡ，ＣＫＢを備える構成について説明する。
【０１６６】
図４０乃至図６９において、第２実施形態のコンストラクションマスター装置Ｘ２は、複数のシリンダ錠ＳＡ，ＳＢ、コンストラクションマスターキーＭＫ２、及び各シリンダ錠ＳＡ，ＳＢに対応するチェンジキーＣＫＡ，ＣＫＢを備える。
【０１６７】
＜シリンダ錠ＳＡ＞
図４１乃至図４５において、シリンダ錠ＳＡ（第１シリンダ錠）は、シリンダ胴５１、及びシリンダプラグ５２、コンストラクション装置ＹＡ、及びマスター装置ＺＡを備える。
【０１６８】
シリンダ錠ＳＡにおいて、シリンダ胴５１、及びシリンダプラグ５２は、シリンダ錠Ｓ１と同一構成であって、鍵挿入口５４及び鍵穴５５をシリンダプラグ５２に有する。
【０１６９】
コンストラクション装置ＹＡは、図４１に示すように、シリンダ錠ＳＡの鍵挿入口５４との間にマスター装置ＺＡを配置して、シリンダ錠ＳＡ（シリンダ胴５１及びシリンダプラグ５２）に備えられる。
コンストラクション装置ＹＡは、３以上の複数のコンストコラム、例えば、６つのコンストコラム１２〜１４，１９〜２１、複数の第１ピン群ＰＡ、複数の第２ピン群ＰＢ、複数のコンストボール９７及び複数のボール収納穴４１〜４６を備える。
【０１７０】
コンストラクション装置ＹＡの各コンストコラム１２〜１４，１９〜２１は、シリンダ錠Ｓ１（コンストコラム装置Ｙ１）と同一構成であって、胴穴２５及びプラグ穴２６で構成される。
【０１７１】
第１ピン群ＰＡは、図４１、図４２及び図４４に示すように、第１下ピン９１（下ピン）、第１上ピン９２（上ピン）、及び第１ピンバネ９３を有する。
【０１７２】
第１下ピン９１は、図４４に示すように、ピン先端面９１Ａ及びピン後端面９１Ｂを有し、ピン先端面９１Ａ側は、段差部９１Ｃを有して縮径される。
第１下ピン９１は、シリンダプラグ５２の外周５２ａから、ピン先端面９１Ａ側をプラグ穴２６内に挿入して、径方向において、プラグ穴２６に摺動自在に配置される。
第１下ピン９１は、段差部９１Ｃをプラグ穴２６の段部２６Ｃに当接して、プラグ穴２６内に配置される。これにより、第１下ピン９１は、プラグ穴２６内にてシリンダプラグ５２に保持され、鍵穴５５に抜け落ちない。
第１下ピン９１において、ピン先端面９１Ａ側は、プラグ穴２６を通して鍵穴５５内に突出される。第１下ピン９１のピン先端面９１Ａ側は、径方向において、中心線ＣＴからプラグ穴２６側に距離τを隔てて突出して位置される。
【０１７３】
第１上ピン９２は、図４４に示すように、ピン先端面９２Ａ及びピン後端面９２Ｂを有する。第１上ピン９２は、バネ収納凹所９２Ｃを有し、バネ収納凹所９２Ｃは第１上ピン９２のピン後端面９２Ｂ側に形成される。バネ収納凹所９２Ｃは、第１上ピン９２のピン後端面９２Ｂに開口する。
第１上ピン９２は、シリンダ胴５１の外周５１ａから、ピン先端面９２Ａ側を胴穴２５内に挿入して、径方向において、胴穴２５に摺動自在に配置される。第１上ピン９２のピン先端面９２Ａは、第１下ピンのピン後端面９１Ｂに当接される。
第１下ピン９１及び第１上ピン９２において、相互に当接する部分は、第１下ピン９１及び第１上ピン９２の境界となる。
第１下ピン９１及び第１上ピン９２は、第１下ピン９１及び第１上ピン９２の境界を、シリンダ胴５１及びシリンダプラグ５２間に位置（配置）して、胴穴２５及びプラグ穴２６に配置（収納）される。
【０１７４】
第１ピンバネ９３は、図４４に示すように、胴穴２５に配置され、バネ収納凹所９２Ｃに挿入される。第１ピンバネ９３は、胴穴２５内において、バネ収納凹所９２Ｃ及びバネ板５６（又はバネ止板５７）間に配置される。第１ピンバネ９３は、圧縮して、バネ収納凹所９２Ｃの底面及びバネ止板５６（又はバネ止板５７）に当接される。
これにより、第１ピンバネ９３は、径方向において、バネ力（付勢力）によって第１上ピン９２を第１下ピン９１に付勢する。第１上ピン９２は、第１ピンバネ９３のバネ力（付勢力）により第１下ピン９１に付勢される。
【０１７５】
第１ピン群ＰＡは、図４１、図４２及び図４４に示すように、例えば、各コンストコラム１３，１９，２１内に収納される。
これにより、シリンダ錠ＳＡでは、全てのコンストコラム１２〜１４，１９〜２１でなく、複数のコンストコラム１３，１９，２１に第１ピン群ＰＡを収納する。
第１ピン群ＰＡは、キー挿入前に、第１下ピン９１及び第１下ピン９２の境界を、シリンダ胴５１及びシリンダプラグ５２間に位置して、各コンストコラム１３，１９，２１に収納される。
【０１７６】
第２ピン群ＰＢは、図４１、図４２及び図４５に示すように、第２下ピン９５（下ピン）、第２上ピン９６（上ピン）、コンストボール９７、及び第２ピンバネ９８を有する。
【０１７７】
第２下ピン９５は、図４５に示すように、ピン先端面９５Ａ及びピン後端面９５Ｂを有し、ピン先端面９５Ａ側は、段差部９５Ｃを有して縮径される。第２下ピン９５は、第１下ピン９１より短く形成され、ボール溝穴９５Ｄを有する。ボール溝穴９５Ｄは、第２下ピン９５のピン後端面９５Ｂ側に形成され、第２下ピン９５のピン後端面９５Ｂに開口する。
第２下ピン９５は、シリンダプラグ５２の外周５２ａから、ピン先端面９５Ａ側をプラグ穴２６に挿入して、径方向において、プラグ穴２６に摺動自在に配置される。
第２下ピン９５は、段差部９５Ｃをプラグ穴２６の段部２６Ａに当接して、プラグ穴２６内に配置される。これにより、第２下ピン９５は、プラグ穴２６内にてシリンダプラグ５２に保持され、鍵穴５５内に抜け落ちない。
第２下ピン９５において、ピン先端面９５Ａ側は、プラグ穴２６を通して鍵穴５５内に突出される。第２下ピン９５のピン先端面９５Ａは、径方向において、中心線ＣＴからプラグ穴２６側に距離τを隔てて突出して位置される。
【０１７８】
第２上ピン９６は、図４５に示すように、ピン先端面９６Ａ及びピン後端面９６Ｂを有する。第２上ピン９６は、バネ収納凹所９６Ｃを有し、バネ収納凹所９６Ｃは第２上ピン９６のピン後端面９６Ｂ側に形成される。バネ収納凹所９６Ｃは、第２上ピン９６のピン後端面９６Ｂに開口する。
第２上ピン９６は、シリンダ胴５１の外周５１ａから、ピン先端面９６Ａ側を胴穴２５内に挿入して、径方向において、胴穴２６に摺動自在に配置される。
【０１７９】
コンストボール９７は、図４５に示すように、プラグ穴２６に配置（収納）される。コンストボール９７は、第２下ピン９５及び第２上ピン９６間に組込まれる。
コンストボール９７は、第２下ピン９５のボール溝穴９５Ｄに抜出自在として挿入され、第２上ピン９６のピン先端面９６Ａに当接される。
コンストボール９７及び第２上ピン９６において、相互に当接する部分は、コンストボール９７及び第２上ピン９５の境界となる。
コンストボール９７及び第２上ピン９６は、コンストボール９７及び第２上ピン９６の境界を、シリンダ胴５１及びシリンダプラグ５２間に位置（配置）して、胴穴２５及びプラグ穴２６に配置（収納）される。
【０１８０】
第２ピンバネ９８は、図４５に示すように、胴穴２５に配置され、バネ収納凹所９６Ｃに挿入される。第２ピンバネ９８は、胴穴２５内において、バネ収納凹所９６Ｃ及びバネ止板５６（又はバネ止板５７）間に配置される。第２ピンバネ９８は、圧縮して、バネ収納凹所９６Ｃの底面及びバネ止板５６（又はバネ止板５７）に当接される。
これにより、第２ピンバネ９８は、径方向において、バネ力（付勢力）によって第２上ピン９６及びコンストボール９７を第２下ピン９５に付勢する。第２上ピン９６は、第２ピンバネ９８のバネ力（付勢力）により第２下ピン９５に付勢される。
【０１８１】
各第２ピン群ＰＢは、図４１、図４２及び図４５に示すように、例えば、各コンストコラム１２，１４，２０内に収納される。
これにより、シリンダ錠ＳＡでは、第１ピン群ＰＡを収納したコンストコラム１３，１９，２１以外の残りのコンストコラム１２，１４，２０に、第２ピン群ＰＢを収納する。
第２ピン群ＰＢは、キー挿入前に、コンストボール９７及び第２上ピン９６の境界を、シリンダ胴５１及びシリンダプラグ５２間に位置して、各コンストコラム１２，１４，２０に収納される。
【０１８２】
コンストラクション装置ＹＡの各ボール収納穴４１〜４６は、シリンダ錠Ｓ１（コンストラクション装置Ｙ１）と同一構成であって、各コンストコラム１２〜１４，１９〜２１に対応してシリンダプラグ５２に形成される。
【０１８３】
マスター装置ＺＡは、図４１に示すように、シリンダ錠ＳＡの鍵挿入口５４側に配置されて、シリンダ錠ＳＡ（シリンダ胴５１及びシリンダプラグ５２）に備えられる。
マスター装置ＺＡは、コンストラクションマスターキーＭＫ２と、シリンダ錠ＳＡに対応するチェンジキーＣＫＡによるシリンダ錠ＳＡにシリンダプラグ５２の回転を可能とし、シリンダ錠ＳＡに対応する以外のチェンジキーＣＫＢによるシリンダ錠ＳＡのシリンダプラグ５２の回転を禁止する。
マスター装置ＺＡは、シリンダ錠Ｓ１のマスター装置Ｚ１と同一構成であって、複数のマスターコラム８〜１１，１６〜１８、複数の第３ピン群Ｐ３、複数の第４ピン群Ｐ４、及び第５ピン群Ｐ５を備える。
マスター装置ＺＡにおいて、第３ピン群Ｐ３は、各マスターコラム９，１７，１８に収納され、第４ピン群Ｐ４は、各マスターコラム１０，１６に収納される。第５ピン群Ｐ５は、マスターコラム１１に収納される。
【０１８４】
シリンダ錠ＳＡは、図４３に示すように、複数の固定コラム１〜４、第６ピン群Ｐ６、複数の第７ピン群Ｐ７、及び第８ピン群Ｐ８を備える。
シリンダ錠ＳＡにおいて、各固定コラム１〜４は、シリンダ錠Ｓ１と同一構成であって、胴穴２５及びプラグ穴２６で構成される。シリンダ錠ＳＡは、シリンダ錠Ｓ１の各固定コラム５〜７を有しない。
シリンダ錠ＳＡにおいて、第６ピン群Ｐ６は、固定コラム１に収納され、第７ピン群Ｐ７は、各固定コラム２，３に収納される。シリンダ錠ＳＡにおいて、第８ピン群Ｐ８は、固定コラム４に収納される。
【０１８５】
＜シリンダ錠ＳＢ＞
図４６及び図４７において、シリンダ錠ＳＢ（第２シリンダ錠）は、シリンダ胴５１、シリンダプラグ５２、コンストラクション装置ＹＢ、及びマスター装置ＺＢを備える。
【０１８６】
シリンダ錠ＳＢにおいて、シリンダ胴５１、及びシリンダプラグ５２は、シリンダ錠Ｓ１と同一構成であって、鍵挿入口５４及び鍵穴５５をシリンダプラグ５２に有する。
【０１８７】
コンストラクション装置ＹＢは、図４６に示すように、シリンダ錠ＳＢの鍵挿入口５４との間にマスター装置ＺＢを配置して、シリンダ錠ＳＢ（シリンダ胴５１及びシリンダプラグ５２）に備えられる。
コンストラクション装置ＹＢは、図４６に示すように、３以上の複数のコンストコラム、例えば、６つのコンストコラム１２〜１４，１９〜２１、複数の第１ピン群ＰＡ、複数の第２ピン群ＰＢ、及び複数のボール収納穴４１〜４６を備える。
【０１８８】
コンストラクション装置ＹＢの各コンストコラム１２〜１４，１９〜２１は、シリンダ錠Ｓ１と同一構成であって、胴穴２５及びプラグ穴２６で構成される。
【０１８９】
コンストラクション装置ＹＢの第１ピン群ＰＡは、シリンダ錠ＳＡ（コンストラクション装置ＹＡ）と同一部材、同一構成であって、第１下ピン９１（下ピン）、第１上ピン９２（上ピン）、及び第１ピンバネ９３を有する（図４４参照）。
コンストラクション装置ＹＢにおいて、第１ピン群ＰＡは、図４６及び図４７に示すように、各コンストコラム１２，１４，２０に収納される。
これにより、シリンダ錠ＳＢでは、全てのコンストコラム１２〜１４，１９〜２１でなく、複数のコンストコラム１２，１４，２０に第１ピン群ＰＡを収納する。
第１ピン群ＰＡは、キー挿入前に、第１下ピン９１及び第１上ピン９２の境界を、シリンダ胴５１及びシリンダプラグ５２間に位置して、各コンストコラム１２，１４，２０に収納される。
【０１９０】
コンストラクション装置ＹＢの第２ピン群ＰＢは、シリンダ錠ＳＡと同一部材、同一構成であって、第２下ピン９５（下ピン）、第２上ピン９６（上ピン）、コンストボール９７、及び第２ピンバネ９８を有する（図４５参照）。
コンストラクション装置ＹＢにおいて、第２ピン群ＰＢは、図４６及び図４７に示すように、各コンストコラム１３，１９，２１に収納される。
これにより、シリンダ錠ＳＢでは、第１ピン群ＰＡを収納したコンストコラム１２，１４，２０以外の残りのコンストコラム１３，１９，２１に第２ピン群ＰＢを収納する。
第２ピン群ＰＢは、キー挿入前に、コンストボール９７及び第２上ピン９６の境界を、シリンダ胴５１及びシリンダプラグ５２間に位置して、各コンストコラム１３，１９，２１に収納される。
【０１９１】
コンストラクション装置ＹＢの各ボール収納穴４１〜４６は、シリンダ錠Ｓ１（コンストラクション装置Ｙ１）と同一構成であって、各コンストコラム１２〜１４，１９〜２１に対応してシリンダプラグ５２に形成される。
【０１９２】
マスター装置ＺＢは、図４６に示すように、シリンダ錠ＳＢの鍵挿入口５４側に配置されて、シリンダ錠ＳＢ（シリンダ胴５１及びシリンダプラグ５２）に備えられる。
マスター装置ＺＢは、コンストラクションマスターキーＭＫ２と、シリンダ錠ＳＢに対応するチェンジキーＣＫＢによるシリンダプラグ５２の回転を可能とし、シリンダ錠ＳＢに対応する以外のチェンジキーＣＫＡによるシリンダプラグ５２の回転を禁止する。
マスター装置ＺＢは、シリンダ錠Ｓ２のマスター装置Ｚ２と同一構成であって、複数のマスターコラム９〜１１，１６〜１８、第３ピン群Ｐ３、複数の第４ピン群Ｐ４、及び複数の第５ピン群Ｐ５を備える。
マスター装置ＺＢにおいて、第３ピン群Ｐ３は、マスターコラム１０に収納され、第４ピン群Ｐ４は、各マスターコラム１１，１６，１７に収納される。第５ピン群Ｐ５は、マスターコラム１８に収納される。
【０１９３】
シリンダ錠ＳＢは、図４３に示すように、複数の固定コラム１〜４、第６ピン群Ｐ６、複数の第７ピン群Ｐ７、及び第８ピン群Ｐ８を備える。
シリンダ錠ＳＢにおいて、各固定コラム１〜４は、シリンダ錠Ｓ１と同一構成であって、胴穴２５及びプラグ穴２６で構成される。シリンダ錠ＳＢは、シリンダ錠Ｓ１の各固定コラム５〜７を有しない。
シリンダ錠ＳＢにおいて、第６ピン群Ｐ６は、固定コラム１に収納され、第７ピン群Ｐ７は、各固定コラム２，３に収納される。シリンダ錠ＳＢにおいて、第８ピン群Ｐ８は、固定コラム４に収納される。
【０１９４】
＜コンストラクションマスターキーＭＫ２＞
コンストラクションマスターキーＭＫ２は、工事期間中、鍵挿入口５４から各シリンダ錠ＳＡ，ＳＢの鍵穴５５に挿入され、各シリンダ錠ＳＡ，ＳＢを操作（施錠又は解錠）する。コンストラクションマスターキーＭＫ２は、リバーシブルキーである。
【０１９５】
コンストラクションマスターキーＭＫ２は、各コンストラクション装置ＹＡ，ＹＢにおいて、全てのコンストコラム１２〜１４，１９〜２１の第１及び第２ピン群ＰＡ，ＰＢに対応することなく、マスター装置ＺＢの各マスターコラム９〜１１，１６〜１８の第３〜第５ピン群Ｐ３〜Ｐ５に対応するキー長さを有する（図５１乃至図５３参照）。
【０１９６】
コンストラクションマスターキーＭＫ２は、図４８に示すように、第１キー穴列ｍｒ３、及び第２キー穴列ｍｒ４を有し、各キー穴列ｍｒ３，ｍｒ４は、キー表平面Ｍａ及びキー裏平面Ｍｂに形成される。
第１及び第２キー穴列ｍｒ３，ｍｒ４は、キー表裏平面Ｍａ，Ｍｂにおいて、キー幅方向ＮＨに並列される。
コンストラクションマスターキーＭＫ２のキー裏平面Ｍｂにおいて、第１キー穴列ｍｒ３は、キー表平面Ｍａの第２キー穴列ｍｒ４に対向して形成される。
コンストラクションマスターキーＭＫ２のキー裏平面Ｍｂにおいて、第２キー穴列ｍｒ４は、キー表平面Ｍａの第１キー穴列ｍｒ３に対向して形成される。
【０１９７】
第１キー穴列ｍｒ３は、キー長手方向ＮＫにおいて、非ディンプル部Ｍ１１、及び複数のディンプル穴Ｍ１０，Ｍ９を有する。
コンストラクションマスターキーＭＫ２において、非ディンプル部Ｍ１１、及び各ディンプル穴Ｍ１０，Ｍ９は、コンストラクションマスターキーＭＫ１と同一構成であって、各シリンダ錠ＳＡ，ＳＢの各マスターコラム９〜１１の第３〜第５ピン群Ｐ３〜Ｐ５に対応して形成される。
【０１９８】
第２キー穴列ｍｒ４は、キー長手方向ＮＫにおいて、複数のディンプル穴Ｍ１８，Ｍ１７、及び非ディンプル部Ｍ１６を有する。
コンストラクションマスターキーＭＫ２において、各ディンプル穴Ｍ１８，Ｍ１７、及び非ディンプル部Ｍ１６は、コンストラクションマスターキーＭＫ１と同一構成であって、各シリンダ錠ＳＡ，ＳＢの各マスターコラム１６〜１８の第３〜第５ピン群Ｐ３〜Ｐ５に対応して形成される。
【０１９９】
コンストラクションマスターキーＭＫ２は、キー長手方向ＮＫにおいて、各キー側面に非ディンプル部Ｍ４、及び複数のディンプル穴Ｍ３，Ｍ２，Ｍ１を有する。コンストラクションマスターキーＭＫ２において、非ディンプル部Ｍ４、及び複数のディンプル穴Ｍ３，Ｍ２，Ｍ１は、コンストラクションマスターキーＭＫ１と同一構成であって、各固定コラム１〜４の第６〜第８ピン群Ｐ６〜Ｐ８に対応して形成される。
【０２００】
＜チェンジキーＣＫＡ＞
チェンジキーＣＫＡ（第１チェンジキー）は、シリンダ錠ＳＡに対応して設けられる。チェンジキーＣＫＡは、工事完了後、鍵挿入口５４からシリンダ錠ＳＡの鍵穴５５に挿入され、シリンダ錠ＳＡを操作（施錠又は解錠）する。チェンジキーＣＫＡは、リバーシブルキーである。
【０２０１】
チェンジキーＣＫＡは、図４９に示すように、第１キー穴列ｃｒ１、及び第２キー穴列ｃｒ２を有し、各キー穴列ｃｒ１，ｃｒ２は、キー表平面Ｃａ及びキー裏平面Ｃｂに形成される。
【０２０２】
チェンジキーＣＫＡにおいて、第１キー穴列ｃｒ１は、チェンジキーＣＫ１と同一構成であって、各非ディンプル部Ｃ１４，Ｃ１２，Ｃ１０、及び各ディンプル穴Ｃ１３，Ｃ１１，Ｃ９を有する。
チェンジキーＣＫＡにおいて、非ディンプル部Ｃ１４，Ｃ１２は、シリンダ錠ＳＡの各コンストコラム１４，１２の第２ピン群ＰＡに対応して形成され、ディンプル穴Ｃ１３（第１ディンプル穴）は、シリンダ錠ＳＡのコンストコラム１３の第１ピン群ＰＡに対応して形成される。
コンストラクションマスターキーＣＫＡにおいて、各ディンプル穴Ｃ９〜Ｃ１１は、シリンダ錠ＳＡの各マスターコラム９〜１１の第３〜第５ピン群Ｐ３〜Ｐ５に対応して形成される。
【０２０３】
チェンジキーＣＫＡにおいて、第２キー穴列ｃｒ２は、チェンジキーＣＫ１と同一構成であって、非ディンプル部Ｃ２０、及び各ディンプル穴Ｃ２１，Ｃ１６〜Ｃ１９を有する。
チェンジキーＣＫＡにおいて、非ディンプル部Ｃ２０は、シリンダ錠ＳＡのコンストコラム２０の第２ピン群ＰＢに対応して形成され、各ディンプル穴Ｃ１９，Ｃ２１（第１ディンプル穴）は、シリンダ錠ＳＡの各コンストコラム１９，２１の第１ピン群ＰＡに対応して形成される。
チェンジキーＣＫＡにおいて、各ディンプル穴Ｃ１６〜Ｃ１８は、シリンダ錠ＳＡの各マスターコラム１〜１８の第３及び第４ピン群Ｐ３，Ｐ４に対応して形成される。
【０２０４】
チェンジキーＣＫＡは、キー長手方向ＮＫにおいて、各キー側面に非ディンプル部Ｃ４、及び各ディンプル穴Ｃ３，Ｃ２，Ｃ１を有する。
チェンジキーＣＫＡにおいて、非ディンプル部Ｃ４、及び各ディンプル穴Ｃ３，Ｃ２，Ｃ１は、チェンジキーＣＫ１（コンストラクションマスターキーＭＫ１）と同一構成であって、各固定コラム１〜４の第６〜第８ピン群Ｐ６〜Ｐ８に対応して形成される。
【０２０５】
＜チェンジキーＣＫＢ＞
チェンジキーＣＫＢ（第２チェンジキー）は、シリンダ錠ＳＢに対応して設けられる。チェンジキーＣＫＢは、工事完了後、鍵挿入口５４からシリンダ錠ＳＢの鍵穴５５に挿入され、シリンダ錠ＳＢを操作（施錠又は解除）する。チェンジキーＣＫＢは、リバーシブルキーである。
チェンジキーＣＫＢは、図５０に示すように、第１キー穴列ｄｒ１、及び第２キー穴列ｄｒ２を有し、各キー穴列ｄｒ１，ｄｒ２は、キー表平面Ｄａ及びキー裏平面Ｄｂに形成される。
【０２０６】
チェンジキーＣＫＢにおいて、第１キー穴列ｄｒ１は、チェンジキーＣＫ１と同一構成であって、各ディンプル穴Ｄ１４，Ｄ１２，Ｄ１１，Ｄ１０、及び非ディンプル部Ｄ１３，Ｄ９を有する。
チェンジキーＣＫＢにおいて、各ディンプル穴Ｄ１４，Ｄ１２（第１ディンプル穴）は、シリンダ錠ＳＢの各コンストコラム１４，１２の第１ピン群ＰＡに対応して形成され、非ディンプル部Ｄ１３は、シリンダ錠ＳＢのコンストコラム１３の第２ピン群ＰＢに対応して形成される。
チェンジキーＣＫＢにおいて、各ディンプル穴Ｄ１１，Ｄ１０、及び非ディンプル部Ｄ９は、シリンダ錠ＳＢの各マスターコラム９〜１１の第３〜第５ピン群Ｐ３〜Ｐ５に対応して形成される。
【０２０７】
チェンジキーＣＫＢにおいて、第２キー穴列ｄｒ２は、チェンジキーＣＫ２と同一構成であって、各非ディンプル部Ｄ２１，Ｄ１９，Ｄ１７，Ｄ１８、及び各ディンプル穴Ｄ２０，Ｄ１６を有する。
チェンジキーＣＫＢにおいて、各非ディンプル部Ｄ２１，Ｄ１９は、シリンダ錠ＳＢの各コンストコラム２１，１９の第２ピン群ＰＢに対応して形成され、ディンプル穴Ｄ２０（第１ディンプル穴）は、シリンダ錠ＳＢのコンストコラム２０の第１ピン群ＰＡに対応して形成される。
チェンジキーＣＫＢにおいて、各非ディンプル部Ｄ１８，Ｄ１７、及びディンプル穴Ｄ１６は、シリンダ錠ＳＢの各マスターコラム１６〜１８の第３及び第４ピン群Ｐ３，Ｐ４に対応して形成される。
【０２０８】
チェンジキーＣＫＢは、キー長手方向ＮＫにおいて、各キー側面に非ディンプル部Ｃ４、及び各ディンプル穴Ｃ３，Ｃ２，Ｃ１を有する。
チェンジキーＣＫＢにおいて、非ディンプル部Ｃ４、及び各ディンプル穴Ｃ３，Ｃ２，Ｃ１は、チェンジキーＣＫ１，ＣＫ２（コンストラクションマスターキーＭＫ１）と同一構成であって、各固定コラム１〜４の第６〜第８ピン群Ｐ６〜Ｐ８に対応して形成される。
【０２０９】
コンストラクションマスター装置Ｘ２は、工事期間中、コンストラクションマスターキーＭＫ２にて各シリンダ錠ＳＡ，ＳＢを操作（施錠又は解錠）する。
【０２１０】
工事期間中にシリンダ錠ＳＡを操作するため、コンストラクションマスターキーＭＫ２は、図５１及び図５２に示すように、シリンダ錠ＳＡの鍵挿入口５４から鍵穴５５に挿入され、コンストラクション装置ＹＡにおいて、全てのコンストコラム１２〜１４，１９〜２１の第１及び第２ピン群ＰＡ，ＰＢに対応することなく、各非ディンプル部Ｍ１１，Ｍ１６を各マスターコラム１１，１６の第４及び第５ピン群Ｐ４，Ｐ５に対応して配置する。
また、コンストラクションマスターキーＭＫ２は、各ディンプル穴Ｍ９，Ｍ１０，Ｍ１７，Ｍ１８を各マスターコラム９，１０，１７，１８の第３及び第４ピン群Ｐ３，Ｐ４に対応して配置する。
これにより、コンストラクションマスターキーＭＫ２は、シリンダ錠Ｓ１の鍵穴５５内において、コンストラクション装置ＹＡに対応することなく、マスター装置ＺＡに対応して配置される。
更に、コンストラクションマスターキーＭＫ２は、図５１に示すように、非ディンプル部Ｍ４、及び各ディンプル穴Ｍ１〜Ｍ３を各固定コラム１〜４の第６〜第８ピン群Ｐ６〜Ｐ８に対応して配置する。
【０２１１】
コンストラクションマスターキーＭＫ２は、図５１に示すように、シリンダ錠ＳＡの鍵穴５５の挿入に伴って、非ディンプル部１１によりマスターコラム１１の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
また、コンストラクションマスターキーＭＫ２は、シリンダ錠ＳＡの鍵穴５５の挿入に伴って、非ディンプル部１６によりマスターコラム１６の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、マスターコラム１６の胴穴２５内に収納される。
更に、コンストラクションマスターキーＭＫ２は、シリンダ錠ＳＡの鍵穴５５の挿入に伴って、各ディンプル穴Ｍ９，Ｍ１７，Ｍ１８により各マスターコラム９，１７，１８の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
コンストラクションマスターキーＭＫ２は、シリンダ錠ＳＡの鍵穴５５の挿入に伴って、ディンプル穴１０によりマスターコラム１０の第４下ピン６４（第４ピン群Ｐ４）を第４ピンバネ６７に抗して押し動かして、第４上ピン６４及びＭＫピン６６の境界を、シリンダ胴５１及びシリンダプラグ５２間に位置（配置）する。このとき、ＭＫピン６６は、マスターコラム１０のプラグ穴２６内に収納される。
【０２１２】
コンストラクションマスターキーＭＫ２は、図５２に示すように、シリンダ錠ＳＡの鍵穴５５の挿入に伴って、各非ディンプル部Ｍ４、及び各ディンプル穴Ｍ１〜Ｍ３により各固定コラム１〜４の第６〜第８下ピン７１，７４，７７（第６〜第８ピン群Ｐ６〜Ｐ８）を押し動かして、第６〜第８下ピン７１，７４，７７及び第６〜第８上ピン７２，７５，７８の境界を、シリンダ胴５１及びシリンダプラグ５２間に位置（配置）する。
また、コンストラクションマスターキーＭＫ２は、シリンダ錠Ｓ１の鍵穴５５の挿入に伴って、各コンストコラム１２〜１４，１９〜２１の第１及び第２ピン群ＰＡ，ＰＢを押し動かすことなく、第１及び第２ピン群ＰＡ，ＰＢは、図４１乃至図４５で説明したと同一の状態に位置（配置）されたままである。
これにより、シリンダ錠ＳＡにおいて、コンストラクション装置ＹＡ、及びマスター装置ＺＡは、コンストラクションマスターキーＭＫ２によるシリンダ錠ＳＡのシリンダプラグ５２の回転を可能とし、コンストラクションマスターキーＭＫ２によりシリンダプラグ５２を回転することで、シリンダ錠ＳＡを施錠又は解錠する。
なお、各マスターコラム９，１１，１７，１８の第３及び第５上ピン６２，６９は、シリンダプラグ５２の回転に伴って、ピン先端面側（円錐面）及びシリンダプラグ５２のプラグ穴２６内周との当接により第３及び第５ピンバネ６３，７０に抗して各マスターコラム９，１１，１７，１８の胴穴２５内に押し動かされて収納される。
【０２１３】
工事期間中にシリンダ錠ＳＢを操作するため、コンストラクションマスターキーＭＫ２は、図５２及び図５３に示すように、シリンダ錠ＳＢの鍵挿入口５４から鍵穴５５に挿入され、コンストラクション装置ＹＢにおいて、全てのコンストコラム１２〜１４，１９〜２１の第１及び第２ピン群ＰＡ，ＰＢに対応することなく、各非ディンプル部Ｍ１１，Ｍ１６を各マスターコラム１１，１６の第４ピン群Ｐ４に対応して配置する。
また、コンストラクションマスターキーＭＫ２は、各ディンプル穴Ｍ９，Ｍ１０，Ｍ１７，Ｍ１８を各マスターコラム９，１０，１７，１８の第３〜第５ピン群Ｐ３〜Ｐ５に対応して配置する。
これにより、コンストラクションマスターキーＭＫ２は、シリンダ錠Ｓ２の鍵穴５５内において、コンストラクション装置ＹＢに対応することなく、マスター装置ＺＢに対応して配置される。
更に、コンストラクションマスターキーＭＫ２は、図５２に示すように、非ディンプル部Ｍ４、及び各ディンプル穴Ｍ１〜Ｍ３を各固定コラム１〜４の第６〜第８ピン群Ｐ６〜Ｐ８に対応して配置する。
【０２１４】
コンストラクションマスターキーＭＫ２は、図５３に示すように、シリンダ錠ＳＢの鍵穴５５の挿入に伴って、非ディンプル部Ｍ１１，Ｍ１６により各マスターコラム１１，１６の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、各マスターコラム１１，１６の胴穴２５内に収納される。
また、コンストラクションマスターキーＭＫ２は、シリンダ錠ＳＢの鍵穴５５の挿入に伴って、各ディンプル穴Ｍ１０によりマスターコラム１０の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
更に、コンストラクションマスターキーＭＫ２は、シリンダ錠ＳＢの鍵穴５５の挿入に伴って、各ディンプル穴Ｍ９，Ｍ１８により各マスターコラム９，１８の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
コンストラクションマスターキーＭＫ２は、シリンダ錠ＳＢの鍵穴５５の挿入に伴って、ディンプル穴Ｍ１７によりマスターコラム１７の第４下ピン６４（第４ピン群Ｐ４）を第４ピンバネ６７に抗して押し動かして、第４上ピン６４及びＭＫピン６６の境界を、シリンダ胴５１及びシリンダプラグ５２間に位置（配置）する。このとき、ＭＫピン６６は、マスターコラム１７のプラグ穴２６内に収納される。
【０２１５】
コンストラクションマスターキーＭＫ２は、図５２に示すように、シリンダ錠ＳＢの鍵穴５５の挿入に伴って、各非ディンプル部Ｍ４、及び各ディンプル穴Ｍ１〜Ｍ３により各固定コラム１〜４の第６〜第８下ピン７１，７４，７７（第６〜第８ピン群Ｐ６〜Ｐ８）を押し動かして、第６〜第８下ピン７１，７４，７７及び第６〜第８上ピン７２，７５，７８の境界を、シリンダ胴５１及びシリンダプラグ５２間に位置（配置）する。
また、コンストラクションマスターキーＭＫ２は、シリンダ錠Ｓ２の鍵穴５５の挿入に伴って、各コンストコラム１２〜１４，１９〜２１の第１及び第２ピン群ＰＡ，ＰＢを押し動かすことなく、第１及び第２ピン群ＰＡ，ＰＢは、図４６及び図４７で説明したと同一の状態に位置（配置）されたままである。
これにより、シリンダ錠ＳＢにおいて、コンストラクション装置ＹＢ、及びマスター装置ＺＢは、コンストラクションマスターキーＭＫ２によるシリンダ錠Ｓ２のシリンダプラグ５２の回転を可能とし、コンストラクションマスターキーＭＫ２によりシリンダプラグ５２を回転することで、シリンダ錠ＳＢを施錠又は解錠する。
なお、各マスターコラム９，１０，１８の第３及び第５上ピン６２，６９は、シリンダプラグ５２の回転に伴って、ピン先端面側（円錐面）及びシリンダプラグ２６のプラグ穴２６内周との当接により第３及び第５ピンバネ６３，７０に抗して各マスターコラム９，１０，１８の胴穴２５内に押し動かされて収納される。
【０２１６】
コンストラクションマスター装置Ｘ２は、工事完了後、後述するように（段落番号［０２２２］、［０２２８］参照）、チェンジキーＣＫＡ，ＣＫＢにて対応するシリンダ錠ＳＡ，ＳＢのコンストラクション装置ＹＡ，ＹＢを作動して、コンスト解除し、コンストラクションマスターキーＭＫ２による各シリンダ錠ＳＡ，ＳＢの操作を不能にする。
【０２１７】
工事完了後、シリンダ錠ＳＡ（コンストラクション装置ＳＡ）のコンスト解除のため、チェンジキーＣＫＡは、図５４乃至図５６に示すように、シリンダ錠Ｓ１の鍵挿入口５４から鍵穴５５に挿入され、各非ディンプル部Ｃ１２，Ｃ１４，Ｃ２０を各コンストコラム１２，１４，２０の第２ピン群ＰＢに対応して配置し、及び各ディンプル穴Ｃ１３，Ｃ１９，Ｃ２１（第１ディンプル穴）を各コンストコラム１３，１９，２１の第１ピン群ＰＡに対応して配置する。
また、チェンジキーＣＫＡは、非ディンプル部Ｃ１０をマスターコラム１０の第４ピン群Ｐ４に対応して配置し、各ディンプル穴Ｃ９，Ｃ１１，Ｃ１６〜Ｃ１８を各マスターコラム９，１１，１６〜１８の第３〜第５ピン群Ｐ３〜Ｐ５に対応して配置する。
更に、チェンジキーＣＫＡは、各非ディンプル部Ｃ４、及び各ディンプル穴Ｃ１〜Ｃ３を各固定コラム１〜４の第６〜第８ピン群Ｐ６〜Ｐ８に対応して配置する。
【０２１８】
チェンジキーＣＫＡは、図５４及び図５５に示すように、シリンダ錠ＳＡの鍵穴５５の挿入に伴って、非ディンプル部Ｃ１２，Ｃ１４，Ｃ２１により各コンストコラム１２，１４，２１の第２下ピン９５（第２ピン群ＰＢ）を第２ピンバネ９８に抗して押し動かして、コンストボール９７を胴穴２５に配置（挿入）し、及び第２下ピン９５のピン後端面９５Ｂ（第２上ピン９６側の端面）を、シリンダ胴５１及びシリンダプラグ５２間に位置（配置）する。
チェンジキーＣＫＡは、シリンダ錠ＳＡの鍵穴５５の挿入に伴って、各ディンプル穴Ｃ１３，Ｃ１９，Ｃ２１（第１ディンプル穴）により各コンストコラム１３，１９，２１の第１下ピン９１（第１ピン群ＰＡ）を押し動かすことなく保持して、第１下ピン９１及び第１上ピン９２の境界を、シリンダ胴５１及びシリンダプラグ５２間に位置（配置）したままとする（図４１乃至図４５で説明したと同一の状態に保持する）。
【０２１９】
また、チェンジキーＣＫＡは、図５４に示すように、シリンダ錠ＳＡの鍵穴５５の挿入に伴って、非ディンプル部Ｃ１０によりマスターコラム１０の第４下ピン６４（第４ピン群Ｐ４）を第４ピンバネ６７に抗して押し動かして、第４下ピン６４及びＭＫピン６６の境界を、シリンダ胴５１及びシリンダプラグ５２間に位置（配置）する。このとき、ＭＫピン６６は、マスターコラム１０の胴穴２５内に収納される。
更に、チェンジキーＣＫＡは、シリンダ錠ＳＡの鍵穴５５の挿入に伴って、各ディンプル穴Ｃ９，Ｃ１７，Ｃ１８によりマスターコラム９，１７，１８の第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
チェンジキーＣＫＡは、シリンダ錠ＳＡの鍵穴５５の挿入に伴って、ディンプル穴Ｃ１１によりマスターコラム１１の第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
また、チェンジキーＣＫＡは、シリンダ錠ＳＡの鍵穴５５の挿入に伴って、ディンプル穴Ｃ１６によりマスターコラム１６の第４下ピン６４（第４ピン群Ｐ４）を第４ピンバネ６７に抗して押し動かして、第４上ピン６５及びＭＫピン６６の境界を、シリンダ胴５１及びシリンダプラグ５２間に位置（配置）する。このとき、ＭＫピン６６は、マスターコラム１６のプラグ穴２６内に収納される。
【０２２０】
チェンジキーＣＫＡは、鍵穴５５の挿入に伴って、各非ディンプル部Ｃ４、及び各ディンプル穴Ｃ１〜Ｃ３により固定コラム１〜４の第６〜第８下ピン７１，７４，７７を押し動かして、第６〜第８下ピン７１，７４，７７及び第６〜第８上ピン７２，７５，７８の境界を、シリンダ胴５１及びシリンダプラグ５２間に位置（配置）する。
【０２２１】
これにより、シリンダ錠ＳＡにおいて、コンストラクション装置ＹＡ、及びマスター装置ＺＡは、チェンジキーＣＫＡにて対応するシリンダ錠ＳＡの操作を可能とし、チェンジキーＣＫＡによりシリンダプラグ５２の回転を可能とする。
【０２２２】
コンストラクション装置ＹＡのコンスト解除において、チェンジキーＣＫＡは、図５５に示すように、例えば、Ａ方向に正回転する。
シリンダプラグ５２は、チェンジキーＣＫＡによりシリンダ胴５１に対して回転され、各コンストコラム１２，１４，２０内に配置されたコンストボール９７は、シリンダプラグ５２と共に回転することなく、シリンダ胴５１の胴穴２５に残される。
シリンダプラグ５２の回転に伴って、シリンダプラグ５２の各ボール収納穴４１〜４６は、各コンストコラム１２〜１４，１９〜２１の胴穴２５に対向される。
これにより、各コンストコラム１２，１４，２０の胴穴２５内のコンストボール９７は、胴穴２５からボール収納穴４１，４３，４５に収納される。
チェンジキーＣＫＡを逆回転して、シリンダ錠ＳＡの鍵穴５５から抜取ると、図５７及び図５８に示すように、コンストボール９７は、各ボール収納穴４１，４３，４５内に収納されたままとなり、各コンストコラム１２，１４，２０において、第２上ピン９６は、第２ピンバネ９８のバネ力（付勢力）により胴穴２６からプラグ穴２６に挿入（配置）される。
第２上ピン９６のピン先端面９６Ａは、図５７及び図５８に示すように、第２下ピン９５のピン後端面９５Ｂに当接される。第２下ピン９５及び第２上ピン９６において、相互に当接する部分は、第２下ピン９５及び第２上ピン９５の境界となる（以下、同様）。
このように、チェンジキーＣＫＢをシリンダ錠ＳＡの鍵穴５５に挿入し、シリンダプラグ５２を回転して、各第２ピン群ＰＢのコンストボール９７を各コンストコラム１２，１４，２０に対応する各ボール収納穴４１，４３，４５に収納することで、コンストラクション装置Ｙ１をコンスト解除する。
【０２２３】
工事完了後、シリンダ錠ＳＢ（コンストラクション装置ＹＢ）のコンスト解除のため、チェンジキーＣＫＢは、図５９乃至図６１に示すように、シリンダ錠ＳＢの鍵挿入口５４から鍵穴５５に挿入され、各非ディンプル部Ｄ１３，Ｄ１９，Ｄ２１を各コンストコラム１３，１９，２１の第２ピン群ＰＢに対応して配置し、及び各ディンプル穴Ｄ１２，Ｄ１４，Ｄ２０（第１ディンプル穴）を各コンストコラム１２，１４，２０の第１ピン群ＰＡに対応して配置する。
また、チェンジキーＣＫＢは、非ディンプル部Ｄ９，Ｄ１７，Ｄ１８を各マスターコラム９，１７，１８の第４及び第５ピン群Ｐ４，Ｐ５に対応して配置し、及び各ディンプル穴Ｄ１０，Ｄ１１，Ｄ１６を各マスターコラム１０，１１，１６の第３及び第４ピン群Ｐ４に対応して配置する。
更に、チェンジキーＣＫＢは、各非ディンプル部Ｄ４、及び各ディンプル穴Ｄ１〜Ｄ３を各固定コラム１〜４の第６〜第８ピン群Ｐ６〜Ｐ８に対応して配置する。
【０２２４】
チェンジキーＣＫＢは、図５９及び図６０に示すように、シリンダ錠ＳＢの鍵穴５５の挿入に伴って、非ディンプル部Ｄ１３，Ｄ１９，Ｄ２１により各コンストコラム１３，１９，２１の第２下ピン９５（第２ピン群ＰＢ）を第２ピンバネ９８に抗して押し動かして、コンストボール９７を胴穴２５に位置（挿入）し、及び第２下ピン９５のピン後端面９５Ｂ（第２上ピン９６側の端面）を、シリンダ胴５１及びシリンダプラグ５２間に位置（配置）する。
また、チェンジキーＣＫＢは、シリンダ錠ＳＢの鍵穴５５の挿入に伴って、各ディンプル穴Ｄ１２，Ｄ１４，Ｄ２０（第１ディンプル穴）により第１下ピン９１（第１ピン群ＰＡ）を押し動かすことなく保持して、第１下ピン９１及び第１上ピン９２の境界を、シリンダ胴５１及びシリンダプラグ５２間に位置（配置）したままとする（図４６及び図４７で説明したと同一の状態に保持する）。
【０２２５】
また、チェンジキーＣＫＢは、図５９に示すように、シリンダ錠ＳＢの鍵穴５５の挿入に伴って、各非ディンプル部Ｄ９，Ｄ１８により第５下ピン６８（第５ピン群Ｐ５）を第５ピンバネ７０に抗して押し動かして、第５上ピン６９のピン先端面側の円錐面を、シリンダ胴５１及びシリンダプラグ５２間に位置（配置）する。
更に、チェンジキーＣＫＢは、シリンダ錠ＳＢの鍵穴５５の挿入に伴って、非ディンプル部Ｄ１７により第４下ピン６４（第４ピン群Ｐ４）を第４ピンバネ６７に抗して押し動かして、第４下ピン６４及びＭＫピン６６の境界を、シリンダ胴５１及びシリンダプラグ５１間に位置（配置）する。このとき、ＭＫピン６６は、マスターコラム１７の胴穴２５内に収納される。
チェンジキーＣＫＢは、シリンダ錠ＳＢの鍵穴５５の挿入に伴って、ディンプル穴Ｄ１０により第３下ピン６１（第３ピン群Ｐ３）を第３ピンバネ６３に抗して押し動かして、第３上ピン６２のピン先端面側の円錐面を、シリンダ胴５１及びシリンダプラグ５２間に位置（配置）する。
チェンジキーＣＫＢは、シリンダ錠ＳＢの鍵穴５５の挿入に伴って、各ディンプル穴Ｄ１１，Ｄ１６により各マスターコラム１１，１６の第４下ピン６４を第４ピンバネ６７に抗して押し動かして、第４上ピン６５及びＭＫピン６６の境界を、シリンダ胴５１及びシリンダプラグ５２間に位置（配置）する。このとき、ＭＫピン６６は、各マスターコラム１１，１６のプラグ穴２６内に収納される。
【０２２６】
チェンジキーＣＫＢは、図６１に示すように、シリンダ錠ＳＢの鍵穴６６の挿入に伴って、非ディンプル部Ｄ４の、及び各ディンプル穴Ｄ１〜Ｄ３により各固定コラム１〜４の第６〜第８下ピン７１，７４，７７を押し動かして、第６〜第８下ピン７１，７４，７７及び第６〜第８上ピン７２，７４，７８の境界を、シリンダ胴５１及びシリンダプラグ５２間に位置（配置）する。
【０２２７】
これにより、シリンダ錠ＳＢにおいて、コンストラクション装置ＹＢ、及びマスター装置ＺＢは、チェンジキーＣＫＢにて対応するシリンダ錠ＳＢの操作を可能とし、チェンジキーＣＫＢによりシリンダプラグ５２の回転を可能とする。
【０２２８】
コンストラクション装置ＹＢのコンスト解除において、チェンジキーＣＫＢは、図６０に示すように、例えば、Ａ方向に正回転する。
シリンダプラグ５２は、チェンジキーＣＫＢによりシリンダ胴５１に対して回転され、各コンストコラム１３，１９，２１の胴穴２５内に配置されたコンストボール９７は、シリンダプラグ５２と共に回転することなく、シリンダ胴５１の胴穴２５に残される。
シリンダプラグ５２の回転に伴って、シリンダプラグ５２の各ボール収納穴４１〜４６は、各コンストコラム１２〜１４，１９〜２１の胴穴２５に対向される。
これにより、胴穴２５内のコンストボール９７は、胴穴２５からボール収納穴４２，４４，４６に収納される。
チェンジキーＣＫＢを逆回転して、シリンダ錠ＳＢの鍵穴５５から抜取ると、図６２及び図６３に示すように、コンストボール９７は、各ボール収納穴４２，４４，４６内に収納されたままとなり、各コンストコラム１３，１９，２１において、第２上ピン９６は、第２ピンバネ９８のバネ力（付勢力）により胴穴２５からプラグ穴２６に挿入（配置）される。第２上ピン９６のピン先端面９６Ａは、図６２及び図６３に示すように、第２下ピン９５のピン後端面９５Ｂに当接される。
このように、チェンジキーＣＫＢをシリンダ錠ＳＢの鍵穴５５に挿入し、シリンダプラグ５２を回転して、各第２ピン群Ｐ２のコンストボール９７を各コンストコラム１３，１９，２１に対応する各ボール収納穴４２，４４，４６に収納することで、コンストラクション装置ＹＢのコンストを解除する。
【０２２９】
シリンダ錠ＳＡ（コンストラクション装置ＹＡ）のコンスト解除した後、コンストラクションマスターキーＭＫ２をシリンダ錠ＳＡの鍵穴５５に挿入すると、コンストラクションマスターキーＭＫ２は、図６４に示すように、鍵穴５５内において、全てのコンストコラム１２〜１４，１９〜２１の第１及び第２ピン群ＰＡ，ＰＢに対応することなく、図５１及び図５２で説明したと同様に、マスター装置ＹＡ（各マスターコラム９〜１１，１６〜１９の第３〜第５ピン群Ｐ３〜Ｐ５）に対応して配置される。
シリンダ錠ＳＡ（コンストラクション装置ＹＡ）のコンスト解除に伴って、図５７及び図５８で説明したと同様に、各コンストコラム１２，１４，２０の第２上ピン９６は、胴穴２５及びプラグ穴２６にわたって位置（配置）されたままである。
なお、コンストラクションマスターキーＭＫ２は、シリンダ錠ＳＡの鍵穴５５の挿入に伴って、各マスターコラム９〜１１，１６〜１８の第３〜第６ピン群Ｐ３〜第５ピン群Ｐ３〜Ｐ５を、図５１で説明したと同一の状態に位置（配置）する。
更に、コンストラクションマスターキーＭＫ２は、シリンダ錠ＳＡの鍵穴５５の挿入に伴って、各固定コラム１〜４の第６〜第８ピン群Ｐ６〜Ｐ８を、図５２で説明したと同一の状態に位置（配置）する。
これにより、シリンダ錠ＳＡのコンストラクション装置ＹＡは、コンスト解除後において、コンストラクションマスターキーＭＫ２によるシリンダ錠ＳＡの操作を不能とする。シリンダプラグ５２は、図６４に示すように、各コンストコラム１２，１４，２０の胴穴２５及びプラグ穴２６にわたって配置される第２上ピン９６により回転できない。
【０２３０】
シリンダ錠ＳＢ（コンストラクション装置ＹＢ）のコンスト解除した後、コンストラクションマスターキーＭＫ２をシリンダ錠ＳＢの鍵穴５５に挿入すると、コンストラクションマスターキーＭＫ２は、図６５に示すように、鍵穴５５内において、全てのコンストコラム１２〜１４，１９〜２１の第１及び第２ピン群ＰＡ，ＰＢに対応することなく、図５３で説明したと同様に、マスター装置ＹＡ（各マスターコラム９〜１１，１６〜１９の第３〜第５ピン群Ｐ３〜Ｐ５）に対応して配置される。
シリンダ錠ＳＢ（コンストラクション装置ＹＢ）のコンスト解除に伴って、図６２及び図６３で説明したと同様に、各コンストコラム１３，１９，２１の第２上ピン９６は、胴穴２５及びプラグ穴２６にわたって位置（配置）されたままである。
なお、コンストラクションマスターキーＭＫ２は、シリンダ錠ＳＢの鍵穴５５の挿入に伴って、各マスターコラム９〜１１，１６〜１８の第３〜第６ピン群Ｐ３〜第５ピン群Ｐ３〜Ｐ５を、図５３で説明したと同一の状態に位置（配置）する。
更に、コンストラクションマスターキーＭＫ２は、シリンダ錠ＳＢの鍵穴５５の挿入に伴って、各固定コラム１〜４の第６〜第８ピン群Ｐ６〜Ｐ８を、図５２で説明したと同一の状態に位置（配置）する。
これにより、シリンダ錠ＳＢのコンストラクション装置ＹＢは、コンスト解除後において、コンストラクションマスターキーＭＫ２によるシリンダ錠ＳＢの操作を不能とする。シリンダプラグ５２は、図６５に示すように、各コンストコラム１３，１９，２１の胴穴２５及びプラグ穴２６にわたって配置される第２上ピン９６により回転できない。
【０２３１】
シリンダ錠ＳＡ（コンストラクション装置ＹＡ）のコンスト解除した後、チェンジキーＣＫＡをシリンダ錠ＳＡの鍵穴５５に挿入すると、チェンジキーＣＫＡは、図６６に示すように、非ディンプル部Ｃ１２，Ｃ１４，Ｃ２０により各コンストコラム１２，１４，２０の第２下ピン９５（第２ピン群ＰＢ）を第２ピンバネ９８に抗して押し動かして、第２下ピン９５及び第２上ピン９６の境界を、シリンダ胴５１及びシリンダプラグ５２間に位置（配置）する。
チェンジキーＣＫＡは、シリンダ錠ＳＡの鍵穴５５の挿入に伴って、各ディンプル穴Ｄ１３，Ｄ１９，Ｄ２１（第１ディンプル穴）により第１下ピン９１（第１ピン群Ｐ１）を押し動かすことなく保持して、第１下ピン９１及び第２下ピン９２の境界を、シリンダ胴５１及びシリンダプラグ５２間に位置（配置）したままとする（図４１、図４２、図４４及び図４５で説明したと同一の状態に保持する）。
【０２３２】
また、チェンジキーＣＫＡは、図６６に示すように、シリンダ錠ＳＡの鍵穴５５の挿入に伴って、各マスターコラム９〜１１，１６〜１８の第３〜第６ピン群Ｐ３〜Ｐ６を、図５４及び図５５で説明したと同一の状態に位置（配置）する。
更に、チェンジキーＣＫＡは、シリンダ錠ＳＡの鍵穴５５の挿入に伴って、各固定コラム１〜４の第６〜第８ピン群Ｐ６〜Ｐ８を、図５６で説明したと同一の状態に位置（配置）する。
これにより、シリンダ錠ＳＡにおいて、コンストラクション装置ＹＡ、及びマスター装置ＺＡは、チェンジキーＣＫＡにて対応するシリンダ錠ＳＡの操作（施錠又は解錠）を可能とし、シリンダ錠ＳＡのシリンダプラグ５２は、チェンジキーＣＫＡにより回転される。
【０２３３】
シリンダ錠ＳＢ（コンストラクション装置ＹＢ）のコンスト解除した後、チェンジキーＣＫＢをシリンダ錠ＳＢの鍵穴５５に挿入すると、チェンジキーＣＫＢは、図６７に示すように、非ディンプル部Ｃ１３，Ｃ１９，Ｃ２１により各コンストコラム１３，１９，２１の第２下ピン９５（第２ピン群ＰＢ）を第２ピンバネ９８に抗して押し動かして、第２下ピン９５及び第２上ピン９６の境界を、シリンダ胴５１及びシリンダプラグ５２間に位置（配置）する。
チェンジキーＣＫＢは、図６７に示すように、シリンダ錠ＳＢの鍵穴５５の挿入に伴って、各ディンプル穴Ｄ１２，Ｄ１４，Ｄ２０（第１ディンプル穴）により第１下ピン９１（第１ピン群Ｐ１）を押し動かすことなく保持して、第１下ピン９１及び第２下ピン９２の境界を、シリンダ胴５１及びシリンダプラグ５２間に位置（配置）したままとする（図４６及び図４７で説明したと同一の状態に保持する）。
【０２３４】
また、チェンジキーＣＫＢは、図６７に示すように、シリンダ錠ＳＡの鍵穴５５の挿入に伴って、各マスターコラム９〜１１，１６〜１８の第３〜第６ピン群Ｐ３〜Ｐ６を、図５９及び図６０で説明したと同一の状態に位置（配置）する。
更に、チェンジキーＣＫＢは、シリンダ錠ＳＡの鍵穴５５の挿入に伴って、各固定コラム１〜４の第６〜第８ピン群Ｐ６〜Ｐ８を、図６１で説明したと同一の状態に位置（配置）する。
これにより、シリンダ錠ＳＢにおいて、コンストラクション装置ＹＢ、及びマスター装置ＺＢは、チェンジキーＣＫＢにて対応するシリンダ錠ＳＢの操作（施錠又は解錠）を可能とし、シリンダ錠ＳＢのシリンダプラグ５２は、チェンジキーＣＫＢにより回転される。
【０２３５】
シリンダ錠ＳＡ（コンストラクション装置ＹＡ）のコンスト解除した後、チェンジキーＣＫＢをシリンダ錠ＳＡの鍵穴５５に挿入すると、チェンジキーＣＫＢは、図６８に示すように、各非ディンプル部Ｄ１３，Ｄ１９，Ｄ２１により各コンストコラム１３，１９，２１の第１下ピン９１（第１ピン群ＰＡ）を第１ピンバネ９３に抗して押し動かして、胴穴２５及びプラグ穴２６内にわたって位置（配置）する。
チェンジキーＣＫＢは、各ディンプル穴Ｄ１２，Ｄ１４，Ｄ２０（第１ディンプル穴）により各コンストコラム１２，１４，２０の第２下ピン９５（第２ピン群ＰＢ）を押し動かすことなく保持して、第２上ピン９６を胴穴２５及びプラグ穴２６内にわたって位置（配置）する。
【０２３６】
また、チェンジキーＣＫＢは、図６８に示すように、シリンダ錠ＳＡの鍵穴５５の挿入に伴って、各非ディンプル部Ｄ９，Ｄ１７，Ｄ１８により各マスターコラム９，１７，１８の第３下ピン６１（第３ピン群Ｐ３）を第３ピンバネ６３に抗して押し動かして、胴穴２５及びプラグ穴２６内にわたって位置（配置）する。
チェンジキーＣＫＢは、シリンダ錠ＳＡの鍵穴５５の挿入に伴って、ディンプル穴Ｄ１１によりマスターコラム１１の第５下ピン６８（第５ピン群Ｐ５）を第５ピンバネ７０に抗して押し動かして、第５上ピン６９のピン先端面側の円錐面を、胴穴２５及びプラグ穴２６内にわたって位置（配置）する。
更に、チェンジキーＣＫＢは、シリンダ錠ＳＡの鍵穴５５の挿入に伴って、ディンプル穴１０によりマスターコラム１０の第４下ピン６４（第４ピン群Ｐ４）を第４ピンバネ６７に抗して押し動かして、ＭＫピン６６を、マスターコラム１０の胴穴２５及びプラグ穴２６にわたって位置（配置）する。
なお、チェンジキーＣＫＢは、シリンダ錠Ｓ１の鍵穴５５の挿入に伴って、各固定コラム１〜７の第６〜第８ピン群Ｐ６〜Ｐ８を、図６１で説明したと同一の状態に位置（配置）する。
【０２３７】
これにより、シリンダ錠ＳＡにおいて、コンストラクション装置ＹＡ、及びマスター装置ＺＡは、シリンダ錠ＳＡに対応するチェンジキーＣＫＡ以外のチェンジキーＣＫＢによるシリンダ錠ＳＡの操作（施錠又は解錠）を禁止する。シリンダ錠ＳＡのマスター装置ＺＡは、各マスターコラム９，１７，１８の胴穴２５及びプラグ穴２６にわたって配置される第３下ピン６１（第３ピン群Ｐ３）等によって、シリンダプラグ５２の回転を禁止する。
【０２３８】
シリンダ錠ＳＢ（コンストラクション装置ＹＢ）のコンスト解除した後、チェンジキーＣＫＡをシリンダ錠ＳＢの鍵穴５５に挿入すると、チェンジキーＣＫＡは、図６９に示すように、各非ディンプル部Ｄ１２，Ｄ１４，Ｄ２０により各コンストコラム１２，１４，２０の第１下ピン９１（第１ピン群ＰＡ）を第１ピンバネ９３に抗して押し動かして、胴穴２５及びプラグ穴２６内にわたって位置（配置）する。
チェンジキーＣＫＢは、各ディンプル穴Ｄ１３，Ｄ１９，Ｄ２１（第１ディンプル穴）により各コンストコラム１３，１９，２１の第２下ピン９５（第２ピン群ＰＢ）を押し動かすことなく保持して、第２上ピン９６を胴穴２５及びプラグ穴２６内にわたって位置（配置）する。
【０２３９】
また、チェンジキーＣＫＡは、図６９に示すように、シリンダ錠ＳＢの鍵穴５５の挿入に伴って、各非ディンプル部Ｃ１０によりマスターコラム１０の第３下ピン６１（第３ピン群Ｐ３）を第３ピンバネ６３に抗して押し動かして、胴穴２５及びプラグ穴２６内にわたって位置（配置）する。
チェンジキーＣＫＡは、シリンダ錠ＳＢの鍵穴５５の挿入に伴って、各ディンプル穴Ｃ１１，Ｃ１７により各マスターコラム１１，１７の第４下ピン６４（第４ピン群Ｐ４）を第４ピンバネ６７に抗して押し動かして、ＭＫピン６６を胴穴２５及びプラグ穴２６内にわたって位置（配置）する。
更に、チェンジキーＣＫＡは、シリンダ錠ＳＢの鍵穴５５の挿入に伴って、各ディンプル穴Ｃ９，Ｃ１８により第５下ピン６８（第５ピン群Ｐ５）を第５ピンバネ７０に抗して押し動かして、第５上ピン６９を胴穴２５及びプラグ穴２６にわたって位置（配置）する。
なお、チェンジキーＣＫＡは、シリンダ錠ＳＢの鍵穴５５の挿入に伴って、各固定コラム１〜７の第６〜第８ピン群Ｐ６〜Ｐ８を、図５６で説明したと同一の状態に位置（配置）する。
【０２４０】
これにより、シリンダ錠ＳＢにおいて、コンストラクション装置ＹＢ、及びマスター装置ＺＢは、シリンダ錠ＳＢに対応するチェンジキーＣＫＢ以外のチェンジキーＣＫＡによるシリンダ錠ＳＢの操作（施錠又は解錠）を禁止する。シリンダ錠ＳＢのマスター装置ＺＢは、各マスターコラム９，１８の胴穴２５及びプラグ穴２６にわたって配置される第５上ピン６９（第５ピン群Ｐ６）等によってシリンダプラグ５２の回転を禁止する。
【０２４１】
コンストラクションマスター装置Ｘ２において、各コンストラクション装置ＹＡ，ＹＢ（各シリンダ錠ＳＡ，ＳＢ）のコンストコラム数ｎは、図４１及び図４６で説明したコンストコラム数ｎ＝６に限定されず、３以上の複数（ｎ＝３，４，５，６，７，…）とする。
また、各コンストラクション装置ＹＡ，ＹＢ（シリンダ錠ＳＡ，ＳＢ）において、第１ピン群ＰＡは、全てのコンストコラムでなく、１又は複数のコンストコラムに収納し、第２ピン群ＰＢは、第１ピン群ＰＡを収納したコンストコラム以外の残りのコンストコラムに収納する態様にできる。例えば、図４１において、第１ピン群ＰＡは、コンストコラム１２，１３，２０，２１に収納し、第２ピン群ＰＢは残りのコンストコラム１４，１９に収納する構成、及び図４６において、第１ピン群ＰＡは、１つのコンストコラム１２に収納し、第２ピン群ＰＢは残りのコンストコラム１３，１４，１９〜２１に収納する態様等である。
このとき、コンストラクションマスターキーＭＫ２は、図５０に示すように、全てのコンストコラム１２〜１４，１９〜２１の第１及び第２ピン群ＰＡ，ＰＢに対応することなく、マスター装置ＺＡ，ＺＢ（各マスターコラム９〜１１，１６〜１８の第３〜第５ピン群Ｐ３〜Ｐ５）に対応するキー長を有する。また、第１ピン群ＰＡは、キー挿入前に、第１下ピン９１及び第１上ピン９２の境界を、シリンダ胴５１及びシリンダプラグ５２間に位置してコンストコラムに収納され、第２ピン群ＰＢは、キー挿入前に、コンストボール９７及び第２上ピン９６の境界を、シリンダ胴５１及びシリンダプラグ５２間に位置してコンストコラムに収納される。
これにより、第１及び第２ピン群ＰＡ，ＰＢの収納の態様Ｐ（以下、「収納態様Ｐ」という）を任意に選択しても、コンストラクションマスターキーＭＫ２は、各シリンダ錠の鍵穴の挿入に伴って、第１下ピン９１及び第１上ピン９２（第１ピン群ＰＡ）の境界を、シリンダ胴５１及びシリンダプラグ５２間に位置（配置）でき、コンストボール９７及び第２上ピン９６（第２ピン群ＰＢ）の境界を、シリンダ胴５１及びシリンダプラグ５２間に位置（配置）できる。
また、各シリンダ錠に対応するチェンジキーは、第１及び第２ピン群ＰＡ，ＰＢの収納態様に応じて、各ディンプル穴（各第１ディンプル穴）、及び非ディンプル部を形成する。具体的に説明すると、各チェンジキーにおいて、非ディンプル部は、コンストコラムの第２ピン群ＰＢに対応して形成し、ディンプル穴（第１ディンプル穴）は、コンストコラムの第１ピン群ＰＡに対応して形成する。
このように、コンストラクションマスター装置Ｘ２において、各コンストラクション装置ＹＡ，ＹＢは、３以上の複数のコンストコラムを有し、各コンストコラムを選択して第１ピン群ＰＡ又は第２ピン群ＰＢを収納するので、各コンストコラムに対する第１及び第２ピン群ＰＡ，ＰＢの収納態様（収納パターン）Ｐは、コンストコラム数ｎとすると、第１及び第２ピン群の種類数のｎ乗となる。例えば、第１及び第２ピン群が２種類であれば、Ｐ＝２ｎとなる。図４１及び図４６において、第１及び第２ピン群ＰＡ，ＰＢは夫々１種類であり、コンストコラム数ｎ＝６であるので、第１及び第２ピン群ＰＡ，ＰＢの収納態様Ｐ＝２６＝６４となる。
これにより、各シリンダ錠を操作するためには、第１及び第２ピン群ＰＡ，ＰＢの収納態様Ｐとなる、本数のチェンジキーを複製する必要がある（図４１及び図４６は、６４本のチェンジキーを複製する必要がある）。
また、チェンジキーＣＫＡ，ＣＫＢの第１ディンプル穴Ｃ１３，Ｃ１９，Ｃ２１（又はＤ１２，Ｄ１４，Ｄ２０）、及び非ディンプル部Ｃ１２，Ｃ１４，Ｃ２０（又はＤ１３，Ｄ１９，Ｄ２１）において、穴深さに多数段差（図４９及び図５０では、穴深さδ１，δ３の２段差）を有して、第２ピン群ＰＢを押し動かしており、穴深さの段差数ｍ、コンストコラム数ｎとすると、各シリンダ錠ＳＡ，ＳＢを操作するためには、段差数ｍのｎ乗となる、本数のチェンジキーを複製する必要がある（第２実施形態のコンストラクションマスター装置Ｘ２では、段差数ｍ＝３，コンストコラム数ｎ＝６であるから、３６＝７２９本のチェンジキーを複製する必要がある）。
また、第１及び第２ピン群ＰＡ，ＰＢの収納態様Ｐ、又は穴深さ段差に対応する、本数のチェンジキーを製作でき、コンストラクションマスター装置Ｘ２は、図４１に示すように、複数（２以上）のシリンダ錠ＳＡ，ＳＢ，ＳＣ，…及び、各シリンダ錠ＳＡ，ＳＢ，ＳＣ，…に対応するチェンジキーＣＫＡ，ＣＫＢ，ＣＫＣ，…を備える構成にできる。
【０２４２】
コンストラクションマスター装置Ｘ２において、各チェンジキーＣＫＡ，ＣＫＢは、図５０及び図５１に示すように、コンストコラムの第２ピン群ＰＢに対応する位置に、非ディンプル部Ｃ１２，Ｃ１４，Ｃ２０（又はＤ１３，Ｄ１９，Ｃ２１）を形成しているが、これに限定されず、コンストコラムの第２ピン群ＰＢに対応する位置に、ディンプル穴（第２ディンプル穴）を形成する構成も採用できる。このとき、チェンジキーＣＫＡ，ＣＫＢにおいて、第２ピン群ＰＢに対応するディンプル穴（第２ディンプル穴）は、第１ピン群ＰＡに対応するディンプル穴（第１ディンプル穴）の穴深さより浅い穴深さ、例えば、穴深さδ２とする。また、第２ピン群ＰＢの第２下ピン９５は、各ディンプル穴（第２ディンプル穴）の穴深さδ２だけ長くし、及び第１ピン群ＰＡに対応するディンプル穴（第１ディンプル穴）の穴深さδ３も、第２ピン群ＰＢに対応する各ディンプル穴（第２ディンプル穴）の穴深さδ２だけ深くする。
これにより、各チェンジキーＣＫＡ，ＣＫＢを、対応するシリンダ錠ＳＡ，ＳＢの鍵穴５５に挿入しても、コンストボール９７を胴穴２５内に配置（収納）し、及び第２下ピン９５のピン後端面９５Ｂ（第２上ピン９６側の端面）を、シリンダ胴５１及びシリンダプラグ５２間に位置（配置）できる。
【０２４３】
コンストラクションマスター装置Ｘ２において、各マスター装置ＹＡ，ＹＢは、第３〜第５ピン群Ｐ３〜Ｐ５を、各マスターコラム９〜１１，１６〜１８に収納する構成である。
第３ピン群Ｐ３は、図５１、図５３、図５４及び図５９に示すように、ディンプル穴Ｍ１７，Ｃ９，Ｃ１８の穴深さδ３、及びディンプル穴Ｍ１８，Ｃ１７，Ｄ１０の穴深さδ２の２段差によって、第３上ピン６３のピン先端面側の円錐面を、シリンダ胴５１及びシリンダプラグ５２間に位置（配置）される。
第４ピン群Ｐ４は、図５１、図５３、図５４及び図５９に示すように、ディンプル穴Ｍ１０，Ｃ１６，Ｄ１１，Ｄ１８の穴深さδ３、及び非ディンプル部Ｍ６，Ｃ１０，Ｄ１７の穴深さδ１の２段差によって、第４下ピン６４及びＭＫピン６６の境界、又は第４上ピン６５及びＭＫピン６６の境界を、シリンダ胴５１及びシリンダプラグ５２間に位置（配置）される。
第５ピン群Ｐ５は、図５１、図５３、図５４及び図５９に示すように、ディンプル穴Ｍ１１，Ｃ１１の穴深さδ２、及び非ディンプル部Ｍ１１，Ｄ１１，Ｄ１８の穴深さδ１の２段差によって、第５上ピン６９のピン先端面側の円錐面を、シリンダ胴５１及びシリンダプラグ５２間に位置（配置）される。
従って、コンストラクションマスターキーＭＫ２において、各マスター装置ＺＡ，ＺＢの各マスターコラム９〜１１，１６〜１８に対応する各ディンプル穴Ｍ９，Ｍ１０，Ｍ１７，Ｍ１８、及び非ディンプル部Ｍ１１，Ｍ１６を基準として、各マスターコラムに収納する第３〜第５ピン群Ｐ３〜Ｐ５を適宜、選択することで、コンストラクションマスター装置Ｘ２は、図４１に示すように、マスター装置によっても、複数のシリンダ錠ＳＡ，ＳＢ，ＳＣ，…、及び各シリンダ錠ＳＡ，ＳＢ，ＳＣ，…に対応するチェンジキーＣＫＡ，ＣＫＢ，ＣＫＣ，…を備える構成にできる。
このとき、工事期間中、コンストラクションマスターキーＭＫ２によって、各シリンダ錠ＳＡ，ＳＢ，ＳＣ，…を操作できるように、各マスターコラムに第３〜第３ピン群Ｐ３〜Ｐ５を収納する態様を選択し、及びチェンジキーＣＫＡ，ＣＫＢ，ＣＫＣ，…は、工事完了後、対応するシリンダ錠ＳＡ，ＳＢ，ＳＣ，…において、シリンダプラグ５２を回転できるように、各マスターコラムの第３〜第５ピン群Ｐ３〜Ｐ５に対応して、穴深さδ２，δ３でなるディンプル穴、及び穴深さδ１（δ１＝０）の非ディンプル部を形成する。
【産業上の利用可能性】
【０２４４】
本発明は、コンストラクションマスターキーにより、容易にチェンジキー（合鍵）を想定して複製することが困難なようにしたもので、防犯性を有したコンストラクションマスター装置に最適である。
【符号の説明】
【０２４５】
Ｘ１  コンストラクションマスター装置
Ｓ１  シリンダ錠
Ｓ２  シリンダ錠
Ｙ１  コンストラクション装置
Ｙ２  コンストラクション装置
Ｚ１  マスター装置
Ｚ２  マスター装置
Ｐ１  第１ピン群
Ｐ２  第２ピン群
ＭＫ１  コンストラクションマスターキー
ＳＫ１  長溝
ＳＫ２  長溝
ＣＫ１  チェンジキー
Ｃ１２  非ディンプル部
Ｃ１４  非ディンプル部
Ｃ２０  非ディンプル部
Ｃ１３  ディンプル穴（第１ディンプル穴）
Ｃ１９  ディンプル穴（第１ディンプル穴）
Ｃ２１  ディンプル穴（第１ディンプル穴）
ＣＫ２  チェンジキー
Ｄ１３  非ディンプル部
Ｄ１９  非ディンプル部
Ｄ２１  非ディンプル部
Ｄ１２  ディンプル穴（第１ディンプル穴）
Ｄ１４  ディンプル穴（第１ディンプル穴）
Ｄ２０  ディンプル穴（第１ディンプル穴）
２５  胴穴
２６  プラグ穴
３１  第１下ピン
３２  第１上ピン
３５  第２下ピン
３６  第２上ピン
４１〜４６  ボール収納穴
３７  コンストボール
５１  シリンダ胴
５２  シリンダプラグ
５４  鍵挿入口
５５  鍵穴
【図１】
0006463290.tif 000002
【図２】
0006463290.tif 000003
【図３】
0006463290.tif 000004
【図４】
0006463290.tif 000005
【図５】
0006463290.tif 000006
【図６】
0006463290.tif 000007
【図７】
0006463290.tif 000008
【図８】
0006463290.tif 000009
【図９】
0006463290.tif 000010
【図１０】
0006463290.tif 000011
【図１１】
0006463290.tif 000012
【図１２】
0006463290.tif 000013
【図１３】
0006463290.tif 000014
【図１４】
0006463290.tif 000015
【図１５】
0006463290.tif 000016
【図１６】
0006463290.tif 000017
【図１７】
0006463290.tif 000018
【図１８】
0006463290.tif 000019
【図１９】
0006463290.tif 000020
【図２０】
0006463290.tif 000021
【図２１】
0006463290.tif 000022
【図２２】
0006463290.tif 000023
【図２３】
0006463290.tif 000024
【図２４】
0006463290.tif 000025
【図２５】
0006463290.tif 000026
【図２６】
0006463290.tif 000027
【図２７】
0006463290.tif 000028
【図２８】
0006463290.tif 000029
【図２９】
0006463290.tif 000030
【図３０】
0006463290.tif 000031
【図３１】
0006463290.tif 000032
【図３２】
0006463290.tif 000033
【図３３】
0006463290.tif 000034
【図３４】
0006463290.tif 000035
【図３５】
0006463290.tif 000036
【図３６】
0006463290.tif 000037
【図３７】
0006463290.tif 000038
【図３８】
0006463290.tif 000039
【図３９】
0006463290.tif 000040
【図４０】
0006463290.tif 000041
【図４１】
0006463290.tif 000042
【図４２】
0006463290.tif 000043
【図４３】
0006463290.tif 000044
【図４４】
0006463290.tif 000045
【図４５】
0006463290.tif 000046
【図４６】
0006463290.tif 000047
【図４７】
0006463290.tif 000048
【図４８】
0006463290.tif 000049
【図４９】
0006463290.tif 000050
【図５０】
0006463290.tif 000051
【図５１】
0006463290.tif 000052
【図５２】
0006463290.tif 000053
【図５３】
0006463290.tif 000054
【図５４】
0006463290.tif 000055
【図５５】
0006463290.tif 000056
【図５６】
0006463290.tif 000057
【図５７】
0006463290.tif 000058
【図５８】
0006463290.tif 000059
【図５９】
0006463290.tif 000060
【図６０】
0006463290.tif 000061
【図６１】
0006463290.tif 000062
【図６２】
0006463290.tif 000063
【図６３】
0006463290.tif 000064
【図６４】
0006463290.tif 000065
【図６５】
0006463290.tif 000066
【図６６】
0006463290.tif 000067
【図６７】
0006463290.tif 000068
【図６８】
0006463290.tif 000069
【図６９】
0006463290.tif 000070